(57)【要約】  シールハウジングと、マスク空洞を画定するためにシールハウジングに接続されるかまたは接続可能な可撓性鼻シールとを有する鼻マスク。鼻シールは、顔に接触する側と外側との間に延在する。鼻シールは、マスク空洞内への鼻受入開口を画定するエッジを有し、かつユーザの鼻の周りを密封するように構成される接触面を有する。鼻シールは、鼻下支持体であって、シール内に動かないように接続され、かつマスク空洞内で延在するように構成され、かつユーザの鼻下表面の少なくとも一部に接触するように方向付けられる接触面を有する鼻下支持体も有する。
2019517884.tif 000002
【特許請求の範囲】
【請求項１】
鼻マスクインターフェイス組立体であって、
シールハウジングと、
マスク空洞を画定するために前記シールハウジングに接続されるかまたは接続可能な可撓性鼻シールであって、顔に接触する側と外側との間に延在し、かつ
前記マスク空洞内への鼻受入開口を画定するエッジを含み、かつユーザの鼻の周りを密封するように構成される接触面と、
鼻下支持体であって、前記鼻シール内へ動かないように接続され、かつ前記マスク空洞内で延在するように構成され、かつ前記ユーザの鼻下表面の少なくとも一部に接触するように方向付けられる接触面を有する鼻下支持体と
を含む可撓性鼻シールと
を含む鼻マスクインターフェイス組立体。
【請求項２】
前記接触面は、前記ユーザの鼻の先端と前記ユーザの鼻梁の中心との間に延在する領域における前記鼻梁の一部にわたるところを含めて前記ユーザの鼻の周りを密封する、請求項１に記載の鼻マスクインターフェイス組立体。
【請求項３】
前記鼻下支持体は、少なくとも、前記鼻シール内の対向する側または上側方領域の接続位置間で前記マスク空洞内において前記鼻シールにわたって側方に延在する、請求項１または２に記載の鼻マスクインターフェイス組立体。
【請求項４】
前記鼻シール内の対向する側または上側方領域の前記接続位置は、前記鼻シールの前記接触面の前記エッジから離されているかまたは変位されている、請求項３に記載の鼻マスクインターフェイス組立体。
【請求項５】
前記鼻シール内の前記対向する側または前記上側方領域の前記接続位置は、前記鼻シールの前記接触面から変位されている、請求項３または４に記載の鼻マスクインターフェイス組立体。
【請求項６】
前記鼻下支持体は、前記マスク空洞内から延在し、かつ前記鼻シールの上唇領域において前記鼻シールの前記接触面の前記エッジに接続する１つまたは複数の延長または接続部分を含む、請求項３〜５のいずれか一項に記載の鼻マスクインターフェイス組立体。
【請求項７】
前記鼻下支持体は、少なくとも、主側方部分であって、前記鼻シール内の対向する側または上側方領域の接続位置間で前記マスク空洞の少なくとも一部にわたって側方に延在する２つの端部を備えた主側方部分を含む、請求項１〜６のいずれか一項に記載の鼻マスクインターフェイス組立体。
【請求項８】
前記鼻下支持体は、前記鼻シールの上唇領域で前記主側方部分から前記鼻シールに向かって延在し、かつ前記鼻シールに接続する１つまたは複数の延長または接続部分をさらに含む、請求項７に記載の鼻マスクインターフェイス組立体。
【請求項９】
前記鼻下支持体は、前記主側方部分と、前記鼻シールの上唇領域における前記接触面の前記エッジの一部との間に延在する中央接続部分をさらに含む、請求項７に記載の鼻マスクインターフェイス組立体。
【請求項１０】
前記鼻下支持体の前記中央接続部分は、接触面であって、ユーザの鼻の鼻下表面の鼻中隔の柱の少なくとも一部と接触するように主に構成される接触面を有する、請求項９に記載の鼻マスクインターフェイス組立体。
【請求項１１】
前記鼻下支持体の前記中央接続部分は、前記主側方部分に接続する端部でのより厚い領域、および前記接触面の前記エッジに接続する端部でのまたは前記接触面の前記エッジに接続する端部に向かうより薄い領域からその長さにわたって厚さが変化する、請求項９または１０に記載の鼻マスクインターフェイス組立体。
【請求項１２】
前記鼻下支持体の前記中央接続部分は、その端部での幅に比べて幅が減少した中央領域を含む、請求項９〜１１のいずれか一項に記載の鼻マスクインターフェイス組立体。
【請求項１３】
前記中央接続部分の前記幅は、前記中央接続部分が実質的に砂時計の形状またはプロファイルであるようにその長さに沿って次第に変化する、請求項１２に記載の鼻マスクインターフェイス組立体。
【請求項１４】
前記鼻下支持体の前記主側方部分は、各端部において、前記鼻シールの内面から延在するそれぞれのリブを介して間接的に前記鼻シールの前記内面に一体的にまたは動かないように接続される、請求項７〜１３のいずれか一項に記載の鼻マスクインターフェイス組立体。
【請求項１５】
各リブは、前記鼻シールの前記内面の一部に接続される第１接続エッジ部分と、第２接続エッジ部分であって、前記鼻下支持体の前記主側方部分のそれぞれの端部にその周辺エッジの別の部分において接続される第２接続エッジ部分とを有する可撓性材料のパネルを含む、請求項１４に記載の鼻マスクインターフェイス組立体。
【請求項１６】
一緒に組み立てられたときの前記シールハウジングおよび鼻シールの全高対全奥行の比は、およそ１：０．８〜およそ１：１．２の範囲である、請求項１〜１５のいずれか一項に記載の鼻マスクインターフェイス組立体。
【請求項１７】
一緒に組み立てられたときの前記シールハウジングおよび鼻シールの全高対全奥行対全横幅の比は、およそ１：０．８：１〜およそ１：１．２：１．４の範囲である、請求項１〜１６のいずれか一項に記載の鼻マスクインターフェイス組立体。
【請求項１８】
前記シールハウジングに接続されるかまたは接続可能なヨークと、
前記ヨークに接続されるかまたは接続可能なヘッドギアと、
気体供給導管への接続のための前記シールハウジングにおける吸気開口と
をさらに含む、請求項１〜１７のいずれか一項に記載の鼻マスクインターフェイス組立体。
【請求項１９】
前記シールハウジングは、前記ヨークを解放可能に受け入れかつ保持するように構成されている、前記シールハウジングの外面にわたって側方に延在するヨークチャネルを含む、請求項１８に記載の鼻マスクインターフェイス組立体。
【請求項２０】
前記ヨークは、その端部間でその長さに沿って曲がっており、前記ヨークチャネルとの凹状内部係合面と凸状外面とを有する、請求項１９に記載の鼻マスクインターフェイス組立体。
【請求項２１】
前記シールハウジングの前記吸気開口に解放可能に受け入れられかつ保持される導管フレームであって、前記気体供給導管の端部に接続されるかまたは接続可能な導管フレームをさらに含む、請求項１８〜２０のいずれか一項に記載の鼻マスクインターフェイス。
【請求項２２】
前記導管フレームは、卵形の形状である中空本体であり、前記導管フレームは、１８０度離れている２つの向きのいずれかにおいて、前記シールハウジングの前記吸気開口に解放可能に受け入れられかつ保持され得るように対称的である、請求項２１に記載の鼻マスクインターフェイス。
【請求項２３】
前記鼻下支持体に沿った任意の位置において、前記鼻下支持体は、その接触面に対して横断方向において、前記位置での前記接触面の対応する幅よりも実質的に薄い、請求項１〜２２のいずれか一項に記載の鼻マスクインターフェイス組立体。
【請求項２４】
鼻マスクまたはインターフェイスのための鼻シールであって、可撓性材料で形成され、かつ顔に接触する側と外側との間に延在し、
鼻受入開口を画定するエッジを含み、かつユーザの鼻の周りを密封するように構成される接触面と、
鼻下支持体であって、前記シール内に動かないように接続され、かつ前記鼻受入開口の後方に位置し、かつ前記ユーザの鼻下表面の少なくとも一部に接触するように方向付けられる接触面を有する鼻下支持体と
を含む鼻シール。
【請求項２５】
鼻マスクインターフェイス組立体であって、
シールハウジングと、
マスク空洞を画定するために前記シールハウジングに接続されるかまたは接続可能な可撓性鼻シールであって、顔に接触する側と外側との間に延在し、かつ
前記マスク空洞内への鼻受入開口を画定するエッジを含み、かつユーザの鼻の周りを密封するように構成される接触面と、
鼻下支持体であって、前記鼻シール内に動かないように接続され、かつ前記マスク空洞内で延在するように構成され、かつ前記ユーザの鼻下表面の少なくとも一部に接触するように方向付けられる接触面を有する鼻下支持体と
を含む可撓性鼻シールと、
前記ユーザの耳の上に延在するように構成され、かつ前記シールハウジングに接続する単一の左および右側ストラップを含むヘッドギアと
を含む鼻マスクインターフェイス組立体。
【請求項２６】
前記左および右側ストラップは、前記シールハウジングのそれぞれの側でまたは前記シールハウジングのそれぞれの側に向かってそれぞれの取付位置に接続する、請求項２５に記載の鼻マスクインターフェイス組立体。
【請求項２７】
鼻マスクまたはインターフェイスのための鼻シールであって、可撓性材料で形成され、かつ顔に接触する側と外側との間に延在し、
鼻受入開口を画定するエッジを含み、かつユーザの鼻の周りを密封するように構成される接触面と、
前記鼻シール内で延在するように動かないように接続された鼻下支持体と
を含む鼻シール。
【請求項２８】
前記鼻下支持体は、少なくとも、前記鼻シール内の対向する側または上側方領域の接続位置間で前記マスク空洞内において前記鼻シールにわたって側方に延在する、請求項２７に記載の鼻シール。
【請求項２９】
前記鼻下支持体は、前記マスク空洞内から延在し、かつ前記鼻シールの上唇領域において前記鼻シールの前記接触面の前記エッジに接続する１つまたは複数の延長または接続部分を含む、請求項２７または２８に記載の鼻シール。
【請求項３０】
前記鼻下支持体の少なくとも中央部分の接触面は、前記鼻シールの前記接触面の中央領域における最外上および下接点間で接線方向に延在する密封軸に対してある角度で方向付けられている、請求項２７〜２９のいずれか一項に記載の鼻シール。
【請求項３１】
前記鼻下支持体の前記中央部分の前記接触面は、前記密封軸に対しておよそ４０°〜およそ８０°の範囲の角度で方向付けられている、請求項３０に記載の鼻シール。
【請求項３２】
前記顔に接触する側の前記接触面と、側壁部分であって、前記接触面から前記鼻シールの外側へ後方に延在し、かつ優遇シールハウジングへの結合のためのまたは優遇シールハウジングに接続された開口または接続エッジにおいて終端する側壁部分とによって画定される、請求項２７〜３１のいずれか一項に記載の鼻シール。
【請求項３３】
鼻マスクインターフェイス組立体であって、
シールハウジングであって、
マスク空洞を画定するために前記シールハウジングに接続されるかまたは接続可能な可撓性鼻シールであって、顔に接触する側と外側との間に延在し、かつ
前記マスク空洞内への鼻受入開口を画定するエッジを含み、かつユーザの鼻の周りを密封するように構成される接触面
を含む可撓性鼻シールと、
前記シールハウジングにおける偏流通気穴の配置構成であって、前記シールハウジングの上部領域にわたって側方に延在する偏流通気穴の少なくとも１つの上配列と、前記シールハウジングの側部の下方部分に延在する偏流通気穴の少なくとも１つの側方配列とを含む偏流通気穴の配置構成と
を含むシールハウジング
を含む鼻マスクインターフェイス組立体。
【請求項３４】
偏流通気穴の各配列は、前記ハウジング内に延在する離間された孔または穴の直線配列である、請求項３３に記載の鼻マスクインターフェイス組立体。
【請求項３５】
鼻マスクインターフェイス組立体であって、
吸気開口を含むシールハウジングと、
マスク空洞を画定するために前記シールハウジングに接続されるかまたは接続可能な可撓性鼻シールであって、顔に接触する側と外側との間に延在し、かつ
前記マスク空洞内への鼻受入開口を画定するエッジを含み、かつユーザの鼻の周りを密封するように構成される接触面
を含む可撓性鼻シールと、
前記シールハウジングの前記吸気開口に解放可能に受け入れられかつ保持される導管フレームであって、気体供給導管の端部に接続されるかまたは接続可能であり、１８０度離れている２つの向きのいずれかにおいて、前記シールハウジングの前記吸気開口に解放可能に受け入れられかつ保持され得るように対称的である導管フレームと
を含む鼻マスクインターフェイス組立体。
【請求項３６】
前記導管フレームは、卵形の形状である中空本体である、請求項３５に記載の鼻マスクインターフェイス組立体。
【請求項３７】
鼻マスクまたはインターフェイスのための鼻シールであって、可撓性材料で形成され、かつ顔に接触する側と外側との間に延在し、
鼻受入開口を画定するエッジを含み、かつユーザの鼻の周りを密封するように構成される接触面
を含み、前記鼻シールの全高対全横幅の比は、およそ１：１〜およそ１：１．４の範囲である、鼻シール。
【請求項３８】
前記鼻シールの前記全高対全横幅の比は、およそ１：１．２である、請求項３７に記載の鼻シール。
【請求項３９】
前記鼻シールの全高対全横幅対全奥行の比は、およそ１：１：０．６〜およそ１：１．４：１の範囲である、請求項３７または３８に記載の鼻シール。
【請求項４０】
前記鼻シールの前記全高対全横幅対全奥行の比は、およそ１：１．２：０．８である、請求項３９に記載の鼻シール。
【発明の詳細な説明】
【技術分野】
【０００１】
本開示は、概して、呼吸インターフェイスのための鼻シール、およびこの鼻シールを含む鼻マスクインターフェイスまたはインターフェイス組立体に関する。
【背景技術】
【０００２】
呼吸インターフェイスは、１種または複数種の呼吸用気体、例えばＣＰＡＰ療法における空気を陽圧下でユーザに提供するために使用される。鼻インターフェイスは、気体を鼻に送達する。
【０００３】
間接的鼻インターフェイスまたは鼻マスクのシールは、上唇、鼻の両側の顔、および鼻梁に接し、鼻を実質的に包囲する。そのような鼻インターフェイスは、ヘッドギアでユーザの頭部に固定されることが多い。多くの場合、鼻マスク組立体は、Ｔ部片フレームであって、ユーザの頭部の側部にわたって概して実質的に水平に延在する上側ストラップおよび下側ストラップの対を含むヘッドギアに接続するためのＴ部片フレームを含む。上ストラップは、ユーザの耳の上に延在し、かつユーザの前額領域においてＴ部片フレームの上部に接続し、下ストラップは、ユーザの耳の下に延在し、かつ鼻インターフェイスでもしくは鼻インターフェイスに向かって、または鼻インターフェイス自体からＴ部片フレームの下部に接続する。そのようなヘッドギアは、ユーザへの鼻インターフェイスの相対的に安定した固定を提供する傾向がある一方、使用時に邪魔になるかまたは不快であり得る。片側ストラップヘッドギアが知られており、これは、あまり嵩張らないが、同時に、使用中、鼻インターフェイスを密封係合で固定する際にあまり安定的でない傾向がある。
【０００４】
特許明細書、他の外部文献、または他の情報源が参照されている本明細書において、これは、概して、本発明の特徴について検討するための文脈を提供することを目的とするものである。別段の指定がない限り、そのような外部文献への言及は、そのような文献またはそのような情報源が、いずれかの管轄において先行技術であるか、または当該技術分野における共通の一般知識の一部を形成すると自認するものとして解釈されるものではない。
【発明の概要】
【課題を解決するための手段】
【０００５】
少なくとも１つまたは複数の点で改良された鼻シール、および／もしくは鼻シールを含む鼻マスクインターフェイス、および／もしくは呼吸インターフェイス組立体を提供すること、または公衆もしくは医療専門職に有用な選択肢を少なくとも提供することが本発明の少なくともいくつかの実施形態の目的である。
【０００６】
一態様において、本発明は、広義には、鼻マスクインターフェイスであって、シールハウジングと、マスク空洞を画定するためにシールハウジングに接続されるかまたは接続可能な可撓性鼻シールであって、顔に接触する側と外側との間に延在し、かつマスク空洞内への鼻受入開口を画定するエッジを含み、かつユーザの鼻の周りを密封するように構成される接触面と、鼻下支持体であって、鼻シール内へ動かないように接続され、かつマスク空洞内で延在するように構成され、かつユーザの鼻下表面の少なくとも一部に接触するように方向付けられる接触面を有する鼻下支持体とを含む可撓性鼻シールとを含む鼻マスクインターフェイスに関する。
【０００７】
ある実施形態において、シールハウジングは、可撓性鼻シールに比べて剛性である。
【０００８】
ある実施形態において、接触面は、鼻梁領域におけるまたは鼻梁領域の基端側の一部にわたるところを含めてユーザの鼻の周りを密封する。
【０００９】
ある実施形態において、鼻下支持体は、少なくとも、鼻シールの接触面のエッジから離されているかまたは変位された位置において、鼻シールの対向する側間でマスク空洞内において鼻シールにわたって側方に延在する。
【００１０】
ある実施形態において、鼻下支持体は、少なくとも、鼻シールの接触面から変位された位置において、鼻シールの対向する側間でマスク空洞内において鼻シールにわたって側方に延在する。
【００１１】
ある実施形態において、鼻下支持体は、マスク空洞内から延在し、かつ鼻シールの上唇領域において鼻シールの接触面のエッジに接続する１つまたは複数の延長部分を含む。
【００１２】
ある実施形態において、鼻下支持体は、少なくとも、鼻シールの対向する側間でマスク空洞にわたって側方に延在する主側方部分を含む。
【００１３】
ある実施形態において、鼻下支持体の主側方部分は、少なくとも鼻シールの接触面のエッジから離されているかまたは変位された位置でシールに一体的に接続される。
【００１４】
ある実施形態において、鼻シールは、鼻シールの接触面から後方に延在する側壁を含み、鼻下支持体の主側方部分は、鼻シールの対向する側壁部分に一体的にまたは動かないように接続される。
【００１５】
ある実施形態において、鼻下支持体は、鼻シールの上唇領域で主側方部分から鼻シールに向かって延在し、かつ鼻シールに接続する１つまたは複数の延長部分をさらに含む。
【００１６】
ある実施形態において、１つまたは複数の延長部分は、少なくとも鼻シールの接触面のエッジから離されているかまたは変位された鼻シールの上唇領域における位置で鼻シールの上唇領域に接続する。
【００１７】
ある実施形態において、鼻下支持体の１つまたは複数の延長部分は、鼻シールの上唇領域で接触面のエッジに接続される。
【００１８】
ある実施形態において、鼻下支持体は、ユーザの鼻の鼻下表面の鼻中隔の柱の少なくとも一部と接触するように主に構成される接触面を有する中央延長部分を含む。
【００１９】
ある実施形態において、鼻下支持体は、左および右側延長部分であって、鼻シールの両側に延在し、かつユーザの鼻の鼻下表面のそれぞれの左および右翼状リムの少なくとも一部に主に接触するように構成される接触面を含む左および右側延長部分を含む。
【００２０】
ある実施形態において、鼻下支持体に沿った任意の位置において、鼻下支持体は、その接触面に対して横断方向において、その位置での接触面の対応する幅よりも実質的に薄い。
【００２１】
ある実施形態において、可撓性鼻シールは、シリコーンで形成される。
【００２２】
ある実施形態において、シールハウジングは、剛性であり、かつプラスチックから形成される。
【００２３】
ある実施形態において、鼻シールは、シールハウジングに取り外し可能に接続可能である。
【００２４】
ある実施形態において、鼻シールの外側は、鼻シールをシールハウジングに接続するために、シールハウジングの優遇周辺リッジを受けるように構成される周辺チャネルを含む。
【００２５】
ある実施形態において、鼻シールの外側の周辺エッジは、優遇剛性クリップにオーバーモールドされ、剛性クリップは、シールハウジングに接続可能である。
【００２６】
ある実施形態において、鼻シールは、シールハウジングに永続的または半永続的に結合される。
【００２７】
ある実施形態において、鼻シールの外側の周辺エッジは、シールハウジングの優遇形状の開口エッジにオーバーモールドされる。
【００２８】
別の態様において、本発明は、広義には、鼻マスクまたはインターフェイスのための鼻シールであって、可撓性材料で形成され、かつ顔に接触する側と外側との間に延在し、鼻受入開口を画定するエッジを含み、かつユーザの鼻の周りを密封するように構成される接触面と、鼻下支持体であって、シール内に動かないように接続され、かつ鼻受入開口の後方に延在するように構成され、かつユーザの鼻下表面の少なくとも一部に接触するように方向付けられる接触面を有する鼻下支持体とを含む鼻シールに関する。
【００２９】
別の態様において、本発明は、広義には、鼻マスクインターフェイス組立体であって、シールハウジングと、マスク空洞を画定するためにシールハウジングに接続されるかまたは接続可能な可撓性鼻シールであって、顔に接触する側と外側との間に延在し、かつマスク空洞内への鼻受入開口を画定するエッジを含み、かつユーザの鼻の周りを密封するように構成される接触面と、鼻下支持体であって、鼻シールに動かないように接続され、かつマスク空洞内で延在するように構成され、かつユーザの鼻下表面の少なくとも一部に接触するように方向付けられる接触面を有する鼻下支持体とを含む可撓性鼻シールと、ユーザの耳の上に延在するように構成され、かつシールハウジングに接続する単一の左および右側ストラップを含むヘッドギアとを含む鼻マスクインターフェイス組立体に関する。
【００３０】
ある実施形態において、左および右側ストラップは、シールハウジングのそれぞれの側でまたはシールハウジングのそれぞれの側に向かってそれぞれの取付位置に接続する。
【００３１】
別の態様において、本発明は、広義には、鼻マスクインターフェイス組立体であって、シールハウジングと、マスク空洞を画定するためにシールハウジングに接続されるかまたは接続可能な可撓性鼻シールであって、顔に接触する側と外側との間に延在し、かつマスク空洞内への鼻受入開口を画定するエッジを含み、かつユーザの鼻の周りを密封するように構成される接触面と、鼻下支持体であって、鼻シール内へ動かないように接続され、かつマスク空洞内で延在するように構成され、かつユーザの鼻下表面の少なくとも一部に接触するように方向付けられる接触面を有する鼻下支持体とを含む可撓性鼻シールとを含む鼻マスクインターフェイス組立体に関する。
【００３２】
ある実施形態において、シールハウジングは、可撓性鼻シールに比べて剛性である。
【００３３】
ある実施形態において、接触面は、ユーザの鼻梁におけるまたはユーザの鼻梁の基端側の一部にわたるところを含めてユーザの鼻の周りを密封する。
【００３４】
ある実施形態において、接触面は、ユーザの鼻の先端とユーザの鼻梁の中心との間に延在する領域における鼻梁の一部にわたるところを含めてユーザの鼻の周りを密封する。
【００３５】
ある実施形態において、鼻下支持体は、少なくとも、鼻シール内の対向する側または上側方領域の接続位置間でマスク空洞内において鼻シールにわたって側方に延在する。
【００３６】
ある実施形態において、鼻シール内の対向する側または上側方領域の接続位置は、鼻シールの接触面のエッジから離されているかまたは変位されている。
【００３７】
ある実施形態において、鼻シール内の対向する側または上側方領域の接続位置は、鼻シールの接触面から変位されている。
【００３８】
ある実施形態において、鼻下支持体は、マスク空洞内から延在し、かつ鼻シールの上唇領域において鼻シールの接触面のエッジに接続する１つまたは複数の延長または接続部分を含む。
【００３９】
ある実施形態において、鼻下支持体は、少なくとも、主側方部分であって、鼻シール内の対向する側または上側方領域の接続位置間でマスク空洞の少なくとも一部にわたって側方に延在する２つの端部を備えた主側方部分を含む。
【００４０】
ある実施形態において、鼻下支持体は、鼻シールの上唇領域で主側方部分から鼻シールに向かって延在し、かつ鼻シールに接続する１つまたは複数の延長または接続部分をさらに含む。
【００４１】
ある実施形態において、鼻下支持体は、主側方部分と鼻シールの上唇領域における接触面のエッジの一部との間に延在する中央接続部分をさらに含む。
【００４２】
ある実施形態において、鼻下支持体の中央接続部分は、接触面であって、ユーザの鼻の鼻下表面の鼻中隔の柱の少なくとも一部と接触するように主に構成される接触面を有する。
【００４３】
ある実施形態において、鼻下支持体の中央接続部分は、主側方部分に接続する端部でのより厚い領域、および接触面のエッジに接続する端部でのまたは接触面のエッジに接続する端部に向かうより薄い領域からその長さにわたって厚さが変化する。
【００４４】
ある実施形態において、鼻下支持体の中央接続部分は、その端部での幅に比べて幅が減少した中央領域を含む。
【００４５】
ある実施形態において、中央接続部分の幅は、中央接続部分が実質的に砂時計の形状またはプロファイルであるようにその長さに沿って次第に変化する。
【００４６】
ある実施形態において、鼻下支持体の主側方部分は、その端部において、少なくとも鼻シールの接触面のエッジから離されているかまたは変位された接続位置で鼻シール内に一体的に接続される。
【００４７】
ある実施形態において、鼻シールは、鼻シールの接触面から鼻シールの外側へ後方に延在する側壁を含み、鼻下支持体の主側方部分は、その端部において、少なくとも鼻シール内の対向する側壁部分に一体的にまたは動かないように接続される。
【００４８】
ある実施形態において、鼻下支持体の主側方部分は、各端部において、鼻シールの内面に一体的にまたは動かないように直接接続される。
【００４９】
ある実施形態において、鼻下支持体の主側方部分は、各端部において、鼻シールの内面から延在するそれぞれのリブを介して間接的に鼻シールの内面に一体的にまたは動かないように接続される。
【００５０】
ある実施形態において、各リブは、鼻シールの内面の一部に接続される第１接続エッジ部分と、第２接続エッジ部分であって、鼻下支持体の主側方部分のそれぞれの端部にその周辺エッジの別の部分において接続される第２接続エッジ部分とを有する可撓性材料のパネルを含む。
【００５１】
ある実施形態において、各リブの第１接続エッジ部分は、顔に接触する側に向かって位置し、かつ接触面を含む鼻シールのより薄い前部領域と、鼻シールの外側に向かって位置する鼻シールのより厚い後部領域との間に延在する鼻シールの内面の一部に接続される。
【００５２】
ある実施形態において、各リブの第１接続エッジ部分は、接触面のエッジの周辺部の周りに位置する鼻シールの前部領域の薄くなったエッジ領域でまたはそれに向かって終端し、エッジ領域は、前部領域の残りの部分よりも薄い。
【００５３】
ある実施形態において、各リブは、鼻シールの接触面にかけられた圧縮下でリブ特徴部が曲がるかまたは屈曲することを可能にする座屈軸またはゾーンを備えて成形または構成される。
【００５４】
ある実施形態において、各リブのゾーンの座屈軸は、リブの凹状領域またはゾーンによって形成される。
【００５５】
ある実施形態において、各リブは、鼻シール内で実質的に垂直の向きを有する。
【００５６】
ある実施形態において、リブは、鼻シールの鼻梁領域の各側から１つずつ、鼻シールの内面のそれぞれの上側方領域から延在する。
【００５７】
ある実施形態において、鼻シールは、鼻シールの領域にわたって様々な厚さを有する材料で形成され、鼻シールは、中間境界から鼻シールの顔に接触する側に向かって延在し、かつ接触面を含む前部領域と、中間境界から鼻シールの外側に向かって延在する後部領域とによって画定され、後部領域は、平均して前部領域より厚い。
【００５８】
ある実施形態において、前部領域は、接触面のエッジの周辺部の周りに延在する薄くなったエッジ領域を含み、薄くなったエッジ領域は、前部領域の残りの部分より薄い。
【００５９】
ある実施形態において、鼻下支持体の少なくとも中央部分の接触面は、鼻シールの接触面の中央領域における最外上および下接点間で接線方向に延在する密封軸に対してある角度で方向付けられている。
【００６０】
ある実施形態において、鼻下支持体の中央部分の接触面は、密封軸に対しておよそ４０°〜およそ８０°の範囲の角度で方向付けられている。
【００６１】
ある実施形態において、鼻下支持体の中央部分の接触面は、密封軸に対しておよそ５５°〜およそ６５°の範囲の角度で方向付けられている。
【００６２】
ある実施形態において、一緒に組み立てられたときのシールハウジングおよび鼻シールの全高対全奥行の比は、およそ１：０．８〜およそ１：１．２の範囲である。
【００６３】
ある実施形態において、一緒に組み立てられたときのシールハウジングおよび鼻シールの全高対全奥行の比は、およそ１：１である。
【００６４】
ある実施形態において、一緒に組み立てられたときのシールハウジングおよび鼻シールの全高対全奥行対全横幅の比は、およそ１：０．８：１〜およそ１：１．２：１．４の範囲である。
【００６５】
ある実施形態において、一緒に組み立てられたときのシールハウジングおよび鼻シールの全高対全奥行対全横幅の比は、およそ１：１：１．２である。
【００６６】
ある実施形態において、組立体は、シールハウジングに接続されるかまたは接続可能なヨークと、ヨークに接続されるかまたは接続可能なヘッドギアと、気体供給導管への接続のためのシールハウジングにおける吸気開口とをさらに含む。
【００６７】
ある実施形態において、シールハウジングは、ヨークを解放可能に受け入れかつ保持するように構成されている、シールハウジングの外面にわたって側方に延在するヨークチャネルを含む。
【００６８】
ある実施形態において、ヨークは、その端部間でその長さに沿って曲がっており、ヨークチャネルとの凹状内部係合面と凸状外面とを有する。
【００６９】
ある実施形態において、ヘッドギアは、少なくとも側部ストラップの対を含み、側部ストラップの対の各々は、ユーザの顔の側部または頬に沿っておよびユーザの耳の上に延在し、各側部ストラップは、ヨークのそれぞれの端部から接続または延在する。
【００７０】
ある実施形態において、ヨークの中央部分は、シールハウジングのヨークチャネルに受け入れられ、中央部分の両側のヨークの側方部分は、鼻シールの側部から離れるように外向きに延在する。
【００７１】
ある実施形態において、ヨークの側方部分は、ヨークの中央部分に比べて高さおよび／または幅がより厚い。
【００７２】
ある実施形態において、ヘッドギアは、自動調整ヘッドギアであり、ヨークは、自動調整ヘッドギアの側部ストラップから延在するコア要素と相互作用する１つまたは複数の方向性ロックを含む。
【００７３】
ある実施形態において、シールハウジングの吸気開口に解放可能に受け入れられかつ保持される導管フレームであって、気体供給導管の端部に接続されるかまたは接続可能な導管フレームである。
【００７４】
ある実施形態において、導管フレームは、卵形の形状である中空本体であり、導管フレームは、１８０度離れている２つの向きのいずれかにおいて、シールハウジングの吸気開口に解放可能に受け入れられかつ保持され得るように対称的である。
【００７５】
ある実施形態において、鼻下支持体に沿った任意の位置において、鼻下支持体は、その接触面に対して横断方向において、その位置での接触面の対応する幅よりも実質的に薄い。
【００７６】
ある実施形態において、可撓性鼻シールは、シリコーンで形成される。
【００７７】
ある実施形態において、シールハウジングは、剛性であり、かつプラスチックから形成される。
【００７８】
ある実施形態において、鼻シールは、シールハウジングに取り外し可能に接続可能である。
【００７９】
ある実施形態において、鼻シールの外側は、鼻シールをシールハウジングに接続するためにシールハウジングの優遇周辺リッジを受け入れるように構成される周辺チャネルを含む。
【００８０】
ある実施形態において、鼻シールの外側の周辺エッジは、優遇剛性クリップにオーバーモールドされ、剛性クリップは、シールハウジングに接続可能である。
【００８１】
ある実施形態において、鼻シールは、シールハウジングに永続的または半永続的に結合される。
【００８２】
ある実施形態において、鼻シールの外側の周辺エッジは、シールハウジングの優遇形状の接続エッジに固定される。
【００８３】
ある実施形態において、鼻シールの外側の周辺エッジは、シールハウジングの優遇形状の開口エッジにオーバーモールドされる。
【００８４】
別の態様において、本発明は、広義には、鼻マスクまたはインターフェイスのための鼻シールであって、可撓性材料で形成され、かつ顔に接触する側と外側との間に延在し、鼻受入開口を画定するエッジを含み、かつユーザの鼻の周りを密封するように構成される接触面と、鼻下支持体であって、シール内に動かないように接続され、かつ鼻受入開口の後方に位置し、かつユーザの鼻下表面の少なくとも一部に接触するように方向付けられる接触面を有する鼻下支持体とを含む鼻シールに関する。
【００８５】
別の態様において、本発明は、広義には、鼻マスクインターフェイス組立体であって、シールハウジングと、マスク空洞を画定するためにシールハウジングに接続されるかまたは接続可能な可撓性鼻シールであって、顔に接触する側と外側との間に延在し、かつマスク空洞内への鼻受入開口を画定するエッジを含み、かつユーザの鼻の周りを密封するように構成される接触面と、鼻下支持体であって、鼻シール内に動かないように接続され、かつマスク空洞内で延在するように構成され、かつユーザの鼻下表面の少なくとも一部に接触するように方向付けられる接触面を有する鼻下支持体とを含む可撓性鼻シールと、ユーザの耳の上に延在するように構成され、かつシールハウジングに接続する単一の左および右側ストラップを含むヘッドギアとを含む鼻マスクインターフェイス組立体に関する。
【００８６】
ある実施形態において、左および右側ストラップは、シールハウジングのそれぞれの側でまたはシールハウジングのそれぞれの側に向かってそれぞれの取付位置に接続する。
【００８７】
別の態様において、本発明は、広義には、鼻マスクまたはインターフェイスのための鼻シールであって、可撓性材料で形成され、かつ顔に接触する側と外側との間に延在し、鼻受入開口を画定するエッジを含み、かつユーザの鼻の周りを密封するように構成される接触面と、鼻シール内で延在するように動かないように接続された鼻下支持体とを含む鼻シールに関する。
【００８８】
ある実施形態において、鼻下支持体は、少なくとも、鼻シール内の対向する側または上側方領域の接続位置間でマスク空洞内において鼻シールにわたって側方に延在する。
【００８９】
ある実施形態において、鼻下支持体は、マスク空洞内から延在し、かつ鼻シールの上唇領域において鼻シールの接触面のエッジに接続する１つまたは複数の延長または接続部分を含む。
【００９０】
ある実施形態において、鼻下支持体の少なくとも中央部分の接触面は、鼻シールの接触面の中央領域における最外上および下接点間で接線方向に延在する密封軸に対してある角度で方向付けられている。
【００９１】
ある実施形態において、鼻下支持体の中央部分の接触面は、密封軸に対しておよそ４０°〜およそ８０°の範囲の角度で方向付けられている。
【００９２】
ある実施形態において、鼻シールは、顔に接触する側の接触面と、側壁部分であって、接触面から鼻シールの外側へ後方に延在し、かつ優遇シールハウジングへの結合のためのまたは優遇シールハウジングに接続された開口または接続エッジにおいて終端する側壁部分とによって画定される。
【００９３】
別の態様において、本発明は、広義には、鼻マスクインターフェイス組立体であって、シールハウジングであって、マスク空洞を画定するためにシールハウジングに接続されるかまたは接続可能な可撓性鼻シールであって、顔に接触する側と外側との間に延在し、かつマスク空洞内への鼻受入開口を画定するエッジを含み、かつユーザの鼻の周りを密封するように構成される接触面を含む可撓性鼻シールと、シールハウジングにおける偏流通気穴の配置構成であって、シールハウジングの上部領域にわたって側方に延在する偏流通気穴の少なくとも１つの上配列と、シールハウジングの側部の下方部分に延在する偏流通気穴の少なくとも１つの側方配列とを含む偏流通気穴の配置構成とを含むシールハウジングを含む鼻マスクインターフェイス組立体に関する。
【００９４】
ある実施形態において、偏流通気穴の各配列は、ハウジング内に延在する離間された孔または穴の直線配列である。
【００９５】
別の態様において、本発明は、広義には、鼻マスクインターフェイス組立体であって、吸気開口を含むシールハウジングと、マスク空洞を画定するためにシールハウジングに接続されるかまたは接続可能な可撓性鼻シールであって、顔に接触する側と外側との間に延在し、かつマスク空洞内への鼻受入開口を画定するエッジを含み、かつユーザの鼻の周りを密封するように構成される接触面を含む可撓性鼻シールと、シールハウジングの吸気開口に解放可能に受け入れられかつ保持される導管フレームであって、気体供給導管の端部に接続されるかまたは接続可能であり、１８０度離れている２つの向きのいずれかにおいて、シールハウジングの吸気開口に解放可能に受け入れられかつ保持され得るように対称的である導管フレームとを含む鼻マスクインターフェイス組立体に関する。
【００９６】
ある実施形態において、導管フレームは、卵形の形状である中空本体である。
【００９７】
別の態様において、本発明は、広義には、鼻マスクまたはインターフェイスのための鼻シールであって、可撓性材料で形成され、かつ顔に接触する側と外側との間に延在し、鼻受入開口を画定するエッジを含み、かつユーザの鼻の周りを密封するように構成される接触面を含み、鼻シールの全高対全横幅の比は、およそ１：１〜およそ１：１．４の範囲である、鼻シールに関する。
【００９８】
ある実施形態において、鼻シールの全高対全横幅の比は、およそ１：１．２である。
【００９９】
ある実施形態において、鼻シールの全高対全横幅対全奥行の比は、およそ１：１：０．６〜およそ１：１．４：１の範囲である。
【０１００】
ある実施形態において、鼻シールの全高対全横幅対全奥行の比は、およそ１：１．２：０．８である。
【０１０１】
上記の本発明の各態様は、上記の本発明の他の態様の任意の１つまたは複数について言及された任意の１つまたは複数の特徴を有し得る。
【０１０２】
本明細書および特許請求の範囲で使用される「含んでいる」という用語は、「から少なくとも部分的になる」という意味である。「含んでいる」という用語を含む、本明細書および特許請求の範囲における各記載を解釈する場合、その用語が付された１つまたは複数の特徴以外の特徴も存在し得る。関連する用語、例えば「含む（ｃｏｍｐｒｉｓｅ）」および「含む（ｃｏｍｐｒｉｓｅｓ）」は、同様に解釈されるものとする。
【０１０３】
数の範囲
本明細書において開示される数の範囲（例えば、１〜１０）への言及は、その範囲内の全ての有理数（例えば、１、１．１、２、３、３．９、４、５、６、６．５、７、８、９および１０）、ならびまたその範囲内の有理数の任意の範囲（例えば、２〜８、１．５〜５．５および３．１〜４．７）への言及を包含することも意図されており、したがって、本発明において明確に開示される全範囲の全ての小範囲がここで明示的に開示される。これらは、具体的に意図されたものの例に過ぎず、最低値と最高値との間の列挙された数値の全ての可能な組合せは、本出願において同様に明確に述べられているとみなされる。
【０１０４】
本明細書で使用される際、「および／または」という用語は、「および」もしくは「または」または両方を意味する。
【０１０５】
本明細書で使用される際、名詞に続く「（ｓ）」は、その名詞の複数および／または単数形を意味する。
【０１０６】
本発明は、上記を含み、かつ以下で例のみが与えられる構造物も想定する。
【０１０７】
本発明の好ましい実施形態は、一例としてのみ、および以下の図面を参照して説明される。
【図面の簡単な説明】
【０１０８】
【図１】例えば持続気道陽圧（ＣＰＡＰ）システムで加熱および加湿された気体流をユーザに提供するためのシステムの概略図である。
【図２Ａ】耳上ヘッドギア構成でユーザの頭部に固定された鼻マスクインターフェイスの概略図である。
【図２Ｂ】使用中に鼻マスクインターフェイスが受ける力に関する力ダイアグラムを示す。
【図３】ユーザの鼻の鼻下面の鼻の生体構造の概略図である。
【図４】第１実施形態の第１形態による、鼻マスクインターフェイスまたは組立体の前または顔に接触する側（または着用者側）の図であり、鼻下支持構成を備えた鼻シールを組立体の中央延長部、シールハウジング、およびヘッドギアフレームとともに示す。
【図５】第１実施形態の鼻マスクインターフェイスの背面または外側図である。
【図６】第１実施形態の鼻マスクインターフェイスの上方前側斜視図である。
【図７】第１実施形態の鼻マスクインターフェイスの下方前側斜視図である。
【図８】第１実施形態の鼻マスクインターフェイスの下面図である。
【図９】第１実施形態の鼻マスクインターフェイスの上面図である。
【図１０】第１実施形態の鼻マスクインターフェイスの側面図である。
【図１１】第１実施形態の鼻マスクインターフェイスのシールハウジングおよびヘッドギアフレームの外側底部斜視図である。
【図１２】第１実施形態の鼻マスクインターフェイスのシールハウジングおよびヘッドギアフレームの着用者側上方斜視図である。
【図１３】第１実施形態の鼻マスクインターフェイスの鼻シールの顔に接触する側（または着用者側）からの正面図である。
【図１４】第１実施形態の鼻シールの外側からの背面図である。
【図１５】第１実施形態の鼻シールの上面図である。
【図１６】第１実施形態の鼻シールの下面図である
【図１７】第１実施形態の鼻シールの外側からの第１背面下側斜視図である。
【図１８】第１実施形態の鼻シールの外側からの第２背面上方斜視図である。
【図１９】第１実施形態の鼻シールの顔に接触する側からの第１上方斜視図である。
【図２０】第１実施形態の鼻シールの顔に接触する側からの第２下側斜視図である。
【図２１】第１実施形態の鼻シールの側面図である。
【図２２】図１３の中央線Ａ−Ａを通る第１実施形態の鼻シールの断面図である。
【図２３】第１実施形態の鼻シールの第２形態の顔に接触する側からの正面斜視図であり、鼻下支持構成は、鼻シールの顔に接触する面のエッジから完全に分離されているかまたは離されている。
【図２４】左および右側延長部分を備えた鼻下支持構成を有する第２実施形態の鼻シールの第１形態の、顔に接触する側からの正面図である
【図２５】第２実施形態の鼻シールの外側からの背面図である。
【図２６】第２実施形態の鼻シールの側面図である。
【図２７】第２実施形態の鼻シールの外側からの斜視図である。
【図２８】第２実施形態の鼻シールの外側からの背面斜視図である。
【図２９】第２実施形態の鼻シールの第２形態の正面斜視図であり、鼻シールの顔に接触する面のエッジから完全に分離されているかまたは離されている鼻下支持構成である。
【図３０】「浮揚性」鼻下支持構成を有する第３実施形態の鼻シールの正面図である。
【図３１】第３実施形態の鼻シールの外側からの背面図である。
【図３２】第３実施形態の鼻シールの側面図である。
【図３３】第３実施形態の鼻シールの顔に接触する側からの正面斜視図である。
【図３４】第３実施形態の鼻シールの外側からの背面斜視図である。
【図３５】第４実施形態による鼻マスク組立体の側面図であり、着用者での使用において示されている。
【図３６】第４実施形態の鼻マスク組立体の斜視図であり、特に鼻シール、シールハウジング、ヨーク、および導管フレームを含む鼻マスクインターフェイスを示し、鼻マスクインターフェイスは、ヘッドギアおよび可撓性気体供給導管に接続されている。
【図３７】鼻シール、シールハウジング、ヨーク、および導管フレームを示す、第４実施形態の鼻マスクインターフェイスの外側からの上方斜視図である。
【図３８】第４実施形態の鼻マスクインターフェイスの正面または顔に接触する側からの上方斜視図である。
【図３９】第４実施形態の鼻マスクインターフェイスの上斜視分解図を示す。
【図４０】第４実施形態の鼻マスクインターフェイスの下斜視分解図を示す。
【図４１】第４実施形態の鼻マスクインターフェイスの背面または外側図を示す。
【図４２】第４実施形態の鼻マスクインターフェイスの側面図である。
【図４３】第４実施形態の鼻マスクインターフェイスの正面または顔に接触する側の図である。
【図４４】第４実施形態の鼻マスクインターフェイスの上面図である。
【図４５】第４実施形態の鼻マスクインターフェイスの下面図である。
【図４６】図４１に示された中央線ＡＡを通る第４実施形態の鼻マスクインターフェイスの断面図である。
【図４７】第４実施形態の鼻マスクインターフェイスの鼻シールの正面または顔に接触する側の図である。
【図４８】第４実施形態の鼻マスクインターフェイスの鼻シールの背面図である。
【図４９】鼻シールの第４実施形態の鼻マスクインターフェイスの外側からの下側斜視図である。
【図５０】鼻シールの第４実施形態の鼻マスクインターフェイスの外側からの上方斜視図である。
【図５１】第４実施形態の鼻マスクインターフェイスの鼻シールの側面図である。
【図５２】第４実施形態の鼻マスクインターフェイスの鼻シールの上面図である。
【図５３】第４実施形態の鼻マスクインターフェイスの鼻シールの下面図である。
【図５４】図５２の線ＡＢを通る第４実施形態の鼻マスクインターフェイスの鼻シールの断面図である。
【図５５】図４７の線ＡＣを通る第４実施形態の鼻マスクインターフェイスの鼻シールの斜視断面図である。
【図５６】図４７の線ＡＣを通る第４実施形態の鼻マスクインターフェイスの鼻シールの断面図である。
【図５７】図４７の線ＡＧを通る第４実施形態の鼻マスクインターフェイスの鼻シールの断面図である。
【図５８】図５６の領域ＡＤの詳細図であり、特に第４実施形態の鼻マスクインターフェイスの鼻シールの鼻下支持体の一部の角度寸法プロファイルを示す。
【図５９】小〜中サイズの密封構成のために構成される第４実施形態の鼻マスクインターフェイスの鼻下支持体の背面詳細図であり、特に鼻下支持体の中央部分の曲率半径を示す。
【図６０】中〜大サイズの密封構成のために構成される第４実施形態の鼻マスクインターフェイスの鼻下支持体の背面詳細図であり、特に鼻下支持体の中央部分の曲率半径を示す。
【図６１】第４実施形態の鼻マスクインターフェイスの鼻下支持体の別の形態の背面詳細図を示し、鼻下支持体は、修正された代替的な略四角の形状を有する。
【図６２】第４実施形態の鼻マスクインターフェイスの鼻シールの鼻下支持体の中央領域の詳細上方斜視図を示し、特に小〜中サイズの密封構成のための鼻下支持体の一部の幅寸法を識別する。
【図６３】第４実施形態の鼻マスクインターフェイスの鼻シールの鼻下支持体の中央領域の詳細上方斜視図を示し、特に中〜大サイズの密封構成のための鼻下支持体の一部の幅寸法を識別する。
【図６４】第４実施形態の鼻マスクインターフェイスの鼻シールの鼻下支持体の中央接続部分の一部の詳細断面図、特に小〜中サイズの密封構成のための中央接続部分の角度寸法を示す。
【図６５】第４実施形態の鼻マスクインターフェイスの鼻シールの鼻下支持体の中央接続部分の一部の詳細断面図、特に中〜大サイズの密封構成のための中央接続部分の角度寸法を示す。
【図６６】第４実施形態の鼻マスクインターフェイスの鼻シールの鼻梁領域の詳細上側図、特に小〜中サイズの密封構成のための接触面の谷部領域を示す。
【図６７】第４実施形態の鼻マスクインターフェイスの鼻シールの鼻梁領域の詳細上側図、特に中〜大サイズの密封構成のための接触面の谷部領域を示す。
【図６８】第４実施形態の鼻マスクインターフェイスのシールハウジングの外側からの上方斜視図である。
【図６９】第４実施形態の鼻マスクインターフェイスのシールハウジングの着用者側からの下側斜視図である。
【図７０】第４実施形態の鼻マスクインターフェイスのシールハウジングの外側の背面図である。
【図７１】第４実施形態の鼻マスクインターフェイスのシールハウジングの着用者側の正面図である。
【図７２】第４実施形態の鼻マスクインターフェイスのシールハウジングの側面図である。
【図７３】第４実施形態の鼻マスクインターフェイスのシールハウジングの上面図である。
【図７４】第４実施形態の鼻マスクインターフェイスのシールハウジング底部または下面図である。
【図７５】第４実施形態の鼻マスクインターフェイスの導管フレームの導管接続端部からの上方斜視図である。
【図７６】第４実施形態の鼻マスクインターフェイスの導管フレームのシールハウジング接続端部からの上方斜視図である。
【図７７】第４実施形態の鼻マスクインターフェイスの導管フレームの上面図である。
【図７８】第４実施形態の鼻マスクインターフェイスの導管フレームの側面図である。
【図７９】図７７の線ＡＬを通る第４実施形態の鼻マスクインターフェイスの導管フレームの断面図である。
【図８０】導管フレームの導管接続端部からの第４実施形態の鼻マスクインターフェイスの導管フレームの端面図である。
【図８１】導管フレームのシールハウジング接続端部からの第４実施形態の鼻マスクインターフェイスの導管フレームの端面図である。
【図８２】外側からの第４実施形態の鼻マスクインターフェイスのヨークの上方斜視図である。
【図８３】第４実施形態の鼻マスクインターフェイスのヨークの頂部分解図である。
【図８４】第４実施形態の鼻マスクインターフェイスのヨークの上面図である。
【図８５】第４実施形態の鼻マスクインターフェイスのヨークの下面図である。
【図８６】外側からの第４実施形態の鼻マスクインターフェイスのヨークの正面図である。
【図８７】第４実施形態の鼻マスクインターフェイスのヨークの側面図である。
【図８８】第４実施形態の鼻マスクインターフェイスのヨークの部分分解正面図であり、特に分離されたヨークの端部キャップを示す。
【図８９】第４実施形態の鼻マスクインターフェイスのヨークの別の部分分解正面図であり、特にヨークバックに接続されたヨークの端部キャップを示す。
【図９０】第４実施形態の鼻マスクインターフェイスのヨーク組立体のヨークフロントの背面または内面側面図である。
【図９１】第４実施形態の鼻マスクインターフェイスのヨーク組立体のヨークフロントの背面または内面側面図であり、自動的に調整可能なヘッドギア組立体の方向性ロックおよびフィラメントを示す。
【図９２】第４実施形態の鼻マスクインターフェイスによるヘッドギア調整機構のコンポーネントを示すヨーク組立体の代替的構成の部分断面図である。
【図９３】端部キャップを第４実施形態の鼻マスクインターフェイスのヨークの端部に結合する方法を示す。
【図９４】組み立てられた図９３の端部キャップおよびヨークの部分背面斜視図である。
【図９５】第４実施形態の鼻マスクインターフェイスのヨークのヨーク端部の端面図である。
【図９６】図９５のヨーク端部の上面図である。
【図９７】図９５における線ＡＫに沿った、ヨーク端部に結合された端部キャップの断面図である。
【図９８】図９７の端部キャップの断面図である。
【図９９】第４実施形態の鼻マスクインターフェイスのヨークの方向性ロックの断面図であり、ロックは、ロックされた位置において示されている。
【図１００】ロックされた位置にある図９９の方向性ロックの斜視断面図である。
【図１０１】ロック解除された位置にある図９９の方向性ロックの断面図である。
【図１０２】ロック解除された位置にある図９９の方向性ロックの斜視断面図である。
【図１０３】鼻シールと、一体化導管コネクタを備えた鼻シールハウジングと、ヨークとを含む、第５実施形態の鼻マスクインターフェイスの第１形態の外側の斜視図である。
【図１０４】正面または顔に接触する側からの、図１０３の第１形態の鼻マスクインターフェイスの上方斜視図である。
【図１０５】図１０３の第１形態の鼻マスクインターフェイスの外面図である。
【図１０６】図１０３の第１形態の鼻マスクインターフェイスの側面図である。
【図１０７】ヨークなしの、図１０６の第１形態の鼻マスクインターフェイスの側面図である。
【図１０８】図１０７に示された第１形態の鼻マスクインターフェイスの外面斜視図である。
【図１０９】図１０３の第１形態の鼻マスクインターフェイスのシールハウジングの外面図である。
【図１１０】図１０９のシールハウジングの着用者側の図である。
【図１１１】図１０３の第１形態の鼻マスクインターフェイスの鼻シールの正面または顔に接触する側の図である。
【図１１２】図１１１の鼻シールの背面または外側図である。
【図１１３】図１１１の鼻シールの側面図である。
【図１１４】図１０５の線ＢＢを通る、図１０３の第１形態の鼻マスクインターフェイスの断面図である
【図１１５】図１０３の第１形態の鼻マスクインターフェイスのヨークの、着用者側斜視図を示す。
【図１１６】図１０３の第１形態の鼻マスクインターフェイスのヨークの、正面外面図を示す。
【図１１７】図１０３の第１形態の鼻マスクインターフェイスのヨークの、上面図を示す。
【図１１８】第５実施形態の鼻マスクインターフェイスの第２形態の外側の斜視図である。
【図１１９】図１１８の第２形態の鼻マスクインターフェイスの側面図である。
【図１２０】図１１８の第２形態の鼻マスクインターフェイスの外面図である。
【図１２１】図１１８の第２形態の鼻マスクインターフェイスの正面または顔に接触する側の図である。
【図１２２】図１１８の第２形態の鼻マスクインターフェイスのシールハウジングの外面図である。
【図１２３】図１１８の第２形態の鼻マスクインターフェイスのシールハウジングの側面図である。
【図１２４】図１１８の第２形態の鼻マスクインターフェイスのヨークの正面斜視図を示す。
【図１２５】図１１８の第２形態の鼻マスクインターフェイスのヨークの外面図を示す。
【図１２６】図１１８の第２形態の鼻マスクインターフェイスのヨークの上面図を示す。
【図１２７】図１２０の線ＢＣを通る、図１１８の第２形態の鼻マスクインターフェイスの断面図である。
【図１２８】図１２７の領域ＢＤの詳細断面図である。
【図１２９】第５実施形態の鼻マスクインターフェイスの第３形態の外面斜視図である。
【図１３０】図１２９の第３形態の鼻マスクインターフェイスの側面図である。
【図１３１】図１２９の第３形態の鼻マスクインターフェイスの外面図である。
【図１３２】図１２９の第３形態の鼻マスクインターフェイスの正面または顔に接触する側の図である。
【図１３３】図１２９の第３形態の鼻マスクインターフェイスのシールハウジングの外面図である。
【図１３４】図１３３のシールハウジングの側面図である。
【図１３５】図１２９の第３形態の鼻マスクインターフェイスの鼻シールの顔に接触する側の図である。
【図１３６】図１３５の鼻シールの外面図である。
【図１３７】図１３５の鼻シールの顔に接触する側の斜視図である。
【図１３８】図１３５の鼻シールの側面図である。
【図１３９】図１３５の線ＢＥを通じた鼻シールの断面図である。
【図１４０】第５実施形態の鼻マスクインターフェイスの第４形態の外面斜視図である。
【図１４１】図１４０の第４形態の鼻マスクインターフェイスの側面図である。
【図１４２】図１４０の第４形態の鼻マスクインターフェイスの外面図である。
【図１４３】図１４０の第４形態の鼻マスクインターフェイスの顔に接触する側の図である。
【図１４４】図１４０の第４形態の鼻マスクインターフェイスのシールハウジングの外面図である。
【図１４５】図１４４のシールハウジングの側面図である。
【図１４６】図１４０の第４形態の鼻マスクインターフェイスの鼻シールの顔に接触する側からの斜視図である。
【図１４７】図１４６の鼻シールの側面図である。
【図１４８】図１４６に示された中央線ＢＦを通じた図１４６の鼻シールの断面図である。
【図１４９】図１４２の線ＢＧを通じた第４形態の鼻マスクインターフェイスの断面図であり、形状および寸法についての比較のために、図１３５の第３形態の鼻マスクインターフェイスの鼻シールの上張りを含む。
【図１５０】鼻マスクインターフェイスの第６実施形態の正面または顔に接触する側の図であり、特にシールハウジングの導管フレームまたは吸気孔の下に位置するヨークを示す。
【図１５１】第６実施形態の鼻マスクインターフェイスの外面図である。
【図１５２】第６実施形態の鼻マスクインターフェイスの側面図である。
【図１５３】第６実施形態の鼻マスクインターフェイスのシールハウジングおよびヨークの外面図である。
【図１５４】鼻マスクインターフェイスのシールハウジングおよびヨークの顔に接触する側の図である。
【図１５５】鼻マスクインターフェイスの第７実施形態の第１形態の鼻シールの顔に接触する側の図であり、鼻シールは、鼻シールの側部から延在する翼状部分を含む。
【図１５６】図１５５の第１形態の鼻シールの外面図である。
【図１５７】図１５５の第１形態の鼻シールの側面図である。
【図１５８】実施形態の鼻マスクインターフェイスの第２形態の鼻シールの外面斜視図であり、特に鼻シールの側部から延在する（第１形態に比べて）より長い翼状部分を示す。
【図１５９】図１５８の第２形態の鼻シールの顔に接触する側の図である。
【図１６０】図１５８の第２形態の鼻シールの外面図である。
【図１６１】図１５８の第２形態の鼻シールの上面図である。
【図１６２】ユーザにより着用されている第２形態の鼻シールを含む第７実施形態の鼻マスクインターフェイスの斜視図である。
【図１６３】鼻マスクインターフェイスの第８実施形態の第１形態の側面図であり、インターフェイスは鼻シールまたはシールハウジングから延在する前額支持体を含む。
【図１６４】図１６３の鼻マスクインターフェイスの第１形態を着用するユーザの斜視図である。
【図１６５】第８実施形態の鼻マスクインターフェイスの第２形態の顔に接触する側の図であり、鼻シールは鼻梁支持突出部を含む
【図１６６】図１６５の第２形態の鼻シールの外面図を示す。
【図１６７】図１６５の第２形態の鼻シールの側面図を示す。
【図１６８】図１６６の線ＥＥを通る、図１６５の第２形態の鼻シールの断面図を示す。
【図１６９】図１６５の第２形態の鼻シールを着用しているユーザの斜視図である。
【図１７０】図１６９の第２形態の鼻シールを着用しているユーザの側面図であり、鼻梁支持突出部とユーザの鼻梁との間の間隙を示す。
【図１７１】第９実施形態の鼻マスクインターフェイスの第１形態の鼻シールの外面図であり、鼻シールは、鼻マスク内に追加的な支持体リブを含む。
【図１７２】図１７１の第１形態の鼻シールの顔に接触する側の図である。
【図１７３】図１７１の線ＦＦを通る、第１形態の鼻シールの断面図である。
【図１７４】鼻シールの図１７３の断面図の斜視図である。
【図１７５】第９実施形態の鼻マスクインターフェイスの第２形態の鼻シールの顔に接触する側の図である。
【図１７６】図１７５の第２形態の鼻マスクの外面図である。
【図１７７】図１７５の第２形態の鼻シールの側面図である。
【図１７８】図１７５の線ＦＧを通る、第２形態の鼻シールの断面図である。
【図１７９】図１７５の第２形態の鼻シールを着用するユーザの斜視図である。
【図１８０】図１７９の第２形態の鼻シールを着用するユーザの側面断面図である。
【図１８１】形状および寸法の比較を示すために、互いに重ねられた図１７１および１７５の第１形態および第２形態の鼻シールの断面図である。
【図１８２】形状および寸法の比較のために互いに重ねられた図１７１および１７５の第１および第２形態の鼻シールの顔に接触する側の図である。
【図１８３】第９実施形態の鼻マスクインターフェイスの第３形態の鼻シールの外面斜視図である。
【図１８４】図１８３の第３形態の鼻シールの外面図である。
【図１８５】図１８３の第３形態の鼻シールの顔に接触する側の図である。
【図１８６】第１０実施形態の鼻マスクインターフェイスのシールハウジングおよび導管フレーム組立体の第１形態の外面斜視図である。
【図１８７】図１８６の第１形態のシールハウジングおよび導管フレーム組立体の分解図である。
【図１８８】図１８６の第１形態の組立体の導管フレームの側面図である。
【図１８９】図１８６の第１形態の組立体の導管フレームの上面図である。
【図１９０】第１０実施形態の鼻マスクインターフェイスの第２形態のシールハウジングおよび導管フレーム組立体の外面斜視図である。
【図１９１】図１９０の第２形態の組立体の分解図である。
【図１９２】図１９０の第２形態の組立体の導管フレームの側面図である。
【図１９３】図１９０の第２形態の組立体の導管フレームの上面図である。
【図１９４】第１０実施形態の鼻マスクインターフェイスの第３形態のシールハウジングおよび導管フレーム組立体の外面斜視図である。
【図１９５】図１９４の第３形態の組立体の分解斜視図である。
【図１９６】図１９４の第３形態の組立体の導管フレームの側面図である。
【図１９７】図１９４の第３形態の組立体の導管フレームの上面図である。
【図１９８】第１０実施形態の鼻マスクインターフェイスの第４形態のシールハウジングおよび導管フレーム組立体の外面斜視図である。
【図１９９】図１９８の第４形態の組立体の分解斜視図である。
【図２００】図１９８の第４形態の組立体の導管フレームの側面図である。
【図２０１】図１９８の第４形態の組立体の導管フレームの上面図である。
【図２０２】第１０実施形態の第５形態の鼻マスクインターフェイスのシールハウジングおよび導管フレーム組立体の外面斜視図である。
【図２０３】図２０２の第５形態の組立体の分解斜視図である。
【図２０４】図２０２の第５形態の組立体の導管フレームの側面図である。
【図２０５】図２０２の第５形態の組立体の導管フレームの上面図である。
【図２０６】第１１実施形態による鼻下支持構成を備えたフルフェイスシールの正面図である。
【発明を実施するための形態】
【０１０９】
システムの概説
図１は、加熱および加湿された空気流を、ユーザが着用しているインターフェイス１１を通じてユーザＵに供給するための持続気道陽圧（ＣＰＡＰ）システム１０の概略図であり、インターフェイス１１は、可撓性導管またはチューブ１２によりＣＰＡＰシステム１０に接続されている。
【０１１０】
加湿室１４は、空気流を加湿するために加湿器１７の加熱器プレート１６と接触している熱伝導性ベースを有する。加湿された空気をユーザインターフェイス１１に運ぶために、導管１２が加湿室１４の排気口１３に接続されている。加湿器１７は、コントローラ１８、例えば、限定するものではないが、例えば関連するメモリに格納されたコンピュータソフトウェア命令を実行するマイクロプロセッサを用いるコントローラを含む。コントローラ１８は、ユーザ入力インターフェイス１９、例えばダイアルまたはタッチスクリーンを含む複数のソースから入力命令を受信し、これは、ユーザＵに供給された加湿された空気の湿気、温度、または他の特徴の所定の値の設定を可能にする。コントローラ１８は、１つまたは複数の他のソース、例えばコントローラ１８と連通するためにコネクタ２２を通じて接続された温度および／もしくは流速センサ２０および２１、ならびに／または加熱器プレート温度センサ２３などから入力を受信することもできる。ユーザ設定の湿気または温度値に応じて、コントローラ１９は、加湿室１４に含まれる水を好適に加熱するために、いつおよび／またはどのレベルで加熱器プレート１６が通電されるべきかを決定する。
【０１１１】
室における水の容積が加熱されると、水蒸気が水の表面より上の室の容積を充填し始める。水蒸気は、吸気口２６を通じて加湿室３０に入る、ブロワ２７などの供給装置２５から提供された空気流とともに加湿室の排気口１３を通って出る。ブロワ２７は、変速ファンであり得、または可変圧力調整器を含み得る。ブロワ２７は、吸気口２８を通じて空気を引き込む。ブロワは、例えば、コントローラ２９またはコントローラ１８により制御され得る。コントローラは、任意の好適な基準に従ってブロワ速度、調節された圧力などを制御し得る。例えば、コントローラは、コントローラ１８からの入力、ならびにユーザインターフェイス３０（例えば、ダイアル）で設定され得る圧力および／またはファン速度のユーザ設定値（例えば、予め設定された値）に応じることができる。
【０１１２】
導管１２は、導管内での加湿された気体の凝縮を減少させるために導管の壁を加熱するために、加熱器、例えば加熱器ワイヤなどを含み得る。
【０１１３】
本開示のシールおよびインターフェイスは、加湿されようとされなかろうと、または代替的に、例えばＶＰＡＰ（可変気道陽圧）システム、ＢｉＰＡＰ（二相性気道陽圧）システムなどの呼吸システムの他の形態において、または人工呼吸器、高流量治療システムとともに、説明されたとおりのこのようなＣＰＡＰシステムにおいて使用され得、本明細書では概してＣＰＡＰ療法を一例としてのみ参照して説明される。
【０１１４】
耳上ヘッドギアを備えた鼻マスクインターフェイス
図２Ａおよび２Ｂを参照すると、ある実施形態による鼻マスクインターフェイス５０を着用したユーザＵが示されている。鼻マスクインターフェイス５０は、シール５１とシールハウジング５３とを含む鼻マスクを含む。インターフェイスは、マスクを着用者に固定するためのヘッドギア５２も含む。典型的には、インターフェイスは、マスクから、例えばＣＰＡＰまたは他の呼吸システムの供給導管１２と一体になっているかまたは接続しているマスクの前または下側の中央接続部からの可撓性供給導管またはチューブ５５も含む。導管５５は、マスクに直接的に、またはコネクタまたは導管フレーム、例えば、限定するものではないが、患者の顔でのマスクの位置に対して導管の経路が患者の睡眠時の体勢に適合し得るようにマスクまたはシールハウジングに対して旋回することができる直線のコネクタまたはスイベルエルボ３４を介して間接的に接続し得る。
【０１１５】
後に説明されるとおり、マスクは、インターフェイスからの気体洗い出しを提供するための、限定されたフロー排気口または通気口（または偏流排気口もしくは通気口）５７を含み得る。排気口５７は、小さい孔の集合の形態であり得る。排気口は、図示のとおりシールハウジング５３、導管コネクタまたはフレーム、例えばエルボもしくは直線のコネクタ、またはインターフェイス上の他の場所に提供され得る。
【０１１６】
この実施形態において、鼻マスクは、ユーザの耳より上に延在するヘッドギア５２によりユーザＵに固定される。一例として、ヘッドギア５２は、側部ストラップ５４であって、取付点５６（一方側のみ見える）で鼻マスクインターフェイス５０の対向する側に接続し、かつユーザの顔の側部または頬に沿ってユーザの耳５８の上に延在し、１つまたは複数の他のストラップまたはストラップ部分に接続する側部ストラップ５４を含む。この実施形態におけるヘッドギア５２はまた、ユーザの頭部または頂部の上に延在する頂部またはクラウンストラップ６０と、バックまたは後部ストラップ６２とを含む。側部ストラップ５４は、当業者により認められるとおり、頂部６０およびバックストラップ６２と一体的に形成されるか、または他の方法で頂部６０およびバックストラップ６２に接続される。一実施形態において、ヘッドギアストラップは、可撓性の通気性材料、例えば、Ｂｒｅａｔｈ−ｏ−Ｐｒｅｎｅ（登録商標）通気性ネオプレン材料またはネオプレン材料などから形成されるかまたはそれらを含む。いくつかの実施形態において、ヘッドギアは、例えば、後に説明されることになる、自動的に調整することができるヘッドギアであり得る。
【０１１７】
側部ストラップ５４が鼻マスクインターフェイス５０でのそれぞれの側部取付点または位置に取り付けられた図示の耳上ヘッドギア５２は、Ｔ部片フレームを有する鼻マスクインターフェイスに接続する上および下側ストラップの対を備えたヘッドギア構成と比べて、快適さの観点から一般に望ましい構成である。図２Ａに示された耳上片側ストラップヘッドギア構成５２は、最大でユーザの前額まで延在するＴ部片フレームを必要とせず、また上および下側ストラップの２つの対であって、予め説明されたとおり、一方の対がユーザの前額のＴ部片フレームの頂部からユーザの耳の上に延在し、他方の対がユーザの耳より下の鼻マスクインターフェイスから延在する、上および下側ストラップの２つの対の必要性をなくす。
【０１１８】
図２Ａおよび２Ｂを参照すると、耳上片側ストラップヘッドギア構成５２が、Ｔ部片フレームに固定されたヘッドギアと比べて快適さの観点で好ましいが、使用時、マスクが陽圧で気体をユーザの鼻に送達しているフロー治療中に鼻マスクインターフェイスに作用する力、鼻マスクがユーザの顔の上にずり上がるか、スライドするか、またはスリップする傾向があり、これは、ユーザの鼻の周りのシーリングの堅牢性に影響を及ぼし得、かつ漏出または漏出経路を生じ得ることが発見された。鼻シールのずり上がりは、ユーザの心をかき乱し不快であり得る。鼻マスクインターフェイスは、各側部ストラップからのユーザの鼻と耳上との間の側部ストラップの一般的な方向に沿ってベクトルＡにより表された実質的に斜めの力と、対抗する実質的に水平な噴出力Ｂであって、使用時、際陽圧気体のフローが着用者に送達されるときに鼻インターフェイスをユーザの鼻および顔から離れるように実質的に水平に押しやる噴出力Ｂとを受けることが発見された。ベクトルＲにより表された実質的に垂直な合力において鼻マスクインターフェイスに作用するヘッドギア力Ａおよび噴出力Ｂの合力Ｒである。
【０１１９】
以下の実施形態を参照して説明されるとおり、本開示の鼻マスクインターフェイスには、ヘッドギア力Ａおよび噴出力Ｂにより生じた合力Ｒに少なくとも部分的に対抗するか、抵抗するか、またはそうでなければそれを和らげる対向する下向きの力Ｄを生成して、それにより使用中にユーザの鼻の上の位置において鼻マスクを安定させ、かつ鼻マスクが、気体送達が開始される前にその当初固定された位置からユーザの顔をスライドまたは他の方法で上がっていく傾向を妨げるために、ユーザの鼻の下で接触または係合するように構成される内部鼻下支持体を有する鼻シールが設けられる。
【０１２０】
図３を参照すると、鼻マスク組立体の鼻下支持体は、マスク着用時にユーザの鼻７０の鼻下表面の少なくとも１つまたは複数の部分に接触するように構成される。ユーザの鼻の鼻下面の生体構造は、鼻孔７４間に延在し、かつベース７６から鼻の先端７８および左および右翼状リム領域８０に鼻孔７４を分割する中隔の中央柱領域７２により概して画定される。柱７２および翼状領域８０は、鼻孔または鼻孔開口７４の周りのユーザの鼻の下側の接触可能な皮膚表面を概して画定する。
【０１２１】
以下の例示的実施形態を参照してさらに詳細に説明されるとおり、鼻マスクインターフェイスの鼻下支持体は、使用時、ユーザの鼻を受けるマスク空洞内で延在するように構成され、接触面であって、ユーザの鼻の鼻下表面の少なくとも一部に接触するが、ユーザの鼻孔を遮ることも完全に遮ることもない接触面を有する。ユーザの鼻のサイズに依存して、鼻下支持体は、最良の場合、ユーザの鼻孔のいかなる障害物もなしに鼻下表面の１つまたは複数の部分に接触し、または最悪の場合、一方または両方の鼻孔を部分的にのみ遮る。
【０１２２】
鼻マスクインターフェイスおよび鼻下支持体を備えたインターフェイスの鼻シールの様々な実施形態が以下で説明される。そのような鼻シールは、様々な異なる鼻インターフェイス組立体およびヘッドギア構成とともに用いられるかまたは使用され得るが、ヘッドギア構成であって、使用時、鼻マスクが、限定するものではないが、図２Ａを参照して説明および図示された耳上ヘッドギアなど、ユーザの顔の上でスライドするかまたはずり上がることを引き起こす、合力である上向き揚力を生じるヘッドギア構成に特に好適であることが理解されよう。
【０１２３】
鼻シールの様々な実施形態が説明され、いくつかの実施形態において、シールハウジング、導管フレーム、ヘッドギアフレームもしくはヨーク、および／またはヘッドギアの任意の１つまたは複数を含む鼻マスクインターフェイス組立体全体を参照して説明される。説明された鼻シールの様々な実施形態は、様々な好適なインターフェイス組立体において互いに交換可能に使用され得ること、ならびに一実施形態との関連において説明されたインターフェイス組立体の例および代替形態は、説明される鼻シールの他の実施形態にも当てはまることが理解されよう。概して、様々な実施形態の様々なコンポーネントは、代替的構成を形成するために互いと置き換えられ得、かつ／または組み合わされ得ることが理解されよう。
【０１２４】
第１実施形態  −  中央延長部または接続部分を有する鼻下支持体を備えた鼻シール
概説
図４〜２２を参照して、鼻シールおよび鼻シールを含む鼻シールインターフェイス組立体の第１実施形態の第１形態がさらに詳細に説明される。第１実施形態の鼻シールの代替的第２形態も図２３を参照して説明される。
【０１２５】
図４〜１０を参照すると、第１実施形態の鼻マスクインターフェイス組立体１００は、当業者により認められるとおり、ユーザの鼻、およびユーザの気道へのその鼻孔（ｎａｒｅｓ）または鼻孔（ｎｏｓｔｒｉｌ）を介した送達の気体の供給を受ける、全体として１０６で示されたマスク空洞を画定するために、剛性（または少なくとも鼻シールと比べてより剛性）のシールハウジング１０４に接続されるかまたは接続可能な可撓性鼻シール１０２を含む。剛性シールハウジングまたはシェル１０４は、シールハウジングに提供された１つまたは複数の取付または接続点または組立体を介してヘッドギアストラップに直接接続可能であり得るか、または代替的にシールハウジング上に取り付けられるかまたは提供されるヘッドギアフレームコンポーネント１０８を介してヘッドギアに間接的に接続可能であり得る。この実施形態において、シールハウジング１０４には、呼吸装置、例えばＣＰＡＰデバイスなどから加熱され加湿された気体流を送達するために、前述のタイプの可撓性気体送達導管５５に接続するように構成される吸気開口または孔１１０が設けられる。この実施形態におけるシールハウジング１０４には、排出または偏流通気口１１２の形態の１つまたは複数の孔または穴の集合も設けられる。
【０１２６】
可撓性鼻シール１０２は、顔に接触する面１２０であって、使用時、ユーザの鼻を受けるためのマスク空洞内への鼻受入開口１０６を画定する内部周辺エッジ１２２を有する、顔に接触する面１２０を含む。使用時、鼻マスクインターフェイス１００は、鼻シール１０２の接触面１２０がユーザの鼻を包むかまたは囲み、かつユーザの鼻の周りに、例えば頬の表面および／またはユーザの鼻の側方面、ユーザの鼻より下の上唇領域に対して、ならびにユーザの鼻の鼻梁領域にわたって密封係合するように、ヘッドギアを使用してユーザの顔に対して固定される。この実施形態において、鼻シール１０２は、鼻下支持体１２４であって、顔に接触する面１２０の実質的に後方のまたは顔に接触する面１２０に対して実質的に後方の場所または位置でマスク空洞１０６内において内部に延在する鼻下支持体１２４も含む。鼻下支持体１２４は、上述のとおり、噴出力Ｂおよびヘッドギア力Ａにより生じた合力である上向きの揚力Ｒに少なくとも部分的に対抗するために、使用された際にユーザの鼻の鼻下表面の少なくとも一部に接触するように構成されるかまたは方向付けられる接触面を含む。
【０１２７】
図１０を参照すると、今後の参考のために、鼻マスクインターフェイスの頂部は、１０１で示され、底部は、１０３で示され、鼻マスクインターフェイスの顔に接触する側または着用者側は、１０５で示され、鼻シールの外側または外部側は、１０７で示されている。シールハウジング１０４、ヘッドギアフレーム１０８、および鼻シール１０２は、それぞれ以下でさらに詳細に説明されている。
【０１２８】
シールハウジングおよびフレーム
図１１および１２を参照すると、シールハウジングまたはシェル１０４は、全体として１４０で示される開口であって、鼻マスクインターフェイス１００の着用者側で鼻シール１０２に接続または結合し、かつ図１１に示される吸気口１１０と排出通気口１１２とを含む鼻インターフェイスの外部または外側へ延在する開口によって画定される。シールハウジング１０４は、吸気口１１０からの気体流を受けるために、１４２で示される空洞または容積を提供または画定するために概して成形された実質的に中空のコンポーネントである。シールハウジング空洞１４２は、シールハウジング１０４が鼻シール１０２へ組み立てられると、マスク空洞１０６全体の一部を形成する。この実施形態において、シールハウジング１０４は、開口１４０から外部側へ後方に延在する際に形状が内部へ略先細になっている。
【０１２９】
この実施形態において、排出通気口１１２は、シールハウジングを通って延在し、かつシールハウジング１０４の中央の中間から上部の領域において通気口１１２を集合的に画定する小さい穴もしくは孔の集合または複数の小さい穴もしくは孔を含む。他の実施形態において、通気口または排出穴１１２は、シールハウジングから省略することができ、かつ呼吸回路における別の位置、例えば呼吸回路に沿った別の場所で気体導管を鼻マスクインターフェイスの吸気口１１０に結合する接続導管またはスイベルエルボに提供され得ることが理解されよう。
【０１３０】
この実施形態において、吸気孔またはポート１１０は、シールハウジング１０４の下方または底部領域に提供されかつ中央に位置付けられるが、この位置は必須ではない。可撓性気体導管は、接続導管を介して吸気口１１０に直接結合され得るか、または代替的に直線のコネクタまたは導管フレーム、接続エルボ、例えばスイベルエルボ、球継ぎ手接続部などを介して間接的に結合され得ることが理解されよう。
【０１３１】
この実施形態において、鼻シール１０２は、その鼻シールが必要に応じて洗浄または交換のために除去され得るように、シールハウジング１０４に取り外し可能または解放可能に結合されるかまたは接続可能である。この実施形態において、シールハウジング１０４の開口１４０には、後に説明されるとおり、鼻シール１０２の外側に提供された優遇周辺チャネルを係合または受け入れるように構成されることにより、コンポーネントを一緒に解放可能に結合する周辺リッジまたは延長部が設けられる。鼻マスクインターフェイスは、組み立てられ、ユーザの鼻に固定されると、実質的に密封され、実質的に囲まれたマスク空洞１０６を画定する。
【０１３２】
代替的実施形態において、鼻シール１０２は、シールハウジング１０４に永続的または半永続的に接続されるかまたは結合され得る。一例として、顔に接触する側の末端側の鼻シール１０２の外側は、代替的実施形態では、シールハウジング１０４の開口１４０へまたはシールハウジング１０４の開口１４０でオーバーモールドされ得るか、または他の方法で固定または接着され得ることが理解されよう。
【０１３３】
鼻シール１０２がシールハウジング１０４に取り外し可能であろうと永続的に結合されようと、シールハウジングのエッジまたは開口１４０は、鼻シールインターフェイスの周辺部の周りの鼻シール１０２の外側で、対応する外側エッジまたは接続部分と称賛するかまたは合致するように成形または寸法決めされることが理解されよう。
【０１３４】
シールハウジング１０４は、剛性ハウジングを提供するか、または少なくとも可撓性鼻シールに比べて剛性である任意の好適な材料で形成され得る。この実施形態において、シールハウジングは、典型的には、プラスチックポリマー、例えばポリカーボネートなどから形成される。代替的実施形態において、シールハウジングは、半剛性であり得る。一例において、シールハウジングは、鼻シールと同じタイプの材料（例えば、シリコーン材料）から形成され得るが、概して、鼻シールより可撓性が低いかまたはより剛性であるように実質的により厚いことができる。
【０１３５】
特に図１１を参照すると、この実施形態において、鼻マスクインターフェイスは、通気口１１２と吸気口１１０との間で、シールハウジングの一方側から他方側へ、シールハウジング１０４の外部側の周りに側方に延在するヨークの形態のヘッドギアフレームコンポーネント１０８を含む。この実施形態において、フレームコンポーネント１０８は、外部側でシールハウジング１０４の表面内へ形成された優遇チャネル内に取り外し可能に受け入れられるが、フレームは、代替的に、受け入れチャネル内に永続的に固定されるかまたは結合され得る。図１２に示されるとおり、フレームコンポーネント１０８は、シールハウジング１０４の左および右側に単一のヘッドギア取付点１４４を提供する。これは、図２Ａを参照して説明されたヘッドギアシステム、例えば耳上ヘッドギアシステムのそれぞれの片側ストラップへの接続または結合のために、シールハウジングの各側に単一の接続点または位置を提供する。代替的実施形態において、フレーム１０８は、省略され得ること、ならびにシールハウジングは、シールハウジングの各側のヘッドギア取付点であって、ヘッドギアシステム、例えば片側ストラップヘッドギアシステムへの接続のためにシールハウジングと一体的に形成されるか、または他の方法でシールハウジングの側部に提供されたヘッドギア取付点を提供し得ることが理解されよう。
【０１３６】
鼻シール
図１３〜２２を参照すると、第１実施形態の鼻マスクインターフェイス１００の鼻シールコンポーネント１０２がさらに詳細に説明されている。鼻シール１０２は、可撓性でありかつやわらかく、シリコーン材料または他の好適な材料で形成され得る。
【０１３７】
図１３に示されている鼻シール１０２の顔に接触する側または着用者側を参照すると、全体として（１２０）で示されている接触面は、ユーザの鼻梁にわたるところを含めてユーザの鼻の周りを密封するように構成される。この実施形態において、接触面１２０は、鼻を囲み、かつユーザの鼻の周りを密封する。この実施形態において、鼻シールの接触面部分は、例えば、朱色の境界より上でかつ鼻孔より下の位置でユーザの顔の上唇領域に接触するように構成される、全体として１２１で示された上唇領域を含む。接触面１２０は、左および右頬または側部領域１２３であって、シール１０２の底部の上唇領域１２１と、シール１０２の頂部の鼻梁領域に対応するか、または鼻梁領域の基端側にある領域１２５との間に延在する左および右頬または側部領域１２３も含む。接触面１２０の頬領域１２３は、鼻の両側のユーザの正中線に近い頬表面および／またはユーザの側方鼻表面に接触するように構成される。接触面１２０の鼻梁領域１２５は、鼻の上に延在するように構成され、かつユーザの鼻の鼻梁領域に接触し、２つの頬領域１２３を接続する。接触面１２０の全体の形状および構成は、鼻の周りのユーザの顔の輪郭に密封して従うように、およびヘッドギアを介してユーザの頭部に固定され、かつ鼻マスクインターフェイスが気体のフローを受けるとユーザの鼻の周りに密封係合するように構成される。鼻シール１０２は、圧力下において、シールが顔に接触する面１２０をユーザの顔に対して付勢し、かつ上唇、正中線に近い頬、側方鼻および鼻梁の１つまたは複数を含むユーザの顔面輪郭に対して実質的に密封するように変形することから、自動膨張式のタイプであるとみなされ得る。
【０１３８】
先に検討されたとおり、鼻シール１０２の接触面１２０は、シール１０２がシールハウジング１０４へ組み立てられるとマスク空洞内への鼻受入開口を画定する内部周辺エッジ１２２において終端する。
【０１３９】
図２１および２２を参照すると、鼻シール１０２は、顔に接触する面部分１２０と、側壁部分１２６であって、シールの周辺部の周りで接触面１２０から後方に延在し、かつ開口１４０シールハウジング１０４に結合するかまたは接続可能なシールの外部または外側で、全体として１２７で示される接続エッジで終端する側壁部分１２６とにより実質的に画定される。上述のとおり、この実施形態において、鼻シール１０２は、シールハウジングに解放可能に接続可能であり、側壁１２６の終端エッジは、周辺チャネル１２８であって、シールハウジング１０４の開口１４０に提供された優遇周辺リッジまたは延長部と係合するように構成される周辺チャネル１２８を含む。先に検討されたとおり、代替的実施形態において、可撓性鼻シール１０２は、例えば、オーバーモールド、溶接または他の接続方法を介してシールハウジング１０４に永続的または半永続的に接続または結合され得る。さらなる代替的実施形態において、インターフェイスは、鼻シールの外部または外側で接続エッジ１２７に対応するように成形された半剛性または剛性クリップコンポーネントを備えて提供され得る。そのような実施形態において、シールの接続エッジ１２７は、シールの外側に剛性エッジまたは部分を提供するように剛性クリップコンポーネントにオーバーモールドされ得るか、または他の方法で永続的に接続され得る。剛性クリップコンポーネントは、相補的ベースまたはハウジングコンポーネントと係合するかまたはそうでなければ接続し、それにより鼻シールをベースまたはハウジングに結合するように構成され得る。
【０１４０】
図２２に示されるとおり、鼻シールの顔に接触する面１２０は、鼻シールの側壁１２６部分から内部へカールまたは延在するフランジを形成する。この実施形態において、側壁１２６の終端エッジ１２７でのまたは側壁１２６の終端エッジ１２７に向かう領域は、接続チャネル１２８を収容するために、または他の方法で鼻シールの全体の形状の外側でいくらかの安定性を提供するために、鼻シールの側壁および接触面部分の残りと比べて厚くなった領域であり得る。
【０１４１】
検討されたとおり、鼻シール１０２は、鼻シール１０２が剛性ハウジング１０４に比べて可撓性であるように、可撓性でやわらかい材料で形成される。一例として、シール１０２は、シリコーン材料などで形成され得る。
【０１４２】
鼻シールの鼻下支持体
この実施形態において、鼻シール１０２は、鼻下支持体１２４（または鼻スリング）であって、鼻シール１０２がシールハウジング１０４へ組み立てられるとシールの側部間でおよびマスク空洞１０６内で鼻シールにわたって少なくとも延在するか、または側方に吊り下げられた鼻下支持体１２４（または鼻スリング）を含む。鼻下支持体１２４は、先に検討されたとおり、鼻マスクが着用されると、および使用時に生じる任意の合力としての揚力に対抗するために、ユーザの鼻の鼻下表面の少なくとも一部に接触するように構成される。
【０１４３】
この実施形態において、鼻下支持体は、少なくとも、鼻シールの対向する左および右側間で鼻シールにわたって側方に延在する。図示のとおり、鼻下支持体は、鼻シール開口１０６の後ろまたは後方に配置されるかまたは位置する。鼻下支持体１２４は、それが取り外し可能ではないという点で鼻シールに動かないように接続される。一形態において、鼻下支持体１２４は、鼻シール内に一体的に成形される。代替的形態において、鼻シール１０２の鼻下支持体部品または部分は、別個に形成され、次いで鼻シール内で例えば接着剤または溶接を介して固定的に結合され得、またはそれは、シールハウジングに接続され得ることが理解されよう。
【０１４４】
この実施形態において、鼻下支持構成１２４は、例えば、シールの対向する側間に吊り下げられた状態で鼻シールにわたってまたは鼻シール内で延在する長尺状の主側方部分またはバンド１２９を含む。図１４、１７および２２を参照すると、鼻下支持体の主側方部分１２９は、少なくとも接触面１２０の周辺開口エッジ１２２から離されているかまたは変位された位置で鼻シールに接続されるかまたは鼻シールから延在するのみならず、この実施形態では、側方部分１２９は、頬および／または側方鼻領域１２３におけるユーザの顔との接触面１２０の密封係合または変形性を妨げることも減じることもないように接触面１２０からも全体として分離または変位される。この実施形態において、主側方部分１２９は、接触面１２０の後方の鼻シールの対向する側壁１２６部分の内面の位置１３１から延在するか、またはこの位置１３１で接続される。この実施形態において、接続位置１３１は、側壁１２６の終端エッジ１２７に対応するか、または側壁１２６の終端エッジ１２７を含むが、これは必須ではない。
【０１４５】
この実施形態において、鼻下支持体１２４は、中央延長部分１３２であって、主側方部分１２９から中央に延在し、かつ上唇領域１２１における接触面１２０の開口エッジ１２２へまたは上唇領域１２１における接触面１２０の開口エッジ１２２で結合または接続される中央延長部分１３２をさらに含む。代替的実施形態において、図２３を参照して後に説明されるとおり、中央延長部分１３２は、代替的に、シールの開口エッジ１２２より下の接触面１２０の上唇領域１２１の下部に接続され得、または代替的に例えば接触面１２０の後方にある鼻シールの側壁１２６の下部に接続されるなど、接触面１２１から少なくとも部分的にまたは全体として変位されたかまたは離されている位置で接続され得る。
【０１４６】
鼻下支持体１２４は、主側方部分１２９を含み、中央延長部分１３２は、接触面であって、使用時、ユーザの鼻下表面の鼻の少なくとも一部で接触するように構成されかつ／または方向付けられる接触面を提供する。この構成において、主側方部分１２９の主接触面は、例えば、柱７２の先端部と鼻の先端に向かう翼状リム８０の一部とを含み得るユーザの鼻の鼻下表面の先端の少なくとも一部（図３に示されるとおり）と係合するように構成される。中央延長部分１３２は、ユーザの鼻の鼻下表面の柱７２領域、または鼻の先端とベースとの間の柱の少なくとも一部に接触するように構成されるが、好ましくは、柱の大部分は、ベースから延在する。鼻下支持体の最終的な接触面領域は、ユーザの鼻の形状およびサイズに依存する。鼻下支持体の構成は、図１３に示されるとおり、中央延長部分１３２の両側のオープンスペース１３４と整列する傾向があるユーザの鼻孔７４を実質的に遮ることなく、鼻下表面の１つまたは複数の最大部分に接触するように設計される。ユーザの鼻のサイズおよび形状に依存して、鼻下支持体１２４は、一般に、最良の場合、ユーザの鼻孔の妨害を完全に回避するように構成されるが、最悪の場合でも一方または両方の鼻孔を部分的にのみ遮る。
【０１４７】
図示のとおり、鼻下支持体１２４の接触面は、一般に、ユーザの鼻の鼻下表面に係合するように鼻シールに対して方向付けられかつ構成される。この実施形態において、鼻下支持体１２４の一部は、ユーザの鼻の鼻下表面に係合するように鼻シールの一体的な細いウェブまたはストリップである。例えば、鼻下支持体の、その接触面に直交する厚さは、鼻下支持体の任意の位置で接触面の対応する幅より著しく小さい。一構成において、鼻下支持体部分の厚さは、鼻シールの接触面１２０の領域におけるシールの厚さと実質的に同様であり得る。
【０１４８】
この実施形態において、鼻下支持体１２４の主側方部分１２９の幅は、鼻シールの対向する側間でその長さに沿って変化し得る。本例において、主側方部分１２９の幅Ｗ１は、鼻シールの中央から各側に向かって次第に増加し得る。この実施形態において、鼻下支持体１２４の中央延長部分１３２の幅Ｗ２は、それが主側方部分１２９から接触面１２０に延在する際に幅Ｗ２が次第に増加する。代替的実施形態において、主側方部分または中央延長部分のいずれかまたは両方の幅は、それらの長さに沿って均一であり得、またはそれらの長さに沿って代替的な幅プロファイルを有し得ることが理解されよう。
【０１４９】
図２２を参照すると、中央密封軸ＢＢは、弛緩状態にあるとき（例えば、使用されていないとき）の、接触面１２０の中心で外側最上接点と外側最下接点との間で接線方向に延在するとして定義される。図２２に示されるとおり、鼻下支持体の中央領域における鼻下支持体１２４の接触面の少なくとも一部（例えば、中央領域における鼻下支持部分の接触面と一致して延在する軸ＣＣにより示されている）は、鼻下支持体の接触面が密封軸ＢＢと平行でなく整列もしていないように、密封軸ＢＢに対して角度θで延在する。この実施形態において、鼻下支持体１２４の中央領域における接触面は、およそ３０〜およそ９０度、より好ましくはおよそ４５〜およそ７５度、ならびにより好ましくはおよそ６０度の範囲で密封軸ＢＢからオフセットされて、ある角度で方向付けられている。中央領域における少なくとも鼻下支持体の主鼻接触部分または面のこの角度方向は、ユーザの鼻が鼻シール内にあるときに、その鼻の鼻下表面の一般的または典型的な角度方向と実質的に整列するように構成される。
【０１５０】
上で説明されたとおり、この実施形態における鼻下支持体１２４は、動かないように接続されるか、またはそうでなければ鼻シール１０２の一体的なコンポーネントである。添付図面は、静止状態、すなわち使用されていない状態における鼻シールとその鼻下支持体１２４とを示す。鼻シールの接触面１２０のように、鼻下支持体１２４も、鼻マスクインターフェイスが使用時にユーザの顔に固定されるかまたは他の方法で着用されると、その形状および位置がスリング状効果を伴ってユーザの鼻の鼻下表面に従い得るように、やわらかく可撓性であるかまたは曲げやすいように構成される。典型的には、鼻下支持体は、いずれの方向にも非伸縮性であるが、代替的実施形態では、ある程度の伸縮性があり得る。
【０１５１】
代替的第２形態  −  鼻シールの開口エッジから完全に分離されているかまたは離されている中央延長部分
図２３を参照すると、第１実施形態の鼻シール１０２Ａの代替的形態が示されている。鼻シール１０２Ａは、鼻シールの顔に接触する面１２０のエッジから完全に分離されているかまたは離されている異なる鼻下支持構成１２４Ａを有することを除き、第１実施形態の鼻シール１０２と同様である。同様の符号は、同様のコンポーネントを表す。代替的鼻下支持構成１２４Ａは、主側方部分１２９と中央延長部分１３２Ａとを含む。鼻シール１０２との違いは、中央延長部分１３２Ａが接触面１２０のエッジ１２２に結合または接続せず、むしろ上唇領域における接触面の下部に、または代替的に接触面１２０の一部、例えば鼻シールの下部側壁１２６の一部でないシールの下部領域の一部に結合または接続される点である。この構成において、鼻下支持体１２４Ａは、接触面１２０のエッジ１２２から完全に分離され、いくつかの構成では、主側方部分１２９および中央延長部分１３２Ａが、ユーザの顔に係合する接触接触面１２０から変位されたかまたはそれに隣接する位置で鼻シールのそれぞれの側壁部分に接続するように、接触面１２０から全て完全に分離されている。鼻シール１０２Ａの代替的実施形態は、他の点では機能および構成で鼻シール１０２と同様であり、第１実施形態の鼻シール１０２と同様に、鼻シールインターフェイス組立体を形成するためにシールハウジング１０４に結合され得る。
【０１５２】
第２実施形態  −  側部延長部分を有する鼻下支持体を備えた鼻シール
図２４〜２９を参照して、鼻マスクインターフェイスの第２実施形態の様々な形態が説明される。第２実施形態の鼻マスクインターフェイスは、第１形態が代替的鼻下支持構成１２４Ｂを有する鼻シール１０２Ｂを含む点を除き、第１実施形態と実質的に同様である。鼻シール１０２は、他の点では第１実施形態の鼻シール１０２と同様であり、上述のとおり、鼻シールインターフェイス組立体を形成するためにシールハウジング１０４に結合され得る。同様の参照符号は、同様の特徴部を表す。
【０１５３】
第２実施形態のこの第１形態において、代替的鼻下支持構成１２４Ｂは、依然として、鼻シール内にわたって鼻シールの対向する側間で接触面１２０の後方に延在する主側方部分１２９を含む。中央延長部分は、第１実施形態構成におけるように提供されない。むしろ、鼻下支持体１２４Ｂは、左および右側延長部分１３２Ｂであって、主側方部分１２９の対向する側から延在し、それぞれ接触面１２０の上唇領域１２１におけるシールの側部に向かって、それぞれの位置で接触面１２０の下開口エッジ１２２に接続する左および右側延長部分１３２Ｂを含む。この実施形態において、鼻下支持体１２４Ｂは、側部延長部分１３２Ｂ間で接触面１２０の下開口エッジ１２２に沿ってまたは隣接して延在する側方延長部１３５も含み得る。代替的に、側方延長部１３５は、側部延長部分１３２Ｂが接続される上唇領域における接触面１２０の延長部とみなされ得る。側方延長部分１３５は、側部延長部分１３２Ｂが、側方延長部分１３５なしに接触面１２０のエッジ１２２に直接接続するために下に延在し得るように、代替的実施形態では省略され得ることが理解されよう。
【０１５４】
この代替的構成１２４Ｂにおいて、主側方部分１２９は、この場合にも、例えばユーザの鼻の先および鼻の先端の翼状リム８０の端部でまたはユーザの鼻の先および鼻の先端の翼状リム８０の端部に向かってユーザの鼻下表面の柱７２の一部に実質的に接触するように構成される。側部延長部分１３２Ｂは、例えば、鼻のベースから延在する翼状リムの一部を含む鼻下表面のそれぞれの翼状リム８０の一部とのそれぞれ実質的な整列および接触のために構成される。したがって、この構成は、主開口１３４Ｂを、鼻下支持体において、ユーザの鼻孔７４のために、上唇領域における主側方部分１２９、側部延長部分１３２Ｂ、および接触面１２０間に残す。
【０１５５】
代替的第２形態  −  鼻シールの開口エッジから完全に分離されているかまたは離されている側部延長部分
図２９を参照すると、第２実施形態の鼻シール１０２Ｃの代替的第２形態が示されている。同様の特徴を表している同様の符号である。この場合にも、この鼻シール１０２Ｃは、側部延長部分１３２Ｃが主側方部分１２９から延在し、かつ側部延長部分１３２Ｃが鼻シールのエッジ１２２から分離されているように鼻シールのエッジ１２２から変位されたかまたは離されている上唇領域における鼻シールの一部に接続する代替的鼻下支持構成１２４Ｃを備えていること以外、第２実施形態の鼻シールと他の点では同様である。一構成において、側部延長部分１３２Ｃは、上唇領域におけるエッジより下で接触面１２０の一部に接続または接触面１２０の一部まで延在し、または代替的構成において、接触面１２０から完全に変位された位置で鼻シールに接続し、例えば開口の下エッジ１２２より下の上唇領域におけるシールの側壁のそれぞれの位置に接続する。この構成は、鼻シールのエッジ１２２の接触面１２０から分離された鼻下支持体１２４Ｃを提供する。
【０１５６】
第３実施形態  −  「浮揚性」鼻下支持体を備えた鼻シール
図３０〜３４を参照して、鼻シール１０２Ｄの第３実施形態が説明される。先の実施形態と同様に、鼻シール１０２Ｄは、例えば、シールハウジング１０４に結合または接続されることにより、上述のとおり、鼻マスクインターフェイス組立体において使用され得る点で第１実施形態の鼻シール１０２と同様である。同様の参照符号は、同様の特徴部を表す。
【０１５７】
第３実施形態の鼻シール１０２Ｄは、中央または側部延長部分のない主側方部分またはバンド１２９のみからなる代替的鼻下支持体１２４Ｄを含む。特に、鼻下支持体１２４Ｄは、シールの対向する側間に鼻シールにわたって側方に延在し、かつ先の実施形態におけるように顔に接触する面１２０の後方に延在するかまたは位置する材料の長尺状ストリップまたはバンドを含む。先の実施形態と同様に、側方バンド１２９は、鼻下支持体が接触面１２０または少なくとも接触面のエッジから分離または離されているように、各端部で側壁１２６のそれぞれの部分またはシールの他の部分に結合または接続され得る。先の実施形態の中央または側部延長部分がないと、鼻下支持体１２４Ｄは、シール内でのより大きい度合いの移動可能性を有する「浮揚性」支持体とみなされ得る。
【０１５８】
この構成において、鼻下シール１２４Ｄは、より少ない接触面領域を有し、したがってユーザの鼻の鼻下表面のより少ない部分と接触する。特に、中央または側部延長部分のいずれもないと、浮揚性鼻下支持構成１２４Ｄが接触する鼻下表面は、より少なくなる傾向がある。浮揚性鼻下支持体は、ユーザの鼻のサイズに依存して、鼻の先端でまたは鼻の先端に向かって隣接する翼状リム８０の柱および一部に係合または接触する傾向がある。より大きい鼻を有する人のために、鼻下支持体は、鼻下表面の中間領域においてまたは鼻のベースで鼻下表面にさらに向かって接触し得る。
【０１５９】
第４実施形態  −  低プロファイル鼻マスクインターフェイス
概説
第４実施形態の鼻マスク組立体が図３５〜１０２を参照して説明される。
【０１６０】
図３５および３６を参照すると、第４実施形態の鼻マスク組立体は、ヘッドギア２５０を介してユーザの頭部に固定された鼻マスクインターフェイス２００を含み、鼻マスクインターフェイス２００は、可撓性気体供給導管２６０に接続され、可撓性気体供給導管２６０は、使用時、ユーザの気道へのその鼻を介した送達のために、呼吸可能な気体の供給を鼻マスクインターフェイス２００に送達する。この実施形態において、ヘッドギア２５０は、側部または前部ストラップ２５２であって、取付点２５６で鼻マスクインターフェイス２００の対向する側に接続し、かつユーザの顔の側部または頬に沿っておよびユーザの耳の上に延在する側部または前部ストラップ２５２を含む。前部または側部ストラップ２５２の対は、１つもしくは複数の他のストラップもしくはストラップ部分に接続するか、または１つもしくは複数の他のストラップもしくはストラップ部分内に一体的に延在する。この実施形態において、ヘッドギア２５０は、ユーザの頭部または頂部の上に延在する頂部またはクラウンストラップ２５４と、ユーザの頭部の後ろを回って延在するバックまたは後部ストラップ２５８とを含む。側部ストラップ２５２は、当業者により認められるとおり、頂部２５４および後部２５８ストラップに一体的に形成されるか、または他の方法で接続される。先の実施形態と同様に、ヘッドギアストラップは、典型的には、可撓性の通気性材料、例えばＢｒｅａｔｈ−ｏ−Ｐｒｅｎｅ（登録商標）、通気性ネオプレン材料、またはネオプレン材料などで形成されるかまたはそれらを含む。ヘッドギア構成のさらなる態様ならびに鼻マスクインターフェイス２００との取付および相互作用は後に説明される。この実施形態において、ヘッドギアは、さらに説明されるとおり、自動調整性能または機構を有し得るが、これらは全ての実施形態に必須ではない。
【０１６１】
特に図３７〜４６を参照すると、鼻マスクインターフェイス２００は、相補的シールハウジング２０４に永続的または解放可能に接続されるかまたは取り付けられるかのいずれかである可撓性鼻シール２０２を含む。シールハウジング２０４は、典型的には、剛性材料で形成されるか、または少なくとも可撓性鼻シール２０２より剛性である。先の実施形態と同様に、鼻シール２０２およびシールハウジング２０４は、合せて集合的に、使用時にユーザの鼻の少なくとも一部を受けるように構成され、かつ気体供給導管２６０からの呼吸可能な気体の供給を受けるマスク空洞または容積を画定または形成する。この実施形態において、気体供給導管２６０は、シールハウジング２０４に解放可能に接続されるが、代替的実施形態では、導管は、シールハウジング２０４内に永続的または一体的に接続され得ることが理解されよう。この実施形態において、鼻マスクインターフェイス２００は、気体供給導管の端部に永続的または解放可能のいずれかで接続された導管フレーム２１１を含む。この実施形態における導管フレーム２１１は、シールハウジングに提供された相補的中央空気孔または吸気口２１０に解放可能に接続可能であり、それにより供給導管２６０を鼻マスクインターフェイス２００に接続する。
【０１６２】
この実施形態において、ヨーク２０８の形態のヘッドギアフレームは、シールハウジング２０４の外面に解放可能に接続される。ヨーク２０８は、形状が略曲線（外表面は、凸状であり、内面は、凹状であるシールハウジングと係合している）であり、シールハウジング２０４にわたって側方に延在し、各端部において、鼻マスクインターフェイスの顔に接触する側に向かってであるが、鼻シール２０２の側方側から離れるように外向きの方向に延在する。ヨーク２０８の各末端部は、ヘッドギア２５０が鼻マスクインターフェイス２００の各側に単一の取付点を有するように、ヘッドギア２５０の側部ストラップ２５２の１つのそれぞれの端部に接続する。この実施形態において、ヘッドギアは、ヨーク２０８に永続的または非解放可能に接続され得る。ヨークは、ヨーク２０８およびヘッドギア２５０が必要に応じてシールハウジングから除去または解放され得るように、シールハウジング２０４に解放可能に接続され得る。
【０１６３】
この実施形態において、鼻マスクインターフェイス２００には、鼻マスクインターフェイス２００からの気体洗い出しを提供するための１つまたは複数の偏流排気口または通気口２１２が設けられる。この実施形態において、偏流通気口は、シールハウジング２０４を通って延在する小さい孔または穴の配置構成を含む。さらに詳細に説明されるとおり、通気口配置構成は、シールハウジング上の特定の位置に孔の１つまたは複数の配列を含む。先の実施形態と同様に、鼻シール２０２には、鼻下支持体２２４であって、マスク空洞内で鼻シールにわたって側方に延在するかまたは吊り下げられ、かつ先に検討されたとおり、鼻マスクが着用されると、使用時に生じた合力としての揚力に対抗するために、ユーザの鼻の鼻下表面の少なくとも一部に接触するように構成される鼻下支持体２２４が設けられる。
【０１６４】
鼻マスクインターフェイス２００の様々なコンポーネントのさらなる詳細および態様がここで説明される。
【０１６５】
一般的な形状および構成の態様
図４２を参照すると、この実施形態において、ヨーク２０８および導管フレーム２１１の向きまたは角度は、互いにオフセットされている。例えば、線ＡＥにより表される導管フレーム２１１の長手方向軸には、ＡＦにより表されているヨーク２０８を通って延在するかまたは画定する長手方向軸または平面に対して角度が付いている。この実施形態において、鼻マスクインターフェイス２００の側部から見たときの導管フレーム２１１の長手方向軸ＡＥとヨーク２０８の長手方向軸ＡＦとの間の角度は、好ましくは、およそ２０°〜およそ６０°、より好ましくはおよそ３０°〜およそ５０°、なおより好ましくはおよそ３５°〜およそ４５°、なおより好ましくはおよそ３８°の範囲である。本例において、導管フレーム２１１の長手方向軸ＡＥおよびヨーク２０８の長手方向軸ＡＦは、例示のみのために鼻マスクインターフェイス２００の側面図に対して定義される。いくつかの実施形態において、導管フレームとヨークとの間のこの角度オフセットは、気体供給導管をユーザから離れるように導くことを支援し得、かつまたホースの引きずりを減らすことも支援し得る。
【０１６６】
図４４を参照すると、導管フレーム２１１、シールハウジング２０４、鼻シール２０２、およびヨーク２０８の全ては、一般に、ユーザの顔の曲率に略従い、かつ鼻マスクインターフェイスがユーザの鼻の周りの顔に沿うことを支援する、（表面に面するその顔での）実質的に凹状の曲率を呈する。この実施形態において、図４４における上面図から分かり得るとおり、（少なくとも側方側部分における）ヨーク２０８の曲率半径は、導管フレーム２１１および／またはシールハウジング２０４の曲率半径よりも概して大きいが、それは、ヨークがユーザの顔に接触することを意図されておらず、かつ鼻シールの顔に接触する面と、シールハウジング２０４に接続する鼻シールの外側との間に延在する鼻シール２０２の外壁から離れるように、ある角度で延在するように構成されるためである。
【０１６７】
図４３を参照すると、鼻シール２０２の顔に接触する側の鼻の孔または鼻受入開口２０６が示されている。鼻マスクインターフェイスの各側の単一のヘッドギア取付または接続点２７２の対は、ヨーク２０８の各末端部に２７２で示されている。この実施形態において、ヘッドギア接続点２７２は、鼻マスクインターフェイスの中央から最も末端にあるヨーク２０８上の位置において、鼻マスクインターフェイス２００の各側方側に位置する。鼻下支持体２２４は、鼻の孔２０６を通じて見ることができ、かつ鼻シール２０２およびシールハウジング２０４により提供されたマスク空洞内で延在する。この実施形態において、鼻下支持体２２４は、鼻シール２０２への３つの接続点を有する。後に詳細に説明されるとおり、鼻下支持体２２４は、鼻シールの各上方内部側方側または表面に向かう接続点と、鼻シールの中央底部のまたは鼻シールの中央底部に向かう第３接続点とを含む。この実施形態において、第３接続部は、鼻の孔２０６の中心底部エッジに対するものである。
【０１６８】
図４２および４４を参照すると、この実施形態における鼻マスクインターフェイス２００のプロファイル全体のいくつかの主外寸が、縮尺の感覚を提供するために一例としてのみ説明される。この実施形態において、シールハウジング２０４および鼻シール２０２組立体の全高対全奥行の比は、およそ１：０．８〜およそ１：１．２の範囲であり、この例示的実施形態において、全高は、シールハウジングおよび鼻シール組立体の全奥行に実質的に等しく、すなわちおよそ１：１の比率である。この実施形態において、シールハウジングおよび鼻シール組立体の全横幅は、組立体の全高および奥行より大きい。この実施形態において、シールハウジングおよび鼻シール組立体の全高対全奥行対全横幅の比は、この例示的実施形態では、およそ１：０．８：１〜およそ１：１．２：１．４の範囲、およびおよそ１：１：１．２である。
【０１６９】
一例としてのみ、鼻マスクインターフェイスの一例示的構成の例示的寸法が図４２および４４を参照して示される。本例において、２８２で示される頂部から底部へのシールハウジング２０４および鼻シール２０２組立体の全高は、およそ２７ｍｍ〜およそ６７ｍｍの範囲、および好ましくはおよそ４７ｍｍである。２７４で示されたシールハウジング２０４、鼻シール、および設置された導管フレーム２１１の全高は、およそ３０ｍｍ〜およそ７０ｍｍの範囲、および好ましくはおよそ５０ｍｍである。２７６で示されたシールハウジング２０４および鼻シール２０２組立体の全奥行は、およそ４１ｍｍ〜およそ６６ｍｍの範囲、および好ましくはおよそ４６ｍｍであり、２７８で示されたシールハウジング２０４、鼻シール２０２および設置された導管フレーム２１１の全奥行は、およそ５１ｍｍ〜およそ７６ｍｍの範囲、および好ましくはおよそ５６ｍｍである。２８０で示されたシールハウジング２０４および鼻シール２０２組立体の横幅（図４４を参照されたい）は、およそ５２ｍｍ〜およそ７７ｍｍの範囲、および好ましくはおよそ５７ｍｍである。
【０１７０】
鼻シール
図４７〜６７を参照すると、鼻マスクインターフェイス２００の鼻シール２０２がさらに詳細に説明されている。鼻シール２０２は、可撓性でやわらかく、当業者により認められるとおり、シリコーン材料または他の好適な材料で形成され得る。
【０１７１】
図４７に示される鼻シール２０２の顔に接触する側または着用者側を参照すると、接触面は、全体として２２０で示され、かつユーザの鼻梁にわたるところを含めてユーザの鼻の周りを密封するように構成される。この実施形態において、接触面２２０は、ユーザの鼻のその部分の周りの鼻およびシールの少なくとも一部を囲む。鼻シールの接触面２２０は、例えば、朱色の境界より上でかつ鼻孔より下の位置でユーザの顔の上唇領域に接触するように構成されている、全体として２２１で示された上唇領域を含む。接触面２２０は、左および右頬または側部領域２２３であって、シールの底部の上唇領域２２１と、鼻シール２０２の頂部の鼻梁領域に対応するか、または鼻シール２０２の頂部の鼻梁領域の基端側の上部領域２２５との間に延在する左および右頬または側部領域２２３も含む。接触面２２０の頬領域２２３は、ユーザの正中線に近い頬表面および／または鼻の両側のユーザの側方鼻表面に接触するように構成される。接触面２２０の鼻梁領域２２５は、鼻の上に延在するように構成され、かつユーザの鼻の鼻梁領域に接触し、２つの頬領域２２３に接続する。後にさらに詳細に説明されるとおり、この実施形態において、鼻シール２０２は、接触面の鼻梁領域２２５が、ユーザの目の間のユーザの鼻の下の先端と鼻梁の上の端との間の鼻梁上の位置で鼻梁の中間領域において、ユーザの鼻梁に接触するように構成されるように、従来の鼻マスクより低いプロファイル高さ寸法を含む。この実施形態において、接触面２２０の鼻梁領域２２５は、鼻梁の、ユーザの目より下の領域において、ユーザの鼻梁に接触するように構成される。ある実施形態において、鼻シールの鼻梁領域２２５は、鼻の鼻孔と鼻梁の中心との間に画定された領域においてユーザの鼻梁に接触するように構成される。ある実施形態において、鼻シールの鼻梁領域２２５は、ユーザの鼻の下半分に接触するように構成される。
【０１７２】
図５２を参照すると、この実施形態において、接触面２２０の鼻梁領域２２５は、接触面の残りの部分と比べて凹んだ、２４５で示された中央谷部領域または部分を含む。谷部領域２４５は、ユーザの鼻梁と係合するように構成され、かつユーザの鼻梁に実質的に従うように成形される。
【０１７３】
接触面２２０の全体の形状および構成は、ユーザの頭部にヘッドギアを介して固定され、かつ鼻マスクインターフェイスが気体のフローを受けると、鼻の周りのユーザの顔の輪郭に密封して従うように、およびユーザの鼻の周りに密封係合するように配置される。この実施形態において、圧力下で、シールが、顔に接触する面２２０をユーザの顔に対して付勢し、かつ上唇、正中線に近い頬、側方鼻および鼻梁の１つまたは複数を含む、ユーザの顔面輪郭に対して実質的に密封するように変形するため、鼻シールは、自動膨張式のタイプとみなされ得る。
【０１７４】
鼻シール２０２の接触面２２０は、マスク空洞内へと鼻受入開口または鼻の孔２０６を画定する内部周辺エッジ２２２で終端する。マスク空洞は、鼻シール２０２が組み立てられるかまたはシールハウジング２０４に接続されると画定または形成される。図４８を参照すると、図４７の顔に接触する側の反対側の鼻シールの外側が示されている。鼻シール２０２の外側は、シールハウジング２０４に接続する。この実施形態において、鼻シール２０２の外側は、シールハウジング２０４を受けるかまたはシールハウジング２０４と接続するために、外側またはハウジング孔２２８を画定する接続エッジ２２７で終端する。
【０１７５】
図５１を参照すると、鼻シール２０２の外側の接続エッジ２２７は、単一の平面と一致しないか、または単一の平面において延在する。図４８および５１を参照すると、この実施形態において、鼻シールの外側の接続エッジ２２７は、上エッジ２２７Ａ、下エッジ２２７Ｂ、ならびに上２２７Ａおよび下２２７Ｂエッジ間に延在する側方側エッジ２２７Ｃ、２２７Ｄを含む。この実施形態において、上エッジ２２７Ａは、側部側方エッジ２２７Ｃおよび２２７Ｄの後方に突出する。少なくとも下エッジ２２７Ｂの中央部分も側方エッジ２２７の後方に突出し得る。この実施形態において、少なくとも上接続エッジ２２７Ａの中央部分は、側方エッジ２２７Ｃ、２２７Ｄおよび下エッジ２２７Ｂの両方を超えて後方に突出する。図５３に示されるとおり、上エッジ２２７Ａは、鼻シールの中央で頂部まで外向きに突出するかまたは膨らむ。
【０１７６】
この実施形態において、鼻シール２０２の顔に接触する側に形成された鼻の孔２０６は、ヒトの鼻の自然な形状に合致するために形状が略または半三角形である。鼻シール２０２の外側のハウジング孔２２８は、形状が略または半長方形である。
【０１７７】
図４７および４８を参照すると、鼻下支持体２２４を見ることができ、かつこれは、鼻シール２０２に対してまたは鼻シール２０２内に３つの接続または取付点を備えた略凹状またはＵ字形である。図示のとおり、鼻下支持体２２４は、鼻シール２０２内の対向する上側方位置または表面に位置する２つの上接続点２３１間にスリングまたはハンモックのように吊り下げられる。特に、上側方接続部２３１は、鼻の孔２０６の中央頂部領域の各側に１つ、鼻シール２０２の内面に位置する。この実施形態において、鼻下支持体２２４の側方接続部２３１は、鼻下支持体２２４の内面または接触面が、側方接続点２３１でまたは側方接続点２３１に向かって互いに実質的に面するかまたは対向するように、垂直方向に構成または配置される。特に、鼻下支持体２２４の側方接触面は、側方接続点２３１でまたは側方接続点２３１に向かって互いに実質的に平行であり得る。この実施形態における鼻下支持体２２４は、鼻シールの中央底部でまたは鼻シールの中央底部に向かって第３接続をさらに含む。この実施形態において、底部中央接続点２３２は、鼻の孔２０６を画定する鼻シールの接触面２２０のエッジ２２２の中央底部領域へまたはそこで結合する。鼻下支持体２２４およびその接続部は、後にさらに説明される。
【０１７８】
図５１〜５３を参照すると、鼻シール２０２は、（図４７に示された）顔に接触する面部分２２０と、（図５１に示された）側壁部分２２６であって、シールの周辺部の周りで接触面から後方に延在し、かつシールハウジング２０４に結合または接続されたシールの外部または外側の接続エッジ２２７で終端する側壁部分２２６とにより実質的に画定される。この実施形態において、鼻シール２０２は、鼻シールの顔に接触する側の鼻の孔エッジ２２２から鼻シールの外側の接続エッジ２２７へ延在する様々な厚さのプロファイルまたは領域を含み得る。
【０１７９】
この実施形態において、鼻シール２０２は、少なくとも、全体として２３３で示される第１前部領域であって、鼻の孔エッジ２２２から、側壁部分２２６に位置する中間周辺境界２３５へ延在する第１前部領域と、中間周辺移行境界２３５からシールの外側の接続エッジ２２７へ延在する第２後部領域２３４とを含む。
【０１８０】
この実施形態において、前部領域２３３は、接触面２２０と、接触面２２０に隣接する鼻シールの側壁部分２２６の少なくとも一部とを含む。後部領域２３４は、移行境界２３５から接続エッジ２２７へ後ろに延在する側壁部分２２６の残りの部分を含む。
【０１８１】
図５６を参照すると、この実施形態において、接触面を含む鼻シールの前部領域２３３は、鼻シールの後部領域２３４と比べて薄いかまたは平均して厚さが減少している。この実施形態において、鼻シールは、前部領域２３３内に追加的な第３厚さ領域２３６をさらに含む。特に、前部領域２３３は、鼻の孔エッジ２２２に隣接するより薄いエッジ領域２３６に移行する。エッジ領域２３６は、前部領域２３３の残りの部分より薄い。この実施形態において、エッジ領域２３６は、前部領域２３３の小さい方の部分である。
【０１８２】
説明された厚さプロファイルは、鼻シール２０２に安定性を提供し、かつユーザの鼻との密封係合を強化する。特に、より厚い後部領域２３４は、鼻シール形状全体に安定性を提供する一方、接触面２２０を含む前部領域２３３の減少した厚さは、ユーザの鼻との鼻シールの適合を促進する。さらに、鼻の孔エッジ２２２の周辺部の周りのエッジ領域２３６は、接触面２２０の最も薄い部分であり、増加したユーザ快適さおよび密封適合を提供する。後部領域２３４、前部領域２３３およびエッジ領域２３６の厚さは、それぞれの領域内で均一であり得るか、または領域内で様々な厚さを有し得ることが理解されよう。例えば、この実施形態において、後部領域２３４は、接触エッジ２２７から中間移行境界２３５へ徐々に厚さが減少する。前部領域２３３は、大きい方の部分および小さい方の薄くなったエッジ部分２３６において実質的に均一な厚さであり、エッジ部分２３６は、前部領域の大部分と比べて減少した均一な厚さを有する。この実施形態において、前部領域２３３の大きい方の部分は、図５６における本体移行ゾーン２３７において、図示のとおり薄いエッジ領域２３６に徐々に移行する。図５６に示されるとおり、鼻シールの顔に接触する面２２０は、鼻シールの側壁部分２２６から内部へカールまたは延在するフランジを形成し、フランジは、薄くなったエッジ部分２３６を含む。
【０１８３】
鼻シールの鼻下支持体
この実施形態において、鼻シール２０２の鼻下支持体２２４は、少なくとも、マスク空洞内で鼻シールの中央部分にわたって側方に延在するかまたは吊り下げられた鼻スリングまたはハンモックの形態である。鼻下支持体２２４は、ユーザの鼻の鼻下表面の少なくとも一部に接触するように、したがって先に検討されたとおり鼻マスクが着用されると、および加圧気体が流れている状態での使用時に生じる合力としての揚力に対抗するように構成される。
【０１８４】
この実施形態において、鼻下支持体２２４は、鼻シールの外側エンベロープ内に全体が画定されるかまたは囲まれ、すなわち、それは、シールハウジングまたは鼻の孔２０６の接触面エッジ２２２に接続する鼻シールの外側の接続エッジ２２７を越えて突出も延在もしない。しかしながら、代替的実施形態では、鼻下支持体２２４の少なくとも一部は、接続エッジ２２７によって画定されたハウジング孔を越えて突出し得ることが理解されよう。
【０１８５】
この実施形態において、鼻下支持体２２４は、鼻シールの左および右側間で鼻シール２０２の中央領域にわたって側方に吊り下げられる。図示のとおり、鼻下支持体は、鼻シールの顔に接触する側の鼻の孔または開口２０６の後ろまたは後方に配置されるかまたは位置する。鼻下支持体２２４は、この実施形態において取り外し可能ではないという点で鼻シールに動かないように接続される。一形態において、鼻下支持体は、鼻シール内で一体的に成形される。代替的形態において、鼻シールの鼻下支持体部品または部分は、別個に形成され、次いで接着剤または溶接などを介して鼻シール内で固定的に結合され得、またはそれは、シールハウジングに接続され得る。
【０１８６】
この実施形態において、鼻下支持構成２２４は、鼻シールの少なくとも一部にわたって鼻シール内で側方に延在する長尺状の主側方部分またはバンド２２９を含む。図４７〜４９、および５４〜５６、および５７を参照すると、この実施形態において、鼻下支持体２２４の主側方部分２２９は、各反対側端部において、鼻の孔２０６の頂点領域に対してシールの両側の鼻シールの上内面に位置するそれぞれの上接続点２３１へ吊り下げられるかまたは接続される。この実施形態において、鼻下支持体２２４の主側方部分２２９の末端部は、例えば、リブ２４１の形態のそれぞれの強化部分または領域を介して鼻シールの内面に接続される。この実施形態において、リブ２４１は、鼻シール内面内の上側方位置から実質的に垂直の向きに延在し、かつ接続位置２３１で主側方部分２２９のそれぞれの末端部内に延在するかまたは主側方部分２２９のそれぞれの末端部に接続する。この実施形態において、リブ２４１は、鼻下支持体２２４の主側方部分２２９と一体的に成形される。主側方部分２２９の端部でのリブ２４１は、鼻下支持体および主側方部分２２９の一部であるとみなされ得ることも認められるであろう。換言すると、強化部分または領域２４１は、主側方部分の延長部分、または単純に主側方部分の端部とみなされ得る。代替的に、強化部分または領域は、主側方部分の端部に接続されるかまたは主側方部分の端部と一体的に形成される個別のコンポーネントまたは構造とみなされ得る。強化部分またはリブ２４１の機能性および効果は、いずれの解釈においても実質的に同じままである。
【０１８７】
図５５を参照すると、リブ２４１は、その周辺エッジの一部において、後部領域２３４および前部領域２３３の一部を含む鼻シールの領域の内面に結合されるかまたはそれから延在する。この実施形態において、リブは、鼻の孔に隣接する薄くなったエッジ領域２３６を除く、後部領域２３４の一部および接触面を含む前部領域２３３の大部分にわたって延在する。しかしながら、代替的実施形態において、リブ２４１はまた、薄くなったエッジ領域２３６の少なくとも一部から延在し得るか、薄くなったエッジ領域２３６の少なくとも一部に接続し得るか、または薄くなったエッジ領域２３６の少なくとも一部内に延在し得ることが理解されよう。この実施形態において、鼻下支持体の主側方部分２２９は、鼻シール壁のより厚い後部領域２３４と延在するかまたは一致するリブの一部で各それぞれのリブ２４１に接続する。リブ２４１は、鼻下支持体２２４の主側方部分２２９に鼻シール内での固定的接続を提供し、かつまた鼻の両側で患者に接触する鼻シールのその面積または領域における剛性を増加させることにより、鼻シールへの構造上の支持という二重機能を提供する。特に、リブ２４１は、側面に立つか、または接触面２２０の鼻梁領域に関連する接触面２２０の上谷部領域２４５（図５２を参照されたい）の両側に位置する。特に、鼻シールが過剰な圧縮力下で崩壊することを防ぐと同時にまた、鼻下支持体と鼻シールの内面との間の頑丈な接続を可能にするリブまたはパネル２４１である。
【０１８８】
いくつかの実施形態において、リブは、マスクがきつく締められすぎると、直接的または間接的のいずれかでユーザへフィードバックを与えるようにも機能し得る。以下でさらに説明されるとおり、ユーザの鼻を締め付けるために、および／または接触面の、リブと隣接するか関連する部分を、例えばヘッドギアの締付を原因として、鼻シールの増加した圧縮下で鼻の側部内へ次第によりきつく押し込むために、リブの座屈は、鼻下支持体の形状を変形または変化させるように構成され得る。
【０１８９】
図５５を参照すると、この実施形態において、凹状領域またはゾーン２４３は、リブ２４１の前部分２４２ａと、鼻下支持体２２４の主側方部分２２９に接続する後部部分２４２ｂとの間に提供または形成される。この凹状領域２４３は、各リブ２４１における座屈ゾーンまたは軸２４２を作り出す。この実施形態において、座屈軸２４２は、厚さ領域移行境界２３５と凹状領域２４３の頂部との間から、厚さ領域移行境界２３５と凹状領域２４３の頂部とに向かって延在する。
【０１９０】
いくつかの構成において、座屈軸２４２は、リブ２４１が、ユーザにより着用されている鼻シールがその全奥行寸法において圧縮されるとき、使用時に鼻シールのその関連する側壁のその隣接する内面に向かって外向きに曲がることを可能にする。リブのこの座屈は、使用時に作り出されるシールを高めるために、リブ２４１の前部領域２４２ａがユーザの鼻に向かって内部へ屈曲または圧縮することを可能にし、また鼻下支持体をユーザの鼻下表面内へ持ち上げ得る。
【０１９１】
他の構成において、座屈軸２４２は、ユーザにより着用されているときに鼻シールがその全奥行寸法において圧縮されるとき、使用時にリブ２４１が互いに向かって内部へ曲がることを可能にする。リブのこの内部への座屈により、鼻下支持体２２４は、少なくとも横幅方向においてきつく締まるかまたは塞がり、これは、鼻下支持体に、ユーザの鼻の表面に圧力をかけさせるかまたはユーザの鼻の表面をきつく締めさせるように作用する。換言すると、リブの内部への座屈は、鼻下支持体の主側方部分の側方領域の接触面を互いに向かって移動させて、ユーザの鼻に圧力をかけるために鼻下支持体のＵ字形を効果的に狭めるかまたはきつく締める。
【０１９２】
凹状領域２４３は、リブの他の部分に対して奥行（すなわち、シールの内面に接続されたリブのエッジからのリブの自由周辺エッジの距離）または表面積が減少したリブ２４１の領域またはゾーンでもあり得る。
【０１９３】
図４８を参照すると、この実施形態において、鼻下支持体の上接続位置２３１は、鼻シールの側方端または側部の境界に位置する。特に、垂直接続リブ２４１および接続点２３１は、それらのそれぞれの側の鼻シールの外側横幅に対してオフセットされている。この実施形態において、接続位置２３１間の距離は、一般に、図４７および４８において２４２Ａで示されている鼻の孔の最外幅以下である。特に、鼻下支持体の主側方部分２２９の接続点２３１は、鼻シールとの関連において鼻の孔２０６と同じ幅ゾーン内に位置する。この実施形態において、接続リブ２４１は、ユーザの鼻梁に対するその頬および／または外側方鼻または側方鼻表面と係合する位置において、接触面の上側方頬領域２２３における接触面２２０から延在する。
【０１９４】
いくつかの実施形態において、図５７を参照すると、鼻下支持体２２４の主側方部分２２９は、接触面２２０から、鼻シールの外側の接続エッジ２２７の最外部分へ延在する寸法における鼻シールの全奥行プロファイルのおよそ中ほどまたは中央の奥行で鼻シール２０２にわたって側方に延在するように配置される。しかしながら、代替的実施形態において、主側方部分は、接触面のより近くであってもより遠くであっても、他の奥行で鼻シールにわたって側方に延在するように配置され得、また鼻シールの外側接続エッジ２２７または主エンベロープを越えて延在または突出する部分を有し得る。
【０１９５】
この実施形態において、鼻下支持体２２４は、２つの上側方接続部２３１に加えて鼻シールへの第３接続部も含む。この実施形態において、鼻下支持体は、２３２で示されるとおり鼻シールの中央下または底部に接続される。この実施形態において、鼻下支持体２２４の下中央接続部は、主側方部分２２９から中央に延在し、かつ鼻シールの上唇領域２２１における接触面２２０の鼻の孔エッジ２２２へまたはそこで結合もしくは接続される中央延長部または接続部分２３２の形態である。この実施形態において、中央接続部分２３２は、およそ砂時計の幅プロファイルを有する。特に、鼻の孔エッジ２２２および主側方バンド２２９とのインターフェイスの両方での中央接続部分２３２の幅寸法は、中央または中間領域における中央接続部分２３２の幅寸法より大きい。例えば、中央接続部分２３２は、接触面２２０の鼻の孔エッジ２２２と結合されるかまたは一体的に形成される第１端部２３２Ａから、鼻下支持体２２４の主側方バンド２２９に結合されるかまたは一体的に形成される第２端２３２Ｂへ延在する長尺状部分である（図４８、４９および５４を参照されたい）。この実施形態において、中央接続部分２３２の幅寸法は、およそ砂時計の幅寸法プロファイルを提供するために、その端部２３２Ａ、２３２Ｂの各々から、幅が減少した中央または中間領域に向かって次第に減少する。
【０１９６】
図５５および５６を参照すると、鼻下支持体の中央接続部分２３２は、接続部分２３２の接触面に直交する方向において様々な厚さのプロファイルを含む。この実施形態において、中央接続部分２３２の厚さは、主側方部分２２９でのその第２端２３２Ｂから、鼻の孔エッジ２２２でのその第１端部２３２Ａへ先細になっているかまたは幅が減少する。例えば、第２端２３２Ｂでの中央接続部分２３２の厚さは、その領域における主側方部分またはバンド２２９の厚さと実質的に等しいかまたは均一であり、第２端２３２Ｂまたは接続部分２３２の中間領域におけるポイントでのいずれかから、鼻の孔エッジ２２２での第１端部２３２Ａでの減少した厚さまで、厚さが先細になっているかまたは幅が減少する。この実施形態において、第１端部２３２Ａでの減少した厚さは、接触面の鼻の孔エッジ２２２の厚さと実質的に等しいかまたは均一である。例えば、中央接続部分２３２のその第１端部２３２Ａでの厚さは、鼻シールの接触面２２０の薄くなったエッジ領域２３６の厚さに実質的に等しいことができる。
【０１９７】
特に、図４７〜４９および５４を参照すると、この実施形態において、鼻下支持体２２４は、上側方接続部２３１間の鼻下支持体の横幅にわたって湾曲したプロファイルを備えて構成される。曲率プロファイルは、いくつかの実施形態において、鼻下支持体の横幅にわたって変化し得るが、代替的に、それは、他の実施形態では均一な曲率を有し得る。図示の実施形態において、曲率プロファイルは変化する。この実施形態において、鼻下支持体２２４の主側方部分２２９の接触面は、中間または中央領域２３５において、上側方接続部２３１へ延在する残りの側方または外側方領域２３６におけるより平らな曲線プロファイルと比べて急な曲線プロファイルを有する。例えば、２３５で示された中央領域において、主側方部分２２９には、中央領域２３５において実質的に均一な第１曲率半径が提供される。中央領域２３５の両側の残りの側方領域２３６の曲率半径は、一定であり得るかまたは様々であり得るが、一般に、それが、概して、より平らな曲率となるように、中央領域２３５の第１曲率半径より大きい曲率半径を有する。この実施形態において、主側方部分２２９は、その全横幅にわたり、平らな領域なしに湾曲した接触面プロファイルであるかまたはそれを含む。
【０１９８】
この実施形態において、鼻下支持体２２４の主側方部分２２９の接触面の幅は、鼻シールの対向する側間のその長さに沿って変化し得る。この実施形態において、主側方部分２２９は、中央領域２３５において、２３８で示された（図Ａ１５を参照されたい）実質的に均一な幅を含み、この幅は、次いで外側側方領域２３６において接続点２３１に向かって次第に増加する。
【０１９９】
図５６を参照すると、鼻シールが弛緩状態にあるとき（例えば、使用されていないとき）、中央密封軸ＡＧが接触面２２０の中央領域の最外上および下接点間で接線方向に延在するとして定義される。図５６に示されるとおり、中央領域における鼻下支持体の接触面の少なくとも一部は、軸ＡＨにより示され、鼻下支持体の接触面が密封軸ＡＧと平行でなく整列もしていないように、密封軸ＡＧに対して２３９で定義または示される角度で延在する。この実施形態において、鼻下支持体２２４の中央領域における接触面は、およそ４０°〜およそ８０°、より好ましくはおよそ４５°〜およそ７５°、なおより好ましくはおよそ５０°〜およそ７０°、なおより好ましくはおよそ５５°〜およそ６５°の範囲で密封軸ＡＧからオフセットされたある角度で方向付けられている。図示のとおり、中央接続部分２３２の少なくとも一部も、対応するかまたは整列された角度オフセットを有する。
【０２００】
上で説明されたとおり、この実施形態における鼻下支持体２２４は、鼻シール２０２に動かないように接続されるか、またはそうでなければ鼻シール２０２の一体的なコンポーネントである。図面は、静止状態にある、すなわち使用されていない鼻シール２０２およびその鼻下支持体２２４を示している。鼻シールの接触面２２０のように、鼻下支持体２２４も、鼻マスクインターフェイスがユーザの顔に固定されるかまたは他の方法で着用されると、その形状および位置がスリングまたはハンモック様の方式でユーザの鼻の鼻下表面に従い得るように、やわらかく可撓性であるかまたは曲げやすいように構成される。この実施形態において、鼻下支持体は、いずれの方向においても非伸縮性であるが、代替的実施形態では、同じ方向においてある程度の伸縮を有し得る。
【０２０１】
代替的鼻下支持体
鼻下支持体２２４の主側方部分２２９またはバンドは、鼻下支持体の横幅にわたっていくつかの曲率を有する略Ｕ字形である。代替的実施形態において、鼻下支持体は、平らなセクションもしくは部分、または概してより長方形または略四角の形状を有し得る。例えば、図６１を参照すると、代替的実施形態において、２２４Ａで示された鼻下支持体は、実質的に平らな中央水平部分２２９Ａと、２つの実質的に垂直なまたは直立した部分２２９Ｂであって、中央水平部分２２９Ａのそれぞれの端部から上方に延在し、かつそれぞれ先の実施形態と同様に直接的にまたはリブを介してかのいずれかで、接続点２２９Ｃで鼻シールの各上の後の側の内面に接続する部分２２９Ｂとを有し得る。
【０２０２】
鼻シール寸法の例
この実施形態において、鼻シール２０２の全高対全横幅の比は、およそ１：１〜およそ１：１．４の範囲であり、この例示的実施形態ではおよそ１：１．２である。この実施形態において、鼻シールの全高対全横幅対全奥行の比は、およそ１：１：０．６〜およそ１：１．４：１の範囲であり、この例示的実施形態ではおよそ１：１．２：０．８である。
【０２０３】
一例として、一鼻密封構成の態様の主寸法が縮尺の感覚を提供するために説明される。図４７を参照すると、中央領域において２４２Ｂで示された接触面エッジ２２２によって画定された鼻の孔の高さは、およそ８ｍｍ〜およそ４３ｍｍの範囲、好ましくはおよそ２３ｍｍであり、２４２Ａで示された鼻の孔の最外幅は、およそ２４ｍｍ〜およそ４９ｍｍの範囲、好ましくはおよそ３４ｍｍである。２４２Ｄで示された鼻シールの全高は、およそ２２ｍｍ〜およそ７２ｍｍの範囲、好ましくはおよそ４７ｍｍであり、２４２Ｃで示された全幅は、およそ４７ｍｍ〜およそ８７ｍｍの範囲、好ましくはおよそ５７ｍｍである。この実施形態において、幅が減少した中間領域における中央接続部分の幅２３２は、２４２Ｅで示されるとおり、およそ２ｍｍ〜およそ１５ｍｍの範囲、好ましくはおよそ３ｍｍである。図５２を参照すると、２４３Ａで示された鼻シールの全奥行は、およそ２９ｍｍ〜およそ４９ｍｍの範囲、好ましくはおよそ３９ｍｍである。２４３Ｂで示されたハウジング孔の側方接触面および側方エッジ間の鼻シールの奥行は、およそ２１ｍｍ〜およそ３６ｍｍの範囲、好ましくはおよそ３１ｍｍである。接触面２２０の中央鼻梁谷部２４５と対応する中央ハウジング孔エッジ２２７との間の鼻シールの奥行は、およそ１８ｍｍ〜およそ３３ｍｍの範囲、好ましくはおよそ２８ｍｍである。鼻シールの外側での接続エッジ２２７の外側側方ポイント間の鼻シールの横幅は、およそ４０ｍｍ〜およそ５０ｍｍの範囲、好ましくはおよそ４９ｍｍである。図５４を参照すると、鼻の孔２０６の底部エッジ２２２と鼻シール２０２の底面との間の鼻シールの高さは、およそ５ｍｍ〜およそ２０ｍｍの範囲である。
【０２０４】
図５８を参照すると、２４４Ａで示された主側方部分の接触面に直交する方向における鼻下支持体２２４の主側方部分２２９の厚さは、およそ０．２ｍｍ〜およそ３ｍｍの範囲、好ましくはおよそ１．１ｍｍである。主側方部分２２９の中央から延在する中央接続部分２３２は、同様の厚さで始まり、その後、図示のとおり、それが接触面２２０の鼻の孔エッジ２２２に接続するとより薄い厚さへ移行する。この例示的実施形態において、接触面のエッジ領域２３６の厚さは、およそ０．２ｍｍである。
【０２０５】
鼻シールの様々な態様の寸法は、異なるサイズの患者に提供するために様々であり得る。一実施形態において、鼻シールおよびインターフェイスは、小、中および大、またはより多数のサイズカテゴリなどのいくつかの異なるサイズで提供され得る。別の実施形態において、鼻シールは、小〜中サイズおよび中〜大などの２つのサイズで提供され得る。一例として、中〜大鼻シールと比べた小〜中鼻シールの寸法の態様が図５９〜６７を参照して一例として提供される。図５９および６０を参照すると、鼻下支持体の主側方バンド２２９の中央領域２３５の曲率半径Ｒは、およそ８ｍｍ〜およそ１８ｍｍの範囲、好ましくは小〜中鼻シールについておよそ１２．５ｍｍであり、中〜大鼻シールについて、中央領域２３５は、より長く、かつおよそ１４ｍｍの実質的に一定のより大きい曲率半径を含む。図６２および６３を参照すると、中間の薄い領域における中央接続部分の幅２３２は、小〜中サイズ構成についておよそ２．９ｍｍであり、中〜大構成についておよそ４．１２ｍｍである。図６４および６５を参照すると、主側方部分２２９の中央領域の軸ＡＨとシール接線方向軸ＡＧとの間の２３９で示された角度オフセットは、小〜中サイズ構成についておよそ６４°、中〜大構成についておよそ５８°である。図６６および６７を参照すると、鼻シールの鼻梁領域の接触面は、上述のとおり凹状谷部分２４５を含む。この実施形態において、２４５Ｂで示された谷部領域２４５の奥行は、小〜中および中〜大構成の両方についておよそ７ｍｍである。２４５Ａで示された谷部領域の幅は、およそ７ｍｍ〜およそ１７ｍｍの範囲、好ましくは小〜中サイズ構成についておよそ１３．８ｍｍ、および中〜大構成についておよそ１４．１ｍｍである。
【０２０６】
説明されたとおり、鼻シールは、一般に寸法的に、ならびに／または図４８に示されたとおり外側から、および図４７に示されるとおり正面または顔に接触する側から見たときに略長方形形状を有するように構成される。
【０２０７】
シールハウジング
図６８〜７４を参照して、鼻マスクインターフェイス２００のこの実施形態のシールハウジング２０４がさらに詳細に説明される。この実施形態において、シールハウジング２０４は、剛性材料で形成されるか、または可撓性鼻シールより剛性である。例えば、シールハウジングは、プラスチックポリマー、例えばポリカーボネートなどから形成され得る。
【０２０８】
シールハウジングまたはシェル２０４は、２６２で示されたシール接続側の主開口から２６１で示された外側へ延在する略中空のコンポーネントである（図７２を参照されたい）。シールハウジング２０４のシール接触側２６２の開口は、シールハウジング２０４の外周エッジ２６３によって画定される。シールハウジング２０４は、概して、シールハウジングの頂部２６４Ａ、底部２６４Ｂおよび側方側２６４Ｃ、２６４Ｄ間で開口の外周エッジ２６３からシールハウジングの外側２６１へ延在する凹状形状の外面によって画定され、それにより、シールハウジングの外側２６１で外面に提供された吸気開口２６５からの気体流を受けるためのマスク空洞または容積を集合的に画定するために、鼻シール２０２と協働する奥行を備えた実質的に中空のコンポーネントを提供する。
【０２０９】
シールハウジング２０４の主開口の外周エッジ２６３は、鼻シールをシールハウジングに結合してマスク空洞を形成するために、鼻シール２０２の接続エッジ２２２に接続または結合するように構成される。鼻シール２０２およびシールハウジング２０４は、オーバーモールド、溶接、接着剤、機械的結合構成、またはこれらの組合せを含む様々な方法を介して永続的または半永続的に接続または結合され得ることが理解されよう。
【０２１０】
図４６を参照すると、この実施形態において、鼻シール２０２の接続エッジ２２２は、コンポーネントのエッジ２２２、２６３間のインターフェイスでの相補的表面の接着剤、オーバーモールドまたは溶接を介して、シールハウジング２０４の外周エッジ２６３に永続的に接続または結合される。しかしながら、代替的実施形態において、接続エッジ２２２または外周エッジ２６３のいずれかに、機械的接続を形成するために互いに係合するチャネルまたは相補的リッジまたは同様にその逆が提供され得ること、およびこの機械的結合に加えて、オーバーモールド、接着剤、または溶接が接続を確実にするために施され得ることが理解されよう。例えば、リッジおよびチャネル構成は、第１実施形態の鼻マスクインターフェイスを参照して説明されたものと同様であり得る。
【０２１１】
この実施形態において、シールハウジング２０４の周辺エッジ２６３および鼻シール２０２の接続エッジ２２２の形状および寸法は、認められるとおり、コンポーネント間の頑丈な接続を可能にするために互いに補完する。代替的実施形態において、鼻シール２０２は、必要に応じて剛性クリップまたは他の解放可能な結合機構を介してシールハウジング２０４に解放可能に接続可能であり得ることが当業者により認められる。
【０２１２】
この実施形態において、シールハウジング２０４の外面には、ヘッドギア２５０と関連するヨーク２０８を解放可能に受け入れかつ保持するためのヨークチャネルを形成する、全体として２６６で示されたチャネルまたは凹部が設けられる。この実施形態において、ヨークチャネル２６６は、シールハウジングの中間または上部領域においてシールハウジング２０４の外面にわたって側方に延在する。シールハウジングの底部でまたはシールハウジングの底部に向かってヨークチャネル２６６より下にあるのは、使用された際鼻マスクインターフェイス内への気体の供給を受けるように構成される中央吸気開口２６５である。この実施形態において、シールハウジング２０４の吸気開口２６５は、導管フレーム２１１に解放可能に結合するように構成され、導管フレーム２１１は、したがって、上述のとおり気体供給導管２６０の端部に解放可能または永続的に接続される。
【０２１３】
この実施形態において、シールハウジング２０４の吸気開口２６５は、実質的に、主軸がシールハウジングにわたって側方に延在している楕円の形状である。したがって、図７０に示されるとおり外側から見ると、吸気開口２６５は、高さにおいてよりも側方においてより幅広である。図７２に示されるとおり、吸気開口２６５は、例えば、図４２において線ＡＥにより示された楕円孔の主軸を通って延在する平面２６５Ａに対して実質的に対称的である。図７０および７４を参照すると、吸気開口２６５は、それが外周の少なくとも一部の周りに奥行を有する点で、シールハウジング２０４の前壁面を通じて導管部分を形成する。例えば、吸気孔２６５は、シールハウジング内へ、シールハウジングの外面から内面へ延在する上２６５Ｃおよび下２６５Ｂ面を含む。この実施形態において、構造の突出部２６７が吸気孔２６５の上および下面２６５Ｂ、２６５Ｃにわたって提供される。この実施形態において、突出部２６７は、長尺状突出部であって、シールの内面ハウジングでまたはシールの内面ハウジングに向かって、上および下部領域における楕円孔２６５の外周の中央部分にわたって延在する長尺状突出部である。動作中、突出部２６７は、導管フレーム２１１の相補的凹部またはチャネル２８７と係合して、吸気孔２６５内への導管フレームのスナップ嵌合式の解放可能な係合を提供する。
【０２１４】
この実施形態において、図７２に示されるとおり、吸気孔２６５の上および下部領域の少なくとも一部は、シールハウジング２０４の表面の大部分を越えて突出する。図７０および７４を参照すると、この実施形態において、吸気孔構成には、２６８で示されるとおり、吸気孔の周辺部の少なくとも一部の周りに凹状の局所的領域も設けられる。この実施形態において、吸気孔２６５には、吸気孔の側方側の各々にまたは吸気孔の側方側の各々に向かって、２６８で示された２つの分離した凹状領域または面が設けられる。この実施形態において、凹状領域２６８は、互いに合う前に終端するが、代替的実施形態では、凹状領域は、楕円吸気孔２６５の外周全体の周りに延在し得ることが理解されよう。動作中、凹状領域２６８は、導管フレーム２１１がシールハウジング２０４の吸気孔２６５内へ組み立てられたときに連続的または融和した外面を提供するために、吸気孔を囲むシールハウジングの導管フレームと外周面との間のインターフェイス領域が実質的に滑らかであるかまたは平坦であるように、導管フレーム２１１の相補的係合面を受けるように成形および寸法決めされる。
【０２１５】
この実施形態において、ヨークチャネル２６６には、ヨーク２０８に設けられた相補的係止特徴と係合する位置決め特徴２７１が設けられる。この実施形態において、ヨークチャネル２６６の位置決め特徴２７１は、凹状構造であり、この凹状構造の中へ、ヨーク２０８に設けられた相補的位置決め突出部または構造が、ヨーク２０８をシールハウジング２０４にロックするために係合する。この実施形態において、ヨークチャネル２６６の凹部２７１およびヨーク２０８の相補的突出部は、コンポーネントが、ヨークチャネルのそれらの相補的凹部２７１内で係合したヨーク突出部と一緒に係合されると、２つのコンポーネントを合せてロックまたは固定する、残っている張力または圧縮力が存在するようにヨークがわずかに変形するように整列する。ヨークチャネル２６６、ヨーク２０８、およびヘッドギア組立体は、概して、後でさらに詳細に説明される。
【０２１６】
シールハウジング２０４は、吸気開口の配置構成の形態の偏流通気口２１２を含む。この実施形態において、シールハウジング２０４は、偏流通気穴の１つまたは複数の配列の配置構成を含む。この実施形態において、シールハウジング２０４は、離間された偏流通気穴の３つの個別の線配列を含む。第１に、偏流通気穴の上配列２１２は、２１２Ａに示されるヨークチャネル２６６より上にシールハウジングの上面にわたって延在する。この実施形態において、偏流通気穴の上水平列または配列は、側方側間でシールハウジングの上部領域の全幅にわたって延在する。偏流通気穴の垂直線配列２１２Ｂ、２１２Ｃも吸気孔２６５の両側でシールハウジングの側方側の各々に設けられる。図示のとおり、偏流通気穴の垂直配列２１２Ｂ、２１２Ｃは、ヨークチャネル２６６より下から延在し、シールハウジング２０４の下面でまたはシールハウジング２０４の下面に向かって終端する。この実施形態において、配列２１２Ａ、２１２Ｂ、２１２Ｃの穴または孔は、レーザー穿孔されるが、代替的手段によっても形成され得る。追加的に、上２１２Ａおよび下側２１２Ｂおよび２１２Ｃ通気口配列の各々は、構成が単数の線配列に限定されない点で複数の線配列または列を含み得ることが理解されよう。追加的に、孔の配列は、代替的構成では必ずしも均一に離間していなくてよい。上２１２Ａおよび下側２１２Ｂ、２１２Ｃ通気口配列を備えた構成は、鼻マスクインターフェイスが使用されるときに騒音およびすきま風を防ぐように構成される。代替的にまたは追加的に、偏流通気穴が導管フレーム２１１に提供され得る。
【０２１７】
図７０、７１および７２を参照して、縮尺の感覚を提供するためにシールハウジング２０４の構成の例示的寸法が一例としてのみ提供される。図７１を参照すると、２７２Ａで示された頂面２６４Ａと底面２６４Ｂとの間のシールハウジング２０４の全高は、およそ１９ｍｍ〜およそ５９ｍｍの範囲、好ましくはおよそ３９ｍｍであり、２７２Ｂで示される側方側２６４Ｃおよび２６４Ｄ間のシールハウジングの全幅は、およそ４５ｍｍ〜およそ７５ｍｍの範囲、好ましくはおよそ５０ｍｍである。図７２を参照すると、２７２Ｃで示されたシール接触側２６２と外側２６１との間のシールハウジングの全奥行は、およそ１９ｍｍ〜およそ４９ｍｍの範囲、好ましくはおよそ２４ｍｍである。図６８および７０を参照すると、本例において、２７２Ｄで示されるシールハウジングの中央におけるヨークチャネル２６６の頂面２６４Ａと上内面２６６Ａとの間の距離または高さは、およそ５ｍｍ〜およそ２０ｍｍの範囲、好ましくはおよそ１０ｍｍである。この実施形態において、偏流通気口配列２１２Ａ、２１２Ｂ、２１２Ｃにおける開口の直径２７２Ｆは、およそ０．６ｍｍ〜およそ０．８ｍｍの範囲、好ましくはおよそ０．７ｍｍである。
【０２１８】
導管フレーム
図７５〜８１を参照して、シールハウジング２０４の吸気孔２６５内に解放可能に係合する導管フレーム２１１がさらに詳細に説明される。
【０２１９】
この実施形態において、導管フレーム２１１は、スナップ式の係合を介してシールハウジングの吸気孔２６５内に、解放可能に係合または接続するように構成されるが、これらのコンポーネントを解放可能に接続するための他の任意の作動可能な機構または機械結合配置構成が代替的に使用され得ることが理解されよう。
【０２２０】
この実施形態において、導管フレーム２１１は、主中空本体であって、シールハウジング２０４の吸気孔２６５内へ係合するように構成される第１端部２８３Ａから、コネクタを介して直接的または間接的のいずれかで端部と接続または結合するように構成される第２端２８３Ｂへ延在する主中空本体を含む。導管フレーム２１１は、図８１および８２に示されるとおり、中空導管をその第１端部２８３Ａと第２端部２８３Ｂとの間のその本体の長手方向軸に沿って形成する。導管は、本体の各端部で開いており、この実施形態では、導管フレーム２１１の本体の長さに沿って断面形状が実質的に楕円である。図７９を参照すると、この実施形態において、本体を通って延在する楕円導管の内周は、第１端部２８３Ａから第２端２８３Ｂへ本体の長さに沿って変化する。この実施形態において、（シールハウジングに接続する）第１端部２８３Ａでの導管の円周は、漏斗状プロファイルを作り出すために、（空気供給導管に接続する）第２端２８３Ｂでの楕円導管の円周と比べてより大きい。
【０２２１】
図７９および８０を参照すると、この実施形態において、導管フレーム２１１は、少なくとも、ＡＪ（図８０を参照されたい）で示された長手方向軸ＡＩ（図７９を参照されたい）を通って延在する水平面を中心として対称的である。この実施形態において、対称軸ＡＪは、楕円導管を通って延在する主軸に対応する。この対称性は、シールハウジング２０４の吸気孔２６５の対称性に対応し、かつ２つの向きのいずれかにおいて、導管フレーム２１１がシールハウジング２０４に接続されることを可能にする。換言すると、導管フレーム２１１は、互いに対して１８０°回転された２つの向きのいずれかにおいてシールハウジングの吸気孔２６５内に解放可能に結合され得る。この実施形態において、導管フレーム２１１はまた、導管フレームの長手方向軸ＡＩに沿って延在するＡＫで示される垂直面に対して対称的である。垂直面は、卵形導管の短い方の軸に対応し、水平面ＡＪに対して直角であるかまたは直交する。特に、導管フレームは、導管フレームの長手方向軸を通じて延在する２つの横断面に対して対称的である。
【０２２２】
図７５を参照すると、この実施形態において、導管フレーム２１１の本体は、中央把持部分２８４、シールハウジングの吸気孔２６５に接続するための第１端部２８３Ａでの第１接続部分２８５、および気体供給導管に接続するための第２端２８３Ｂでの第２接続部分２８６を含む。
【０２２３】
シールハウジング接続部分２８５は、中央把持部分２８４の第１端部２８４Ａから延在し、かつ導管フレームの第１端部２８３Ａで終端する。導管接続部分２８６は、中央把持部分２８４の第２端２８４Ｂから延在し、かつ導管フレーム２１１の第２端２８３Ｂで終端する。図に示されるとおり、シールハウジング接続部分２８５および導管接続部分２８６の両方は、導管フレームの長手方向軸に対して断面が楕円である。この実施形態において、図７９を参照して、接続部分２８５、２８６の外周の両方は、中央把持部分２８４のそれらのそれぞれの端部から導管フレーム２１１のそれらのそれぞれの端部２８３Ａ、２８３Ｂへ減少するかまたは先細になる。導管フレームは、代替的実施形態では、楕円に対して代替的形状プロファイルを有し得ることが理解されよう。例えば、導管フレームは、代替的形態では、円形断面を有する内部導管を有し得る。
【０２２４】
この実施形態において、把持部分２８４は、導管フレームの上および下面に上および下凹状把持部分２８４Ｃ、２８４Ｄを含む。上および下面の凹状把持領域２８４Ｃ、２８４Ｄは、必要に応じて使用時に導管フレーム２１１をシールハウジングから挿入または解放するために、ユーザが親指と人さし指との間に挟んで把持することを可能にする。
【０２２５】
この実施形態において、中央把持部分２８４は、導管フレームの側方側から突出するリップの翼付き領域２８４Ｅ、２８４Ｆを形成するために、第１端部２８４Ａに向かって側方側で幅が増加する。この実施形態において、図７７に示されるとおり、中央把持部分の第１端部２８４Ａは、実質的に凹状の形状である。この実施形態において、シールハウジング接続部分２８５に隣接する翼付き領域２８４Ｅ、２８４Ｆの内面２８４Ｇ、２８４Ｈは、シールハウジングの吸気孔２６５の凹状側方領域２６８に対して相補的な形状および寸法である。特に、導管フレーム２１１の翼付き領域の内面２８４Ｈ、２８４Ｇは、吸気孔２６５と関連する相補的凹状領域２６８と当接または係合する。この実施形態において、翼付き領域と関連する２８４Ｉおよび２８４Ｊで示された領域における把持部分２８４の外部または外面プロファイルは、吸気孔２６５の側方側のシールハウジングの曲率または形状を補完する曲率または形状を有する。翼付き領域２８４Ｉ、２８４Ｊのこの相補的形状は、それらが一緒に組み立てられると、導管フレーム２１１およびシールハウジング２０４の外部嵌合またはインターフェイス領域で平坦で連続的な表面プロファイルを提供する。把持部分または領域２８４の第１端部２８４Ａの凹状プロファイルは、一緒に組み立てられたときに導管フレームとシールハウジングとの間のインターフェイスで連続的で平坦なまたは融和した外面を提供するために、シールハウジング２０４の吸気孔２６５の周辺部に隣接するか、またはこれを囲む凹状表面プロファイルを補完するために構成または配置される。
【０２２６】
図７５および７７を参照すると、導管フレームの第１端部２８３Ａでのシールハウジング接続部分２８５の上および下部分にアンダーカットまたは凹状溝２８７が設けられる。これらの溝２８７は、導管フレーム２１１がスナップ式の係合を介してシールハウジングの吸気孔２６５内に動かないように係合することを可能にするために、シールハウジングの吸気孔２６５の上および下突出部２６７を補完するために成形および寸法決めされる。
【０２２７】
この実施形態において、図示のとおり、導管フレーム２１１の本体は、第１端部２８３Ａと第２端部２８３Ｂとの間のその長さに沿って実質的に卵形の本体である。しかしながら、代替的断面形状は、円形または他の好適な形状など、必要に応じて、代替的実施形態において本体の内部導管および／または一般的な形状が使用され得ることが理解されよう。この実施形態において、卵形本体は、少なくとも、本体の長手方向軸を通って延在する垂直面軸ＡＫに対してわずかに変形可能である。これは、導管フレーム２１１をわずかに変形させるために、把持領域２８４Ｃ、２８４Ｄがユーザにより互いに向かって圧縮されることを可能にし、それにより導管フレーム（およびその関連する空気供給導管）がシールハウジングから除去または分離されることを可能にするために、シールハウジング２０４における導管フレーム２１１間のスナップ式接続の係合解除を可能にする。
【０２２８】
図７７および８０を参照すると、この実施形態の導管フレームの一構成の例示的寸法が縮尺の感覚を提供するために説明される。図８０を参照すると、主軸２９０Ａのための導管接続端部２８３Ｂでの楕円孔の寸法は、およそ９ｍｍ〜およそ２９ｍｍの範囲、好ましくはおよそ１９ｍｍ、および短い方の軸２９０Ｂについておよそ５ｍｍ〜およそ２１ｍｍの範囲、好ましくはおよそ１１ｍｍである。導管接続部分２８６の楕円押出は、主軸へ、およそ１４ｍｍ〜およそ３４ｍｍの範囲、好ましくはおよそ２４ｍｍ、次第に寸法が増加し、短い方の軸へは、本体の把持部分２８４でまたは本体の把持部分２８４に向かっておよそ６ｍｍ〜およそ２６ｍｍの範囲、好ましくはおよそ１６ｍｍ、次第に寸法が増加する。短い方の軸２９０Ｂと整列しているかまたは平行な寸法における最外上および下面間の導管フレーム２１１の全高２９０Ｃは、およそ１２ｍｍ〜およそ２２ｍｍの範囲、好ましくはおよそ１７ｍｍである。主軸２９０Ａと整列しているかまたは平行である寸法における、中央把持部分２８４の最外翼状部領域間の導管フレーム２１１の全幅２９０Ｄは、およそ２５ｍｍ〜およそ４５ｍｍの範囲、好ましくはおよそ３５ｍｍである。図７７を参照すると、２９０Ｆに示された、導管フレームのその第１および第２端２８３Ａ、２８３Ｂ間の全長は、およそ１０ｍｍ〜およそ３０ｍｍの範囲であり、および２９０Ｅで示されたシールハウジング接続部分２８５の幅は、およそ１４ｍｍ〜およそ３４ｍｍの範囲、好ましくはおよそ２４ｍｍである。寸法は、代替的実施形態において必要に応じて様々であり得ることが理解されよう。
【０２２９】
図７９を参照すると、導管フレーム２１１の、２８９Ａで示された第１領域は、突出または延在してシールハウジング２０４の優遇吸気孔２６５内へ係合する接続部分２８５を識別する。第２端２８３Ｂに向かう２８９Ｂで示された導管フレームの第２の残りの部分は、シールハウジングから延在または突出する。導管フレーム２１１の第１端部２８３Ａは、シールハウジングの吸気孔２６５に係合または称賛するハウジング孔開口を画定することができ、端部２８３Ｂ導管フレームは、直接的にまたはコネクタを介してのいずれかで気体供給導管の端部に係合または結合する導管孔を表すことが理解されよう。
【０２３０】
ヨーク組立体、シールハウジングへのヨーク接続、およびヘッドギア
図８２〜１０２を特に参照して、ヨーク２０８、ならびにシールハウジング２０４およびヘッドギア２５０へのその接続がさらに詳細に説明される。上述のとおり、この実施形態において、ヘッドギア組立体は、ヨークまたはコレクタ２０８を含み、このヨークまたはコレクタ２０８は、鼻マスク組立体、特に鼻マスク組立体のシールハウジング２０４に解放可能に付着または結合するように構成される。
【０２３１】
ヨーク２０８は、ヘッドギア２５０のストラップに付着するように構成される。実施形態において、図３５および３６に示されるとおり、ヘッドギア２００は、患者の頭部の後ろを包むように構成される後部ストラップ２５８、患者の頭部の頂部の上を包むように構成される上ストラップ２５４、および使用中患者の頬に沿って延在するように構成される前部または側部ストラップ２５２の対を含むストラップの組立体を含む。様々なストラップの各々は、一部が他の部分の延長部分である一体的なコンポーネントとして形成され得、かつ／またはそうでなければ後に永続的に一緒に接続されるか、もしくは互いに対して解放可能な接続のために構成されているかのいずれかである別個に形成されたストラップ部分であり得る。例えば、図示の一形態において、後部ストラップ２５８は、使用中に患者の頬に沿って延在するために前部または側部ストラップ２５２を形成する側部延長部を含み、上ストラップ２５４は、各端部において、ヘッドギアのそれぞれの各側で後部２５８または側部２５２ストラップのいずれかのそれぞれの部分に接続される。別の形態において、各側部ストラップ２５２は、ヘッドギア組立体の後部ストラップ２５８、例えば後部ストラップ２５８の自由端部または自由端部に結合されたコネクタに後部コネクタコンポーネントにより取り付けられるかまたは解放可能に接続され、上ストラップ２５４は、後部ストラップ２５８に一体的に形成されるかまたは解放可能に接続される。なお別の形態において、上ストラップ２５４は、使用中に患者の頬に沿って延在するために前部または側部ストラップ２５２を形成する側部延長部を含み、後部ストラップ２５８は、ヘッドギアのそれぞれの各側において、上２５４または側部２５２ストラップのいずれかのそれぞれの部分に（永続的または解放可能に）各端部で接続される。
【０２３２】
一形態において、ヘッドギアは、自動的に調整可能であり得、および／または比較的少ない量の抵抗でヘッドギアが長さを減少させ、かつヘッドギアの長さの増加に耐えることを可能にする１つまたは複数の方向性ロックを含み得る。いくつかの構成において、方向性ロックの係止力は、インターフェイス組立体の着用のためのヘッドギアの伸延を可能にするために克服され得る。いくつかの形態において、ヨーク２０８は、自動的に調整可能なヘッドギアシステムにおいて使用されるフィラメントのためのコレクタを形成し得る。この形態において、ヨーク２０８は、１つまたは複数の方向性ロックを含むことができ、１つまたは複数の方向性ロックの各々は、座金機構を含むことができ、この座金機構は、ヘッドギアの延長中にフィラメントと摩擦係合するように構成され得るが、ヘッドギアの格納中に比較的摩擦のない移動を可能にする。座金機構は、ヨーク２０８の端部内に組み込まれ得、ヨークの本体は、本体内にフィラメントを受けるために実質的に中空であり得る。ヘッドギアおよびその任意の部分は、その全体が参照により本明細書に組み込まれる本出願人の米国特許出願公開第２０１６／００８２２１７号明細書、米国特許出願公開第２０１６／０１４４１４６号明細書、およびＰＣＴ特許出願公開国際公開第２０１６／０４３６０３号において開示された実施形態のいずれかに従って構成され得る。
【０２３３】
各側部ストラップ２５６は、コネクタが取り付けられ得る自由端部を含み得る。各コネクタは、ヨーク２０８に位置する相補的ストラップコネクタに係合し得る。この実施形態において、ヨーク２０８、は実質的に長尺状であり、かつヨーク２０２の各端部にまたはヨーク２０２の各端部の近くに位置するストラップコネクタを含む。
【０２３４】
側部ストラップ２５６とヨーク２０８との間の接続は、スナップ式の接続、スクリュ式およびねじタイプ接続、またはフック接続などの任意の好適な接続の形態であり得る。一形態において、ヨーク２０８の各ストラップコネクタは、ヨーク２０８の各端部に位置する端部キャップ２９１（図８３を参照されたい）を含む。各端部キャップ２９１は、端部キャップ２９１をそれぞれの側部ストラップ２５６の各端部に固定するために、それぞれの側部ストラップ２５６のコネクタを受けるように構成される孔または凹部など開口を含み得る。端部キャップ２９１は、次いで、解放可能（例えば、スナップ式の配置構成を介して）または永続的のいずれかでヨーク２０８のそれぞれの端部に接続され、それによりヨーク２０８をヘッドギア組立体の側部ストラップ２５６へ接続する。別の形態において、側部ストラップ２５６の自由端部は、それぞれの端部キャップ２９１内に直接結合されるかまたは永続的に固定され、それぞれの端部キャップ２９１は、次いで、ヨーク２０８のそれぞれの端部に解放可能または永続的のいずれかで接続され、それによりヨークをヘッドギア組立体の側部ストラップ２５６に接続する。
【０２３５】
図６８、７０、および図８２〜８７を参照すると、上で言及したとおり、ヨーク２０８は、鼻マスクインターフェイスのシールハウジング２０４に付着するようにも構成される。一形態において、検討されたとおり、シールハウジング２０４は、ヨーク２０８およびシールハウジング２０４が一緒に取り付けられると、ヨーク２０８の少なくとも一部を受け入れるように構成される凹状領域またはヨークチャネル２６６を含み得る。ヨークチャネル２６６は、上壁２６６Ａ、後部壁２６６Ｃ、および下壁２６６Ｂによって形成または画定される。この実施形態において、ヨーク２６６は、ヨーク２０８の上２９２Ａおよび下２９２Ｂエッジ間で非対称性を有する。図示の実施形態において、ヨーク２０８の上エッジ２９２Ａは、下エッジ２９２Ｂ（図８６を参照されたい）よりも直線である。非対称性は、有利には、シールハウジング２０４のヨークチャネル２６６内へのヨーク２０８の組立体のための正しい向きに関する改良された視覚的合図を提供し、かつ不正確な組立を防止するのに役立つ。
【０２３６】
図６８および７０に示されるとおり、シールハウジング２０４のヨークチャネル２６６は、上２６６Ａおよび下２６６Ｂ壁において位置決め特徴またはコネクタ凹部２７１を含む。図示の実施形態において、コネクタ凹部２７１は、ヨークチャネル２６６の各側方端部に隣接または近接して位置付けられる。コネクタ凹部２７１は、ヨークチャネル２６６の前エッジでまたはヨークチャネル２６６の前エッジに沿って（例えば、上壁２６６Ａおよび下壁２６６Ｂの内部を向く面の前エッジでまたは上壁２６６Ａおよび下壁２６６Ｂの内部を向く面の前エッジに沿って）保持リップ２７１Ａを少なくとも部分的に画定または形成する。ヨーク２０８は、ヨーク２０８の上、下、および／または後部から後方に突出するコネクタ突出部２９３を含む。図示の実施形態において、ヨーク２０８は、ヨーク２０８の中心の各側にコネクタ突出部２９３を含む。図示の実施形態において、ヨーク２０８は、本明細書においてより詳細に説明されるとおり、一緒に結合されるヨークフロント２９４Ａおよびヨークバック２９４Ｂを含み、コネクタ突出部２９３は、ヨークバック２９４Ｂにおいて形成される。ヨークチャネル２６６のコネクタ凹部２７１は、シールハウジング２０４およびヨーク２０８が一緒に結合されてシールハウジング２０４とヨーク２０８との間にスナップ式の接続を形成するときに相補的コネクタ突出部２９３を受けるように構成される。シールハウジング２０４およびヨーク２０８が一緒に結合されると、保持リップ２７１Ａは、コネクタ突出部２９３の前方のヨーク２０８に係合し、スナップ式の接続に貢献し、かつヨークチャネル５１６においてヨーク２０８を保持する。図示の実施形態において、コネクタ突出部２９３およびコネクタ凹部２７１は、四角形または長方形プロファイルを有し、これは、ヨーク２０８が回転してヨークチャネル２６６から外れることを抑止する。
【０２３７】
いくつかの実施形態において、ヨーク２６６は、例えば、その長さに沿って楕円形または実質的に楕円形の断面を有する。この形状は、有利には、ヨーク２６６のサイズまたはかさを減少させ、および／または改良された審美的外観を提供する。本明細書においてより詳細に検討される方向性ロックの座金ハウジング２９５は、例えば、図８８〜８９に示されるとおり、ヨーク２６６の全体として楕円形または実質的に楕円形の断面を可能にしかつ／またはこれに貢献するために、Ｄ字形、実質的にＤ字形、Ｕ字形、または実質的にＵ字形の断面を有し得る。座金ハウジング２９５は、本体内のヨーク２６６の各端部にまたはヨーク２６６の各端部に向かって位置する。明確にするために、右座金ハウジング２９５のみが図８８〜８９におけるヨークの一端に示されており、他方の省略された左座金ハウジングの取付空間２９５Ａが他端に示されている。座金ハウジング２９５の対は、互いに反対側に方向付けられ得る（図９１を参照されたい）。換言すると、座金ハウジング２９５の１つ、例えば図１３６Ｃに示される右座金ハウジング２９５は、上向きのＵ字形として方向付けられ得、他方の座金ハウジング、例えば（図から省略された）左座金ハウジングは、下向きのＵ字形として方向付けられ得る。この配置構成および向きは、本明細書においてより詳細に検討されるとおり、直線またはフィラメントトラック２９６Ａ、２９６Ｂが、それぞれ左および右座金ハウジング２９５より上および下に延在することを可能にするのに役立ち得る。
【０２３８】
いくつかの実施形態において、ヨーク２０８またはヨーク２０８の中央部分は、ヨーク２０８がヨークチャネル２６６から突出しないかまたは実質的に突出しないように、ヨークチャネル２６６の奥行と同じであるか、同様であるか、または対応する奥行（頂部から見た場合、例えば図８４）を有する。他の実施形態において、図４６に示されるとおり、ヨーク２０８の少なくとも一部は、ヨークチャネル２６６を越えて突出し得る。
【０２３９】
図８４および８５に示されるとおり、図示の実施形態において、ヨーク２０８の後部または裏面は、ヨーク２０８が段差の付いたまたは様々な奥行（頂部から見た場合）を有するように、ヨーク２０８の中央部分３００の各側または側方側３０２での後方ステップまたは移行部を含む。換言すると、ヨーク２０８がシールハウジング２０４に結合されると、ヨークチャネル２６６の側方に外側に位置付けられるヨーク２０８の側方部分３０２は、ヨーク２０８がシールハウジング２０４に結合されると、ヨークチャネル２６６において位置付けられるヨーク２０８の中央部分３００の奥行または厚さ３０６より大きい奥行３０４（少なくとも正面から裏面への方向において）または厚さを有する。ステップまたは移行部は、ヨーク２０８の中央部分３００と側方部分３０２との間の移行部に当接面３０８を形成または画定する。ヨーク２０８がシールハウジング２０４に結合されると、当接面３０８の各々は、シールハウジング２０４の側方エッジまたは表面３１０の１つに当接するか、または隣接もしくは近接して位置付けられる（図６８および７２を参照されたい）。当接面３０８および側方エッジ３１０は、組立中にヨーク２０８をシールハウジング２０４と適切に整列させるのに役立つ。当接面３０８および側方エッジ３１０は、同様にまたは代替的に、ヨーク２０８とシールハウジング２０４との間のより頑丈な接続を提供する。ヨーク２０８の中央部分の減少した奥行または厚さは、有利には、シールハウジング２０４およびヨーク２０８組立体の全体的なサイズを減少させる。
【０２４０】
上述のとおり、この実施形態において、ヨーク２０８は、その上エッジまたは表面２９２Ａと下エッジまたは表面２９２Ｂとの間に非対称性を有する。図８６を参照すると、この実施形態において、上エッジ２９２Ａは、下エッジ２９２Ｂよりも直線である。この実施形態において、ヨーク２０８の高さプロファイルは（正面から見た場合、例えば図８６）、端部キャップ２９１間でヨークの横幅にわたって変化する。図示の実施形態において、図８６および８７に示されるとおり、シールハウジングのヨークチャネル２６６において概して受け入れられる中央領域３００におけるヨーク２０８の高さは、側方側領域３０２におけるヨークの高さに比べて減少する。この実施形態において、中央領域３００におけるヨークの高さは、中央領域におけるヨークの下エッジ２９２Ｂの湾曲した（例えば、凹状）表面プロファイルを介して、最も高さが減少しているヨークの中心の頂部まで徐々に減少する。
【０２４１】
図８４〜８７を参照すると、この実施形態において、ヨーク２０８の、その長さに沿った（頂部から見た場合）様々な奥行および（正面から見た場合）高さプロファイルは、ヨーク長さに沿って様々な全厚プロファイルを提供する。例えば、中央領域３００におけるヨークの（奥行および高さにおける）全厚は、側方領域３０２の（奥行および高さにおける）全厚より小さいかまたは薄い。特に、ヨークは、薄い中央領域３００と、中央領域の両側により厚い側方領域３０２とを有するともみなされ得る。薄い方の領域３００は、概して、シールハウジング２０４のヨークチャネル２６６に受け入れられる一方、より厚い側方領域は、シールハウジング２０４に接触せず、シールハウジングの側部から離れるように外向きに延在する。ヨークの長さ、厚さ、および凸状曲率プロファイルは、シールハウジングと融和するように構成され、またヨークの側方側が使用時にユーザの顔に接触しないように構成される。
【０２４２】
図８４および８５を参照すると、この実施形態において、ヨーク２０８の（頂部から見た場合）曲率半径は、ヨークのより薄い中央領域３００の大部分において実質的に一定であり、次いで、曲率半径は、ヨークのより厚い側３０２で増加するかまたはより大きくなる。いくつかの実施形態において、より厚い側方領域３０２は、それらの長さに沿って、曲率なしに実質的に一定の角度で延在し得る。
【０２４３】
図８６を参照すると、（例えば、図８６におけるように正面から見た場合）各側方エッジ間のヨーク２０８の全幅３０１Ａは、およそ６０ｍｍ〜およそ１２０ｍｍの範囲である。図８７を参照すると、（例えば、図８７のように側部から見た場合）正面から後方端部キャップ２９１へのヨーク２０８の全奥行３０１Ｂは、およそ３０ｍｍ〜およそ５５ｍｍの範囲である。
【０２４４】
図８３に示されるとおり、図示の実施形態において、ヨーク２０８は、ヨークフロント２９４Ａとヨークバック２９４Ｂとを含む。ヨーク２０８は、ヨーク２０８の各側方端部に１つ、２つの端部キャップ２９１も含み得る。図示の実施形態において、ヨークフロント２９４Ａおよびヨークバック２９４Ｂは、一緒に結合される個別のコンポーネントとして形成される。この実施形態において、ヨークフロント２９４Ａとヨークバック２９４Ｂとの間の（図８２、８４、８５に示される）割れ目３１２は、中央にあるかまたは略中央にある。これは、製造の容易さを向上させる。
【０２４５】
ヨークフロント２９４Ａおよびヨークバック２９４Ｂは、スナップ嵌合を介して一緒に結合され得る。図示の実施形態において、ヨークフロント２９４Ａは、ヨークフロント２９４Ａの裏面から後方に突出するヨーク締結具３１４を含む。図示の実施形態において、ヨーク締結具３１４は、ヨークフロント２９４Ａに対して中央にまたは略中央に位置付けられる。ヨークバック２９４Ｂは、締結具孔または凹部３１６であって、ヨークフロント２９４Ａおよびヨークバック２９４Ｂが一緒に結合されるとスナップ式の接続を形成するように、ヨーク締結具３１４を受けるような大きさにされ、成形され、位置付けられた締結具孔または凹部３１６を含む。ヨーク締結具３１４および締結具孔または凹部３１６を介したヨークフロント２９４Ａとヨークバック２９４Ｂとの間の中央接続部は、より大きい剛性をヨークフロント２９４Ａとヨークバック２９４Ｂとの間の接続部に提供し、かつ／またはヨークフロント２９４Ａとヨークバック２９４Ｂとの間のねじれに対抗する支持を提供するかまたはこのねじれを抑止する。いくつかの実施形態において、ヨークフロント２９４Ａは、代わりに、締結具孔または凹部３１６を含み、ヨークバック２９４Ｂは、ヨーク締結具３１４を含む。いくつかの実施形態において、締結具孔または凹部３１６は、締結具孔または凹部３１６の上および／または下エッジに沿って（例えば、側方に沿って）延在し、かつ上および／または下エッジから締結具孔または凹部３１６内に突出する１つまたは複数の締結具または干渉隆起部３１８（図８８を参照されたい）を含む。いくつかの実施形態において、ヨーク締結具３１４は、１つまたは複数の対応する刻み目であって、スナップ式の接続を形成するように、締結具隆起部３１８を受けるような大きさにされ、成形され、位置付けられたヨーク締結具３１４の上および／または下面に沿って（例えば、側方に沿って）延在する１つまたは複数の対応する刻み目を含む。いくつかの実施形態において、締結具孔または凹部３１６は、１つまたは複数の刻み目３２０を含み、ヨーク締結具３１４は、１つまたは複数の締結具隆起部３１８を含む。いくつかの実施形態において、干渉隆起部３１８は、ヨーク締結具３１４の表面と係合することにより締まり嵌めを形成することを単純に支援する。
【０２４６】
図示の実施形態は、ヨークバック２９４Ｂの厚さの全てを通じて延在しない締結具凹部３１６を示している。変形形態において、ヨークバック２９４Ｂの全厚を通じて延在しない締結具孔３１６が代替的に提供され得る。しかしながら、締結具凹部３１６構成は、より容易な製造を可能にすることができ、（ヨークバック２９４Ｂにおける孔のない）より整った仕上げを提供することができ、および／または直線トラック２９６Ａ、２９６Ｂ内へのゴミまたは他の破片の侵入を妨げることができ（孔の欠如を原因とする。これは、ヨーク２０８がその長さに沿って完全に囲まれることを可能にする）、これは、自動ヘッドギア調整機構の機能を維持するのに役立ち得る。締結具孔または締結具凹部のいずれかの形態が、ヨークフロント２９４Ａおよびヨークバック２９４Ｂが一緒に結合されるときに、相補的ヨーク締結具３１４を上述のとおりスナップ式および／または摩擦嵌合係合で受けるように機能する。
【０２４７】
この実施形態において、ヨークバック２９４Ｂは、ヨークバック２９４Ｂから前方に突出し、かつヨークバック２９４Ｂの上面に隣接または近接してヨークバック２９４Ｂの長さに沿って延在する上整列ビード３２２ａ、および／またはヨークバック２９４Ｂから前方に突出し、かつヨークバック２９４Ｂの下面に隣接または近接してヨークバック２９４Ｂの長さ延在する下整列ビード３２２ｂを含む。ヨークフロント２９４Ａ（図９０を参照されたい）は、ヨークフロント２９４Ａの上面に隣接または近接してヨークフロント２９４Ａの長さに沿って延在するヨークフロント２９４Ａの裏面における上整列溝３２４ａ、および／またはヨークフロント２９４Ａの下面に隣接または近接してヨークフロント２９４Ａの長さにわたって延在するヨークフロント２９４Ａの裏面における下整列溝３２４ｂを含む。上および／または下整列溝３２４ａ、３２４ｂは、ヨークフロント２９４Ａおよびヨークバック２９４Ｂが一緒に結合されると、それぞれ上および／または下整列ビード３２２ａ、３２２ｂを受ける。整列ビード３２２ａ、３２２ｂおよび整列溝３２４ａ、３２４ｂは、ヨークフロント２９４Ａおよびヨークバック２９４Ｂを正しく整列させることを促進する。整列ビード３２２ａ、３２２ｂおよび整列溝３２４ａ、３２４ｂは、同様にまたは代替的に、例えば、ヨークフロント２９４Ａとヨークバック２９４Ｂとの間のねじれに抵抗し得るかまたはねじれに対抗して支持し得る。いくつかの実施形態において、整列ビード３２２ａ、３２２ｂおよび整列溝３２４ａ、３２４ｂは、例えば、摩擦嵌合またはスナップ嵌合接続の形態で互いに確動的に係合し得る。
【０２４８】
端部キャップ２９１は、ヨークフロント２９４Ａおよびヨークバック２９４Ｂの側方端部の上方またはその上でクリップ留めまたはスナップ嵌合することにより、ヨークフロント２９４Ａおよびヨークバック２９４Ｂを一緒に固定するのに役立つ。端部キャップ２９１は、ヨーク２０８へのヘッドギアの前部ストラップの接続も可能にし得る。いくつかの実施形態において、各端部キャップ２９１は、前部ストラップの編組部分にオーバーモールドされる。
【０２４９】
図９３〜９８に示されるとおり、ヨークフロント２９４Ａおよびヨークバック２９４Ｂの側方端部は、端部キャップインサート３２６を含むかまたは端部キャップインサート３２６によって形成される。端部キャップインサート３２６は、ヨークフロント２９４Ａおよびヨークバック２９４Ｂの側方端部と一体的に形成され得るか、またはヨークフロント２９４Ａおよびヨークバック２９４Ｂの側方端部に取り付けられ得る。端部キャップインサート３２６は、ヨーク２０８の側方部分と比べて減少した寸法またはプロファイルを有する。端部キャップ２９１は、端部キャップインサート３２６を受ける内部空洞３２８を有する。組立中、端部キャップ２９１は、図９３に示されるとおり、蝶番で端部キャップインサート３２６の上に接続されるかまたはスナップ留めされる。
【０２５０】
図９８に示されるとおり、各端部キャップ２９１は、一方側（例えば、図示の実施形態において背側）に保持穴３３０、反対側（例えば、図示の実施形態において正面側）に保持刻み目３３２を含む。他の実施形態において、保持穴３３０および保持刻み目３３２の位置は、逆にされ得る。図示の実施形態における端部キャップ２９１の後部に保持穴３３０を位置付けることは、有利には、使用時に保持穴３３０を隠し、これは、改良された審美的外観を提供する。保持刻み目３３２は、空洞３２８から端部キャップ２９１内へ前方に延在する。端部キャップインサート３２６は、（例えば、図示の実施形態において、端部キャップインサート３２６のヨークバック２９４Ｂ部分から後方に延在する）正面および裏面の一方に第１保持特徴部３３４、（例えば、図示の実施形態において端部キャップインサート３２６のヨークフロント２９４Ａ部分から前方に延在する）反対側の面に第２保持特徴部３３６を含む。端部キャップ２９１をヨーク２０８、例えば端部キャップインサート３２６に取り付けるために、図９４に示されるとおり、保持穴３３０は、第１保持特徴部３３４と係合する。第１保持特徴部３３４は、このとき、蝶番または枢動点として機能し、図９３における矢印により示される方向において、第２保持特徴部３３６および保持刻み目３３２が例えば隆起部またはスナップ嵌合接続で係合するまで、端部キャップ２９１は、端部キャップインサート３２６の上を枢動する。蝶番による接続は、（図１４４において示される）減少した端部キャップインサート３２６の長さ３３８でヨーク２０８と端部キャップ２９１との間の強い接続を提供し得る。端部キャップ２９１は、したがって、より急勾配で先細になり得る。端部キャップインサート３２６、端部キャップ２９１、および／またはヨーク２０８全体の減少した長さは、有利には、患者の顔に突き当たるヨーク２０８を有利に減少または最小化し得る。
【０２５１】
図示の実施形態において、第１保持特徴部３３４は、ヨークバック２９４Ｂから後方に延在する楕円またはスタジアム形にされたポストであるかまたはそれを含む。第１保持特徴部３３４は、第１保持特徴部３３４の外面または最も後ろの面がヨークバック２９４Ｂの裏面と同一平面であるかまたは実質的に同一平面であるように選択された長さまたは奥行を有する。これは、端部キャップ２９１と端部キャップインサート３２６との間の接触領域および相互作用を増加させ、かつ保持力を増加させる。端部キャップ２９１と端部キャップインサート３２６との間の接続部は、したがって、より大きい、ヨーク２０８の長さに沿ったねじり力および／または継手を中心とした回転力に抵抗し得る。
【０２５２】
図示の実施形態において、第２保持特徴部３３６は、ヨークフロント２９４Ａから前方に延在する隆起したタブであるかまたはそれを含む。第２保持特徴部３３６は、第１保持特徴部３３４と比べて減少した長さまたは奥行を有し、これは、組立中に端部キャップ２９１が第２保持特徴部３３６の上を通過することを可能にする。図示の実施形態において、第２保持特徴部３３６は、図示の実施形態において１つのエッジに、例えば（ヨーク２０８に対して）側方エッジに面取りした導入部３３６ａを有し、これは、端部キャップ２９１が第２保持特徴部３３６の上方および／またはその上でより容易に蝶番で連結されるかまたは枢動することを可能にする。
【０２５３】
いくつかの実施形態において、端部キャップ２９１は、自動ヘッドギア調整機構の編組要素（例えば、側部ストラップ２５２）、例えば本明細書において参照によりその全体が組み込まれる「Ｄｉｒｅｃｔｉｏｎａｌ  Ｌｏｃｋ  ｆｏｒ  Ｉｎｔｅｒｆａｃｅ  Ｈｅａｄｇｅａｒ  Ａｒｒａｎｇｅｍｅｎｔ」という名称の２０１６年５月３１日に出願された米国仮特許出願第６２／３４３，７１１号明細書、ＰＣＴ出願ＰＣＴ／ＩＢ２０１７／０５１５２２号明細書、およびＰＣＴ出願公開国際公開第２０１４／１７５７５２号において図示および説明された編組要素の端部にオーバーモールドされ得る。コア要素またはフィラメント３４０は、編組要素（例えば、側部ストラップ２５２）内で延在し得る。端部キャップ２９１は、編組要素、したがってヘッドギアをヨーク２０８に接続し得、かつ閉鎖ループヘッドギアシステムを作り出し得る。
【０２５４】
本明細書において説明されたとおり、いくつかの実施形態において、ヨーク２０８は、自動的に調整可能であるか、または自動調整のヘッドギアシステムにおいて使用されるコア要素、例えばフィラメント３４０のためのコレクタを形成し得る。図９１に示されるとおり、ヨークフロント２９４Ａは、上直線トラック２９６Ａと下直線トラック２９６Ｂとを含む。この実施形態において、直線トラックデバイダがヨークフロント２９４Ａの背面または内面から後方に突出する。いくつかの実施形態において、ヨーク締結具３１４は、ヨークフロント２９４Ａの長さの一部にわたって略斜めに延在する直線トラックデバイダとして形成または機能する。図示の実施形態において、デバイダ壁３４４は、座金ハウジング２９５の各々と対向する直線トラックとの間に延在する。デバイダ壁６４４は、格納中にフィラメント３４０の自由端部が対向する座金ハウジング２９５において捕捉されることを抑止するように、対向する直線トラックを座金ハウジング２９５から分離する。図示の実施形態において、直線トラック２９６Ａ、２９６Ｂは、ヨーク２０８の上および下エッジの非対称を原因として対称的な鏡像ではない。
【０２５５】
図９２は、直線トラック２９６Ａ、２９６Ｂが端部キャップ２９１内に延在し、かつ端部キャップ２９１内で終端するヨーク２０８の変形形態を示す。直線トラック２９６Ａ、２９６Ｂの長さは、したがって、ヨークフロント２９４Ａおよびヨークバック２９４Ｂの端部を越えて拡張され得る。これは、ヨーク２０８内に格納され得るフィラメント３４０の長さを増加させ、これは、ヘッドギアの寸法の調整またはばらつきの範囲を増加させる。ヘッドギア組立体は、使用時にユーザの頭部の周りに延在するヘッドギアループを画定する。フィラメント３４０は、ヘッドギアループの全長が、マスクシステムを着用するおよび脱ぐ間に拡張されることを可能にする自動ヘッドギア調整機構の一部を形成する。いくつかのそのような実施形態において、直線トラック２９６Ａ、２９６Ｂの各々の長さは、約５ｍｍだけ増加または拡張され得る。そのような実施形態において、拡張された状態におけるヘッドギアループの全長は、したがって約１０ｍｍだけ増加し得る。
【０２５６】
図９９〜１０２を参照して、さらに詳細に説明される自動調整ヘッドギアの方向性ロックの実施形態が示される。方向性ロックは、座金ハウジング２９５、第１および第２ロック要素（例えば、座金１８２０、１８２２）およびフィラメントまたはコア部材３４０を含む。ハウジングは、第１および第２室１８４０、１８４２を含み、第１および第２室１８４０、１８４２は、それぞれ第１および第２ロック座金１８２０、１８２２を収容するように構成される。図示された配置構成において、第１および第２室１８４０、１８４２は、ハウジング２９５の内壁１８１２により分離される。しかしながら、他の配置構成において、第１および第２室１８４０、１８４２は、必ずしも物理的に個別の空間である必要はないが、室の一部であり得る。ハウジング２９５は、２つの端壁１８１４を有し、この２つの端壁１８１４は、内壁１８１２に加えて、コア部材３４０が貫通するための長尺状のコア開口１８６０を有する。コア開口１８６０は、互いに実質的に整列している。図の右側に示されている端壁１８１４のコア開口１８６０は、図の左側に示されている内壁１８１２および端壁１８１４のコア開口より大きい。これは、ハウジング２９５を通るコア部材３４０の経路の操作を可能にする。第１および第２室１８４０、１８４２は、それぞれ内壁１８１２、端壁１８１４の１つ、および側壁１８１６の対により境界付けられ、側壁１８１６は、ハウジング２９５の端壁１８１４間に延在する。第１および第２室１８４０、１８４２は、ハウジング２９５の頂部および底部の一方または両方で開いているように構成される。
【０２５７】
第１および第２室１８４０、１８４２の各々は、ハウジング２９５の対向する側壁１８１６で整列する座金固定器具１８５０の対を有する。座金固定器具１８５０の各々は、第１または第２ロック座金１８２０、１８２２の一方をそれぞれの第１または第２室１８４０、１８４２内に枢動可能に保持するように構成される。座金固定器具は、円形ブッシュ１８５２と長尺状スロット１８５４とを含み、円形ブッシュ１８５２は、入口が形成されるようにハウジングの底部と交差する。入口は、第１および／または第２ロック座金１８２０、１８２２が座金固定器具１８５０内に受け入れられることを可能にするように構成される。スロット１８５４は、円形ブッシュ１８５２からハウジング２９５の頂部に向かって半径方向に延在する。
【０２５８】
第１および第２座金１８２０、１８２２は、円筒形シャフト１８２４と、シャフト１８２４から延在するアーム１８２６とを含む。円筒形シャフト１８２４は、ハウジング２９５と実質的に同じ幅Ｗであり、アーム１８２６は、第１および第２室１８４０、１８４２内に嵌合するためにより幅が狭い。図示された配置構成において、アーム１８２６は、第１セクション１８７２と第２セクション１８７４とを含み、第１セクション１８７２が円筒形シャフト１８２４から半径方向または垂直に延在し、第２セクション１８７４は、第１セクション１８７２の端部から鈍角で延在する。第１座金１８２０のアーム１８２６の第１セクション１８７２は、第２座金１８２２のアーム１８２６の第１セクション１８７２より短い。第１座金１８２０のアーム１８２６の第１および第２セクション１８７２、１８７４間の角度は、第２座金１８２２の対応する角度より大きい。角度は、第１および第２座金１８２０、１８２２の一方または両方の第２セクション１８７４が座金１８２０、１８２２の１つの位置においてハウジング２９５の対応する壁（例えば、それぞれ内壁１８１２および端壁１８１４）に対して実質的に平らであるように選択される。アーム１８２６の第２セクション１８７４は、コア部材３４０を受けるように構成される中央に位置する円形孔１８７６を含む。第１および第２室１８４０、１８４２は、中に格納される座金のサイズによりサイズが異なり、すなわち第１座金１８２０が第２座金１８２２より小さいため、第１室１８４０は、第２室１８４２より小さい。
【０２５９】
第１および第２ロック座金１８２０、１８２２の円筒形シャフト１８２４は、座金固定器具１８５０の円形ブッシュ１８５２の直径と実質的に同じ直径を有し、スナップ式の構成において円形ブッシュ１８５２により受け入れられかつ保持されるように構成される。スナップ式の構成は、円筒形シャフト１８２４の直径より幅が狭い円形ブッシュ１８５２の入口により提供される。第１および第２ロック座金１８２０、１８２２が入口を押し通され得、かつハウジング２９５へ組み立てられ得るときの容易さを増加させるために、座金固定器具１８５０のスロット１８５４は、入口が曲げられて開かれることを可能にするように構成される。第１および第２座金１８２０、１８２２は、ハウジング２９５の第１および第２室１８４０、１８４２内で組み立てられると、円筒形シャフト１８２４を通って延びる中心軸を中心に前後に枢動し得る。
【０２６０】
コア部材３４０は、ハウジング２９５のコア開口１８６０ならびに第１および第２座金１８２０、１８２２の開口１８７６を通るように構成される。コア部材３４０へ張力をかけることは、第１および第２ロック座金１８２０、１８２２に、ロックされた位置および／または開位置間で後ろおよび／または前方に枢動させる。図９９および１００は、ロックされた構成における方向性ロックを示し、ここで、力は、（矢印により示される）図の左側に向かう方向にコア部材３４０にかけられる。この構成においてコア部材３４０にかけられた力は、第１および第２ロック座金１８２０、１８２２を反時計回りの方向に枢動させ、その結果、方向性ロック１８００を通るコア部材３４０の経路は、非線形であるかまたは曲がりくねっており、コア部材３４０の移動が制限される。図１０１および１０２は、開いた構成における方向性ロックを示し、ここで、力は、（矢印により示される）図の右側に向かう方向にコア部材３４０にかけられる。この構成において、第１および第２ロック座金１８２０、１８２２は、円形開口１８７６およびコア開口１８６０が実質的に直線で整列するように、時計回り方向に枢動する。これは、コア部材３４０が方向性ロック１８００を通じて実質的に自由に引かれるために、滑らかな経路を提供する。方向性ロック１８００の作動の追加的な詳細は、上述されかつ本出願人のＰＣＴ出願公開国際公開第２０１４／１７５７５２号において説明される。
【０２６１】
第４実施形態の特徴の概要
第４実施形態の鼻マスクインターフェイスの態様は、いくつかの実施形態において、以下の利点または特徴を提供し得る：
・鼻マスクインターフェイスは、前額Ｔ−部片コンポーネントを必要とせずに、自動調整ヘッドギア（または任意の片側ストラップタイプヘッドギア）とともに用いることができ、
・ヨーク２０８により、ヘッドギア２５０は、シールハウジング２０４および鼻シール２０２に解放可能に接続可能となり得、
・より低いプロファイルまたはより短い鼻シールおよびリブ２４１との組合せにおける鼻下支持体２２４は、使用中にユーザの顔でのマスク安定性を増加させるのに寄与し、
・鼻シールの低プロファイルまたはより低い高さは、シールが従来の鼻シールより低い位置でユーザの鼻梁に接触することを意味し、これは、概して、従来より煩わしくなく、
・解放可能に接続可能な導管フレーム２１１は、対称的であり、かつ導管フレームが２つの向きのいずれかにおいて接続されることを可能にし、
・導管フレーム２１１の中央把持部分２８４の端部２８４Ａでの（例えば、２８４ｅ、２８４Ｆを含む）補助シールリップは、シールハウジング内への導管フレームの接続部にバックアップシールを作り出すことを支援する。
【０２６２】
第５実施形態  −  様々な代替的鼻マスクインターフェイス構成
第５実施形態の鼻マスクインターフェイス組立体の様々な形態がここで図１０３〜１４９を参照して説明される。第５実施形態の鼻マスクインターフェイスの様々な形態は、第４実施形態と違いはあるが概ね構成および構造において同様である。以下の説明は、実施形態間の違いに焦点を当てる。第４実施形態または開示された他の実施形態を参照して説明された様々な代替形態および構成は、第５実施形態の形態にも当てはまり得ることが理解されよう。
【０２６３】
第５実施形態の第１形態の鼻マスクインターフェイス
図１０３〜１１７を参照して、第５実施形態の鼻マスク組立体の第１形態４００が説明される。第４実施形態と同様に、鼻マスクインターフェイス４００は、シールハウジング４０４に結合された鼻シール４０２と、シールハウジング４０４のヨークチャネル４６６内に受け入れられたヨーク４０８とを含む。１０４における図に示されるとおり、鼻シール４０２は、マスク空洞内で延在する鼻下支持体４２４を含む。第４実施形態と同様に、第１形態の鼻マスクインターフェイス４００は、前述のタイプのヘッドギア組立体にヨーク４０８取付具を介して接続し得る。
【０２６４】
この実施形態において、シールの外側ハウジング４０４の中央下部または部分は、一体的な吸気孔４６５を含む。この実施形態において、吸気孔４６５は、シールハウジングからの楕円形突出部または押出部であり、かつ使用された際に気体のフローをマスク空洞内へ供給するために、気体供給導管に直接的または間接的に接続または結合するように構成される。この実施形態において、偏流通気穴４１２の配置構成は、吸気孔突出部４６５の周辺部の周りにある配列で提供される。偏流孔４１２の配列は、実施形態に依存して、吸気孔突出部４６５の周辺部全体または周辺部の１つまたは複数の部分の周りに延在し得る。
【０２６５】
図１０７〜１１０を参照して、シールハウジング４０４へのヨーク４０８の接続がさらに詳細に説明される。この実施形態において、ヨークチャネル４６６は、ヨークチャネル４６６の各側方側において、ヨーク４０８のより厚い側方領域４１０の相補的部分を受けるように成形および寸法決めされたより大きい１つの位置決め特徴４６８を提供する点で（第４実施形態と比べて）修正されている。
【０２６６】
この実施形態において、ヨークチャネル４６６の裏面の下部分には、ヨーク４０８のより薄い中央領域４１２の裏面の底部に沿って位置する相補的に成形された長尺状突出部またはリブ４１６を受けるように成形および寸法決めされた凹状の長尺状チャネル４１４が設けられる。特に、ヨークの突出部４１６は、ヨークチャネル４６６の相補的凹部チャネル４１４内へ干渉または摩擦嵌合で係合するように構成され、それによりヨーク４０８をシールハウジング４０４に結合する。
【０２６７】
図１１２および１１３を参照すると、第５実施形態のこの第１形態において、鼻シール４０２には、その外側シールハウジング接続エッジにチャネル４１８が設けられる。このチャネル４１８は、シールハウジング４０４の開口の周りに延在する相補的に成形および寸法決めされたリッジ４２０（図１１０を参照されたい）と係合するように構成される。シールハウジング４０４への鼻シール４０２の結合、特に鼻シールの相補的チャネル４１８内へのシールハウジングリッジ４２０の結合は、図１１４の断面図に見ることができる。この構成は、代替的実施形態において、チャネルがシールハウジング４０４に設けられ、突出リッジが鼻シール４０２に設けられた状態で逆にされ得ることが理解されよう。
【０２６８】
図１１１および１１２を参照すると、鼻下支持体４２４の下中央接続部分４１９は、第４実施形態のものと同様である。鼻下支持体４２４の主側方部分またはバンド４２２の側方接続部４２１は、チャネル４１８の領域における鼻シールの側方外壁部分に直接接続する。この実施形態において、主側方バンド４２２の側方接続部は、第４実施形態と比べて鼻シールにおいてより低く、これは、第４実施形態と比べて概ねより平らな曲率をマスク空洞の中央領域における主側方バンド４２２に提供する。
【０２６９】
第５実施形態の第２形態の鼻マスクインターフェイス
図１１８〜１２８を参照して、第５実施形態の第２形態の鼻マスクインターフェイス４５０が説明される。第２形態の鼻マスクインターフェイス４５０は、第１形態と同様であり、同様の参照符号は、同様のコンポーネントに対応する。
【０２７０】
第２形態の鼻マスクインターフェイスにおける主な違いは、ヨーク４５１およびヨークチャネル４５２の構成に関する。この第２形態において、ヨークチャネル４５２は、特定の位置決め特徴を提供しない。むしろ、ヨークチャネル４５２は、チャネル４５２の表面とヨーク４５１の当接外面との間の締まり嵌めを介してヨーク４５１を動かないように受け入れかつ保持するように構成される。特に、図１２８を参照すると、４５３で示されるヨークの最大高さは、ヨークチャネル開口の対応する幅より大きい。半永続的な締まり嵌め接続を作り出すために、ヨークを、ヨークチャネル４５１内に押し込むのに十分に変形させるための力が求められる。
【０２７１】
第５実施形態の第３形態の鼻マスクインターフェイス
図１２９〜１３９を参照して、第５実施形態の鼻マスクインターフェイスの第３形態が説明される。
【０２７２】
第３形態の鼻マスクインターフェイスは、第１および第２形態と同様であり、同様のコンポーネントは、同様の参照符号を使用する。第３形態の鼻マスクインターフェイス組立体は、第２形態の鼻マスクインターフェイスにおけるのと同様に、シールハウジング４０４のヨークチャネル４５４内にヨーク４５１を結合するために締まり嵌めを用いる。しかしながら、第３形態におけるシールハウジング４５４のヨークチャネル４５４の形状および構成は、改良されたヘッドギアベクトルを提供することを可能にするために、ヨーク４５１の長手方向軸を上方に角度を変えるために変更される。ヨーク４５１の上方への角度オフセットまたは傾きは、ヨークチャネル４５４の形状および図１３３に示されるとおりチャネルの側面に提供された側方切欠き構造４５３により提供される。図１３０を参照すると、ヨーク４５１の長手方向軸の水平な向きが４５６で示され、これは、鼻マスクインターフェイスの第１および第２形態の向きである。ヨーク角度の傾きは、４５５で示された角度の付いた傾きとともに、第３形態のヨーク４５１の長手方向軸４５７で示される。この形態において、傾斜角は、およそ５°であるが、角度は、必要に応じて様々であり得ることが認められる。
【０２７３】
図１３０および１３７〜１３９を参照すると、第３形態の鼻シール４０２は、先行する形態に対する変更形態も含む。第３形態の鼻シール４０２は、図１１９に示された第２形態の実施形態のより薄い上唇領域４５９と比べて、図１３０において４５８で示されるとおり厚くなった上唇領域を有する。これは、使用時の鼻シールの底部または上唇領域におけるより大きい圧縮および概して鼻シールの接触面へのより平らで滑らかな移行を提供する。
【０２７４】
鼻下支持体４２４の下接続部分４６０も、第２形態の図１２１において４６２で示されたより幅広い接続部に比べて、図１３７において４６１で示されるとおり鼻の孔の接続エッジで側方により薄い。鼻下支持体４２４の主側方バンドの側方接続部４６２もより厚く、図１３９に示されるとおり接続チャネルエッジ４６４から鼻シール内にさらに延在する。例えば、接続部４６２は、鼻シールのチャネル接続エッジ４６４および側壁の内面の一部に一体的に結合され得る。いくつかの実施形態において、側方接続部４６２はまた、鼻シールの内面の一部の接触面と結合し得るかまたは鼻シールの内面の一部の接触面へ延在し得る。
【０２７５】
この第３形態において、鼻の孔の接続エッジから主側方バンド４６５の後部エッジへ生じる鼻下支持体４２４の長さは、より長い鼻を収容するために長くされている。一例としてのみ、４６３で示される長さは、例えば、第５実施形態の第１および第２形態における１７．９ｍｍと比べておよそ２２．８であり得る。
【０２７６】
第５実施形態の第４形態の鼻マスクインターフェイス
図１４０〜１４９を参照して、第４形態の鼻マスクインターフェイス４７０がさらに詳細に説明される。第４形態の鼻マスクインターフェイス４７０は、第３形態の鼻マスクインターフェイス４６０と実質的に同様であり、同様のコンポーネントは、同様の参照符号を有する。
【０２７７】
第３形態に対する、マスクインターフェイス４７０としての第４形態における第１の主な違いは、偏流通気口４７１が吸気孔４６５からヨークチャネルより上のシールハウジング４０４の上中央領域へ移動した点である。図示のとおり、偏流通気口は、４７１で示される密な間隔で配された孔または穴のクラスタまたは配置構成を含む。
【０２７８】
図１４６〜１４９を参照すると、第４形態の鼻マスクインターフェイスは、より平らな接触面を提供する修正された形状を有する鼻シール４０２Ａを含む。特に、図１４９を参照すると、第３形態の鼻シール４０２と第４形態の鼻シール４０２Ａとの間の比較が示されている。図示のとおり、鼻シールの鼻梁領域を含む上部領域、および鼻シールの下上唇領域は、より大きいクッション性を提供する、全体としてより平らなシーリング面を提供するために、第３形態の鼻シール４０２に比べて前方になっている。
【０２７９】
追加的に、図１４８において４７４で示された、鼻の孔エッジの中央コネクタから主側方バンドの後部エッジへ延在する鼻下支持体の長さは、第３形態の鼻シールにおける２２．８ｍｍと比べて、第３形態の鼻シールと比べておよそ２６．４９ｍｍの長さまでさらに長くされている。
【０２８０】
第６実施形態
図１５０〜１５４を参照して、鼻マスクインターフェイスの第６実施形態５００が説明される。鼻マスクインターフェイス５００の実質的な構成は、先の実施形態、特に第４形態４７０と同様であり、同様の符号は、同様のコンポーネントを表す。以下の説明は、主に違いに焦点を当てており、先の実施形態を参照して検討された代替形態は、この第６実施形態にも当てはまり得ることが理解されよう。
【０２８１】
第４形態４７０と比べた鼻マスクインターフェイス５００との主な違いは、シールハウジング５０４は、ヨーク接続チャネル４５４および吸気孔または導管コネクタ４６５の位置を交換することにより再構成されている点である。特に、導管コネクタ４６５は、ヨーク４５１を受けるヨークチャネルより上でシールハウジングの上中央領域に位置付けられる。ヨークチャネル（見えない）は、第４形態の鼻マスク組立体４７０のヨークチャネル４５４と同様である。いくつかの実施形態において、シールハウジングでのより低いヨークの位置付けは、フレームがユーザの顔で巻き上がる量を限定し得る。
【０２８２】
鼻マスクインターフェイス５００は、代替的な偏流事象配置構成も含む。この実施形態において、２つの偏流事象孔クラスタ５０１が吸気口導管４６５の両側にシールハウジングの上側方領域において提供される。
【０２８３】
第７実施形態
図１５５〜１６２を参照して、鼻マスク組立体における使用のための鼻シールの様々な代替的形態が説明される。当業者により認められるとおり、この第７実施形態の鼻シールの代替的形態は、説明された鼻シールインターフェイスの実施形態のいずれか、特にシールハウジング、ヨーク組立体および接続部、ならびにヘッドギア組立体の様々な形態のいずれかとともに使用され得る。
【０２８４】
第７実施形態の第１形態の鼻シール
図１５５〜１５７を参照して、第１形態の鼻シール６００が説明される。この実施形態の第１形態の鼻シール６００は、説明された先の鼻シールと同様であり、６０１で示された鼻下支持体を含む。この鼻シール６００との主な違いは、これには、接触面６０３の側方側の少なくとも一部に沿って側方翼状部またはフラップ６０２が設けられる点である。この実施形態において、翼付き部分６０２は、鼻シールの側方側のおよそ中ほどまたは中間領域に位置する。翼状部６０２は、安定性を増加させるためにユーザの頬骨／鼻の領域に係合するように構成される追加的な接触面を提供するように成形および構成され、ユーザの顔での鼻シールの接触面の増加した接地面積は、いくつかの実施形態において、使用時に転動またはロックが生じることを減らすことを支援する。図１５７を参照すると、翼状部６０２の各々は、鼻シールの各側方側に翼付き接触面を提供するために、接触面６０３の後方の鼻シールの側壁部分に結合する接続部分６０２Ａと、接触面６０３の前方に延在する延長部分６０２Ｂとを含む。翼付き接触部分６０２は、鼻マスクがユーザの顔で巻き上がることを防ぐように、追加された支持を提供する。
【０２８５】
第７実施形態の第２形態の鼻シール
第２形態の鼻シール６１０は、それが鼻シールの側方側から延在する側方翼付き部分６０４を含む点で第１形態６００と同様である。第１形態の鼻シール６００と比べると、翼状部６０４は、より長く、頬骨／鼻領域の平らな領域に従うように適合される。図示のとおり、図１６１において、翼付き領域の曲がったまたは起伏のあるプロファイルは、ユーザの顔の輪郭に適するように適合される。第１形態と同様に、翼状部６０４は、翼状部を鼻シールの側方側に結合する接続部分６０４Ａと、ユーザの顔で鼻マスクを安定させ、かつ第１形態と同様に転動を防止するためにユーザの顔の頬骨／鼻領域に接触するように構成される延長または接触部分６０４Ｂとを含む。
【０２８６】
図１６２を参照すると、翼状部６０４を備えた第２形態の鼻シール６１０を含む鼻マスクインターフェイスが、前述のタイプのヘッドギア組立体を介してユーザの頭部に固定された状態で示されている。図示のとおり、翼付き領域６０４は、ヘッドギア組立体のストラップ、例えば鼻シールの各側の側部または前部ストラップ２５２に緩く結合または繋留され得る。ある実施形態において、翼状部には、側部ストラップ２５２への結合のために、翼状部６０４の端部でまたは翼状部６０４の端部に向かって結合または接続機構が提供され得る。一形態において、コネクタ６０６は、ループ部材などであり得、このループ部材などを通じて側部ストラップ２５２が延在し、それにより側部ストラップを鼻シールの翼付き部分６０４に緩く結合または繋留する。他の形態において、翼状部６０４は、側部ストラップ２５２から分離または繋留解除され得る。
【０２８７】
第８実施形態
図１６３〜１７０を参照して、鼻マスク組立体における使用のための鼻シールの様々な代替的形態が説明される。当業者により認められるとおり、この第８実施形態の鼻シールの代替的形態は、説明された鼻シールインターフェイスの実施形態のいずれか、特にシールハウジング、ヨーク組立体および接続部、ならびにヘッドギア組立体の様々な形態のいずれかとともに使用され得る。
【０２８８】
第８実施形態の第１形態の鼻シール
図１６３および１６４を参照すると、鼻シール７０１、シールハウジング７０２、および気体供給導管７０３を備えた第１形態の鼻マスクインターフェイス７００が図１６３において示されている。第８実施形態のこの第１形態において、鼻マスクインターフェイスは、７０４で示された前額支持コンポーネントを追加的に含む。前額支持コンポーネントは、マスクが顔で巻き上がるかまたは巻き上がり始めると、ユーザの眉の間またはユーザの眉より上でユーザの前額と係合するように構成され、この巻き上がる力に対抗する。特に、前額支持体７０４の寸法および角度方向は、安静または正常な使用時、前額支持体がユーザの前額に係合することもユーザの前額から変位されることもなく、使用中に鼻マスクの上向きの巻き上がりが生じた場合にそれに対抗するためにのみ係合するようなものになっている。
【０２８９】
第８実施形態のこの第１形態において、前額支持体７０４は、鼻シールの鼻梁領域より上で中央に提供される。一形態において、前額支持体７０４は、シールハウジング７０２に結合され得るか、または専らシールハウジング７０２からもしくは専ら鼻シール７０１から延在し得るか、またはなおさらなる代替形態では、シールハウジング７０２の上部領域および鼻シール７０１の両方から延在するように結合され得る。
【０２９０】
前額支持体７０４は、シールハウジング７０２および／または鼻シール７０１の一体部分であり得るか、または代替的に別個に形成され、シールハウジング７０２および／または鼻シール７０１に結合または接続され得る。図１６４は、この形態では実質的に長尺状である前額支持コンポーネントの端部でまたは前額支持コンポーネントの端部に向かって位置する接触領域７０４Ａを備えた前額支持体７０４を示す。第１形態の鼻マスクインターフェイス７００は、図１６４においてユーザにより着用されている様態において見ることができ、鼻マスクインターフェイスは、ヨーク７０６により鼻マスクインターフェイスに結合された前述のタイプのヘッドギア組立体を介して結合されている。ヘッドギア組立体の側部ストラップ７０５は、図１６４において見ることができる。
【０２９１】
第８実施形態の第２形態の鼻シール
図１６５〜１７０を参照すると、鼻マスクインターフェイスにおける使用のための第２形態７１０の鼻シールが示されている。鼻シール７１０は、説明された先の鼻シールと構成が実質的に同様である。主な違いは、鼻シールには、シールの頂部から上方に延在する支持突出部７１２が設けられる点である。第２形態の鼻シール７１０は、第１形態の鼻シール７００より高さが短く、支持突出部７１２は、第１形態の鼻シール７００におけるように前額領域よりもむしろユーザの顔の鼻梁領域に接触することにより、使用時の鼻マスクの巻き上がりに対抗するように構成される。
【０２９２】
図示のとおり、支持突出部７１２は、一体的に形成され、かつ鼻シールの外上側から、７１１で示された接触面の鼻梁領域の頂部の上またはそれより上に延在する。図１６７に示されるとおり、この実施形態における支持突出部は、鼻シール接続端部から支持突出部の上の端に向かって厚さが略先細になっている。
【０２９３】
図１６９および１７０を参照すると、鼻シールは、ユーザの適所において示され、明確にするために、鼻マスクインターフェイス組立体の残りの部分は、図から省略されている。図示のとおり、安静および正常な使用時、上支持突出部７１２は、ユーザの鼻梁からオフセットまたは変位されるように構成される。支持突出部７１２がロックされるかまたはユーザの鼻梁領域に向かって内部へ枢動し、それにより巻き上がる力に対抗するのは、鼻マスクが使用時にユーザの顔で巻き上がるかまたは枢動して上がり始める場合に限る。この実施形態において、安静時、支持突出部７１２の変位は、ユーザの鼻梁からおよそ３ｍｍであり得る。
【０２９４】
第９実施形態
図１７１〜１８５を参照して、鼻マスクインターフェイスの使用のための鼻シールの様々な代替的形態が説明される。当業者により認められるとおり、鼻シールの様々な形態が、説明された鼻マスクインターフェイス組立体のいずれかとともに使用され得る。
【０２９５】
第９実施形態の第１形態の鼻シール
図１７１〜１７４を参照すると、第９実施形態の第１形態の鼻シール７５０は、説明された先の鼻シールと実質的に同様であり、７５２で示された鼻下支持体を含む。第１形態の鼻シール７５０は、鼻シール７５０の上部領域またはクッションに支持を追加する７５４で示された接触面の上側方側部分における厚くなった領域を追加的に含む。図示のとおり、厚くなった領域７５４は、７５１で示された接触面の鼻梁領域の両側の基端側にまたはそれに隣接して位置する。
【０２９６】
第１形態の鼻シール７５０は、厚くなった領域７５４内に位置する支持リブ７５６の対をさらに含む。支持リブ７５６は、水平または垂直よりむしろ、鼻シールの中央領域または鼻の孔に対して実質的に半径方向である向きで延在する。支持リブ７５６は、マスク空洞内の鼻シールの内面から鼻シールの上部領域に支持を追加し、かつ使用時の鼻マスクインターフェイスの上向きの転動を減らすことを支援する。
【０２９７】
図１７４を参照すると、支持リブは、鼻下支持体７５２の側方接続部７５８より上に位置する。換言すると、この形態における支持リブ７５６は、鼻下支持接続部７５８から離されている。図示のとおり、支持リブ７５６は、接触面の一部を含むが、鼻の孔の周辺部の薄くなったエッジ領域の前で終端する鼻シールの側壁の一部に接続される。
【０２９８】
この実施形態において、鼻シールの内部の支持リブ７５６は、鼻シールを通って延在する垂直な中心線に対してある角度方向を有する。この実施形態において、７６０で示された角度方向は、およそ５０°〜およそ７０°の範囲、好ましくはおよそ６０°であり得、換言すると、リブは、鼻シールを通って延在する垂直な中心線に対しておよそ６０°の角度方向を有する。
【０２９９】
第９実施形態の第２形態の鼻シール
図１７５〜１８２を参照して、第９実施形態の鼻シールの第２形態が説明される。
【０３００】
第９実施形態の第２形態の鼻シール７７０は、第１形態の鼻シール７５０に対して変更された形状を含む。特に、第２形態の鼻シール７７０は、垂直に、例えばおよそ１０ｍｍだけより短い。鼻シールは、通常、説明された先の鼻シールと同様の構成を有する。図１７５を参照すると、７７２で示された第２形態の鼻シール７７０の全高は、およそ４７ｍｍであり、７７４で示される鼻シールの全幅は、およそ５９ｍｍである。図１７７を参照すると、７７６で示される第２形態の鼻シール７７０の全奥行は、およそ３９ｍｍである。この実施形態において、全高対全幅の比は、およそ１：１〜およそ１：１．４の範囲、好ましくはおよそ１：１．３である。この実施形態において、全高対全幅対全奥行の比は、およそ１：１：０．６〜およそ１：１．４：１の範囲、好ましくはおよそ１：１．３：０．８である。
【０３０１】
鼻シールの接触面は、７７１で示され、シールハウジング孔を含む外側は、７７３で示される。
【０３０２】
図１７９を参照すると、ユーザの鼻梁での第９実施形態の第１および第２形態の鼻シールの上接点との違いを見ることができる。第２形態の鼻シール７７０のための鼻梁接点は、７７７で示され、これは、７７８で示されるより背の高い第１形態の鼻シールの鼻梁での典型的な接点より下にある。第２形態の鼻シール７７０の減少した垂直高さは、それが遥かにより低いポイントで鼻梁に接触する、例えば鼻の先端と鼻梁の中心の途中または鼻梁の中心までの間に延在する鼻梁の面積または領域内で鼻梁の一部に接触することを可能にする。従来の鼻シールに対してこのより低い接触領域は、複数のユーザ間でより均一であり得、したがって鼻マスクを問題なく使用できる人口の割合を増加させる。
【０３０３】
図１８１および１８２を参照すると、比較のために形状の差を示すために、第１形態の鼻シール７５０がより短い第２形態の鼻シール７７０に被せられた状態で示されている。
【０３０４】
第９実施形態の第３形態の鼻シール
図１８３〜１８５を参照して、第９実施形態の第３形態の鼻シール７８０が説明される。
【０３０５】
この実施形態における第３形態の鼻シール７８０は、より短い第２形態の鼻シール７７０とサイズおよび形状が同様である。主な違いは、第３形態の鼻シール７８０が鼻シールの内面に支持リブ７８２を追加的に含む点である。特に、各側方端部において、鼻下支持体７８１の主側方部分は、それぞれの支持リブ７８２に接続する。図示のとおり、支持リブ７８２は、実質的に垂直または略垂直の方向を有する。鼻下支持体および支持リブへのその接続部は、第４実施形態の鼻シールを参照して説明されたものと構成が同様である。
【０３０６】
この第３形態の鼻シール７８０において、リブ７８２は、鼻シール内での鼻下支持体の接続を強化し、構造上の支持を鼻シールの上部領域に提供するという二重機能も実施する。この第３形態において、鼻下支持体は、Ｕ字形よりむしろより略四角の形状である。特に、主側方部分は、実質的に平らまたは水平な中央領域７８３と、中央領域のそれぞれの端部から上方に延在する２つの実質的に垂直な側方部分７８４とを含む。
【０３０７】
第１０実施形態
図１８６〜２０５を参照して、鼻マスクインターフェイスのシールハウジングおよび導管フレームの様々な形態および構成が説明される。シールハウジングおよび導管フレームの変更形態のこれらの様々な形態は、代替的構成を提供するために、説明された鼻マスク組立体の様々な実施形態に組み込まれ得ることが理解されよう。
【０３０８】
第１０実施形態の第１形態の導管フレーム構成
図１８６〜１８９を参照すると、第１形態の導管フレーム８００は、ハウジング接続端部８０１と、８０２で接続する気体供給導管との間に延在する中空の卵形本体である。図示のとおり、本体は、孔８０６であって、その中に導管フレームが接続する孔８０６の周辺部の周りのシールハウジング８０４の表面プロファイルと一致する湾曲した表面プロファイルを有する。特に、導管フレームは、一緒に組み立てられたときの２つのコンポーネント間のインターフェイスに融和したまたは連続的な表面を提供するために、シールハウジングの表面プロファイルと協働する表面プロファイルを有する。
【０３０９】
第１形態の導管フレーム８００は、８０８で示される導管接続端部８０２に向かう本体の側方側に波形把持領域の対を提供する（１つのみが見える）。シールハウジング接続端部８０１には、第４実施形態について説明された構成と同様に、シールハウジング８０４の孔の表面において提供された相補的凹部または溝８１２とのスナップ嵌合係合のために、上および下面に８１０で示された突出部が設けられる。
【０３１０】
図１８８を参照すると、導管フレーム８００の本体は、水平に対して８１４で示されたおよそ３０°の下り角を提供するように構成される。特に、８０２の導管端部での軸には、シールハウジング接続端部８０１での孔の軸に対して角度が付いているかまたはオフセットされている。角度は、様々であり得ることが理解されよう。
【０３１１】
第１０実施形態の第２形態の導管フレーム構成
図１９０〜１９３を参照して、第１０実施形態の第２形態の導管フレーム８２０が説明される。この実施形態において、導管フレーム８２０の導管接続端部８２１には、この場合にも波形把持領域または部分８２２が設けられる。８２３で示されたシールハウジング接続端部は、より大きく、シールハウジングの吸気口導管突出部８２５に隣接するシールハウジング８２４の外面の一部と重複する翼付き部分を含む。
【０３１２】
図１９１に示されるとおり、導管フレームは、シールハウジング８２４の導管突出部８２５に提供された相補的突出部または溝８２７とのスナップ嵌合または干渉係合を補完する１つまたは複数の突出部または溝８２６を有する相補的導管部分を含む。
【０３１３】
図１９２に示されるとおり、シールハウジング接続端部８２３での導管フレームの翼付き側方部分は、孔８２８を含み得る。これらの孔は、シールハウジングに、整列された相補的孔が設けられる場合に偏流通気口を提供するために、ディフューザマットのための表面を提供し得る。
【０３１４】
第１０実施形態の第３形態の導管フレーム構成
図１９４〜１９７を参照して、第３形態の導管フレーム８３０が説明される。第３形態の導管フレーム８３０は、第２形態の導管フレーム８２０と実質的に同様である。主な違いは、シールハウジング８３５には、融和した表面を提供するために、導管フレームの翼付き領域８３２を全体として受けるより大きい吸気孔開口８３３が設けられる点である。換言すると、第２形態の構成においてのようにシールハウジングの外面に導管フレームの翼付き領域との重複がない。
【０３１５】
図１９４〜１９７に示されるとおり、導管フレームの翼付き領域の側方エッジには、シールハウジング８３５の孔８３１のない周面において設けられた相補的溝または突出部８３３とスナップ嵌合するか、または他の方法で係合するように構成される突出部または溝８３２が設けられ得る。
【０３１６】
第１０実施形態の第４形態の導管フレーム構成
図１９８〜２０１を参照して、第４形態の導管フレーム８４０が説明される。第４形態の導管フレーム８４０には、シールハウジング８４２の相補的導管８４４内に受け入れられる、８４３で示されたシールハウジング接続端部に導管が設けられる。導管フレームの導管部分８４３は、シールハウジング８４２の導管孔８４４の内面を介して相補的に整列した突出部または溝８４６と係合する上および／または下面または他の表面に突出部または溝８４５のいずれかを含む。
【０３１７】
図２０１を参照すると、導管部分８４３の側方部分を囲むのは、導管部分８４３の両側で導管フレームの側方側から延在する翼付き領域８４７である。これらの翼付き領域または部分８４７は、シールハウジング８４２の吸気口の側方側に設けられた相補的凹状領域８４８内に受け入れられる。概してシールハウジング接続端部での導管フレームの翼付き領域８４６および本体の外面プロファイルは、図１９８に示されるとおり、一緒に組み立てられたときの２つのコンポーネントのインターフェイスにシームレスまたは融和した表面があるように、吸気孔を囲む領域においてシールハウジングの表面プロファイルと一緒になるかまたは融和するように構成される。
【０３１８】
導管フレームのシールハウジング接続端部の反対側には、導管フレーム８５０の気体供給導管接続端部で導管フレームの側から側方に延在する把持タブまたは突出部８４９が提供される。これらの把持タブ８４９により、ユーザが必要に応じて導管フレームをシールハウジングから引くことができるようになる。これらは、組立中に導管フレームをシールハウジング内に挿入することも支援し得る。
【０３１９】
第１０実施形態の第５形態の導管フレーム構成
図２０２〜２０５を参照すると、第１０実施形態の第５形態の導管フレーム８５０が説明される。
【０３２０】
第５形態の導管フレーム８５０は、第４形態の導管フレーム８４０と同様である。主な違いは、把持タブが、気体供給導管接続端部導管フレーム８５０において、８５２で示される把持突出部の連続または列と交換される点である。シールハウジング接続端部での翼付き領域８５３および導管部分８５５は、図２０４で示された軸８５６を通って延在する水平面に対して対称的である。
【０３２１】
第５形態の導管フレーム８５０は、シールハウジング接続端部８５８と気体供給導管供給接続端部８５９との間に角度オフセットを有する。この実施形態において、導管接続端部８５９から延在する軸は、シールハウジング接続端部８５８から延在する軸に対しておよそ４０°の下り角でオフセットされているが、この角度は、認められるとおり変更され得る。
【０３２２】
対称的なシールハウジング配置構成で、導管フレーム８５０は、互いに対して１８０°回転される２つの向きのいずれかにおいてシールハウジング８６２内へ接続され得る。追加的に、導管接続端部８５９での角度が付いているオフセットは、導管がユーザの脚に面するかユーザの脚に向かって延在することを可能にするために、導管フレームがシールハウジング８６２へと、導管接続端部８５９に下向きに角度が付いている第１の向きで組み立てられることを可能にするか、または代替形態は、導管がユーザの前額の方向において上方に延在し得るように、導管接続端部８５６に上方に角度が付いているように第２の向きにおいて設置され得る。
【０３２３】
さらなる代替的実施形態
以下は、インターフェイスの様々な代替的実施形態または構成を説明する。これらの実施形態または構成の任意の１つまたは複数は、単独でまたは組み合わせてのいずれかで上述の一般的な実施形態に適用され得ることが理解されよう。
【０３２４】
フルフェイス実施形態
図２Ａ〜２０５を参照して上で説明された上述の実施形態は、ユーザの鼻の周りを密封するように構成される鼻シールインターフェイスに関連する。しかしながら、そのような実施形態はまた、治療気体が鼻および口を介してユーザの気道へ送達され得るように、ユーザの鼻および口の両方の周りを密封するように構成されるフルフェイスまたは口腔鼻マスクに適合され得ることが理解されよう。一例としてのみ、図２０６は、フルフェイスインターフェイス１０２Ｅの形態の第１１実施形態を示す。フルフェイスシール１０２Ｅは、図３０〜３４の第３実施形態１０２Ｄにおいて説明されたものと同様であり、単一バンド鼻下支持体１２４Ｄ構成を含む。フルフェイスシール１０２Ｅは、構成が実質的に同様であるが、より大きい接触面１２０Ｅを有する。拡大された接触面１２０Ｅは、ユーザの鼻および口の周りを密封するように構成され、すなわち鼻および口の両方の周りに外接触するように成形される。鼻梁領域のまたは鼻梁領域に向かう上部領域１２５は、前述のものと実質的に同様であるが、側部頬領域１２３は、さらに下方に延在し、かつユーザ口より下で例えばその顎の基端側で密封するように構成される下部領域１２１Ｅにより接続される。このより大きい接触面により、ユーザの鼻および口の両方がシール１０２Ｅ内に封入され得る。
【０３２５】
密封のために異なる材料で形成された鼻下支持体
図２Ａ〜２０５を参照して説明された実施形態において、鼻下支持体は、典型的には一体的に形成され、鼻シールの一体部分である。例えば、鼻シールおよびその鼻下支持体は、シリコーンまたは他の好適な材料から単一のユニットとして一体的に型に入れて成形される。代替的に、鼻シールおよび鼻下支持体は、最初に個別の部品として型に入れて成形され、次いで例えば接着剤または溶接などにより、単一の鼻シールコンポーネントを形成するために一緒に永続的に結合または接続される。
【０３２６】
代替的実施形態において、鼻下支持体は、鼻シールと異なる材料で形成され得る。例えば、鼻シールは、シリコーンで形成され得るが、鼻下支持体は、異なる材料、例えば、限定するものではないが、織物材料、フォーム材料、ネオプレン、Ｂｒｅａｔｈ−ｏ−Ｐｒｅｎｅ（登録商標）材料、熱可塑性ポリウレタン（ＴＰＵ）で形成され得る。鼻下支持体は、次いで、単一の鼻シールコンポーネントを形成するために、鼻シール内に例えば接着剤または溶接などにより永続的に結合または接続され得る。
【０３２７】
動かないように接続されていない鼻下支持体および他の接続構成
図２Ａ〜２０５を参照して説明された上記実施形態において、鼻下支持体は、典型的には鼻シール内に動かないように接続され、例えば鼻シール内へ一体的に形成されるか、または他の方法で永続的に接続される。代替的実施形態において、鼻下支持体は、前述の鼻シールの接続点または位置で解放可能な接続組立体により、鼻シール内へ取り外し可能にまたは解放可能に接続され得る。
【０３２８】
さらなる代替的構成において、鼻下支持体は、インターフェイスの非密封構造またはコンポーネントに固定して、または解放可能に接続または結合され得る。例えば、鼻下支持体は、構成に依存して、シールハウジングまたは剛性クリップコンポーネントまたはフレームコンポーネントに固定してまたは解放可能に接続され得る。上で言及されたとおり、鼻下支持体は、限定するものではないが、シリコーン、繊維、フォーム材料、ネオプレン、Ｂｒｅａｔｈ−ｏ−Ｐｒｅｎｅ（登録商標）材料、またはＴＰＵを含む任意の好適な材料で形成され得る。
【０３２９】
本発明の前述の説明は、その好ましい形態を含む。添付の特許請求の範囲により説明された本発明の範囲から逸脱することなく、それに対する修正形態がなされ得る。
【図１】
2019517884.tif 000003
【図２Ａ】
2019517884.tif 000004
【図２Ｂ】
2019517884.tif 000005
【図３】
2019517884.tif 000006
【図４】
2019517884.tif 000007
【図５】
2019517884.tif 000008
【図６】
2019517884.tif 000009
【図７】
2019517884.tif 000010
【図８】
2019517884.tif 000011
【図９】
2019517884.tif 000012
【図１０】
2019517884.tif 000013
【図１１】
2019517884.tif 000014
【図１２】
2019517884.tif 000015
【図１３】
2019517884.tif 000016
【図１４】
2019517884.tif 000017
【図１５】
2019517884.tif 000018
【図１６】
2019517884.tif 000019
【図１７】
2019517884.tif 000020
【図１８】
2019517884.tif 000021
【図１９】
2019517884.tif 000022
【図２０】
2019517884.tif 000023
【図２１】
2019517884.tif 000024
【図２２】
2019517884.tif 000025
【図２３】
2019517884.tif 000026
【図２４】
2019517884.tif 000027
【図２５】
2019517884.tif 000028
【図２６】
2019517884.tif 000029
【図２７】
2019517884.tif 000030
【図２８】
2019517884.tif 000031
【図２９】
2019517884.tif 000032
【図３０】
2019517884.tif 000033
【図３１】
2019517884.tif 000034
【図３２】
2019517884.tif 000035
【図３３】
2019517884.tif 000036
【図３４】
2019517884.tif 000037
【図３５】
2019517884.tif 000038
【図３６】
2019517884.tif 000039
【図３７】
2019517884.tif 000040
【図３８】
2019517884.tif 000041
【図３９】
2019517884.tif 000042
【図４０】
2019517884.tif 000043
【図４１】
2019517884.tif 000044
【図４２】
2019517884.tif 000045
【図４３】
2019517884.tif 000046
【図４４】
2019517884.tif 000047
【図４５】
2019517884.tif 000048
【図４６】
2019517884.tif 000049
【図４７】
2019517884.tif 000050
【図４８】
2019517884.tif 000051
【図４９】
2019517884.tif 000052
【図５０】
2019517884.tif 000053
【図５１】
2019517884.tif 000054
【図５２】
2019517884.tif 000055
【図５３】
2019517884.tif 000056
【図５４】
2019517884.tif 000057
【図５５】
2019517884.tif 000058
【図５６】
2019517884.tif 000059
【図５７】
2019517884.tif 000060
【図５８】
2019517884.tif 000061
【図５９】
2019517884.tif 000062
【図６０】
2019517884.tif 000063
【図６１】
2019517884.tif 000064
【図６２】
2019517884.tif 000065
【図６３】
2019517884.tif 000066
【図６４】
2019517884.tif 000067
【図６５】
2019517884.tif 000068
【図６６】
2019517884.tif 000069
【図６７】
2019517884.tif 000070
【図６８】
2019517884.tif 000071
【図６９】
2019517884.tif 000072
【図７０】
2019517884.tif 000073
【図７１】
2019517884.tif 000074
【図７２】
2019517884.tif 000075
【図７３】
2019517884.tif 000076
【図７４】
2019517884.tif 000077
【図７５】
2019517884.tif 000078
【図７６】
2019517884.tif 000079
【図７７】
2019517884.tif 000080
【図７８】
2019517884.tif 000081
【図７９】
2019517884.tif 000082
【図８０】
2019517884.tif 000083
【図８１】
2019517884.tif 000084
【図８２】
2019517884.tif 000085
【図８３】
2019517884.tif 000086
【図８４】
2019517884.tif 000087
【図８５】
2019517884.tif 000088
【図８６】
2019517884.tif 000089
【図８７】
2019517884.tif 000090
【図８８】
2019517884.tif 000091
【図８９】
2019517884.tif 000092
【図９０】
2019517884.tif 000093
【図９１】
2019517884.tif 000094
【図９２】
2019517884.tif 000095
【図９３】
2019517884.tif 000096
【図９４】
2019517884.tif 000097
【図９５】
2019517884.tif 000098
【図９６】
2019517884.tif 000099
【図９７】
2019517884.tif 000100
【図９８】
2019517884.tif 000101
【図９９】
2019517884.tif 000102
【図１００】
2019517884.tif 000103
【図１０１】
2019517884.tif 000104
【図１０２】
2019517884.tif 000105
【図１０３】
2019517884.tif 000106
【図１０４】
2019517884.tif 000107
【図１０５】
2019517884.tif 000108
【図１０６】
2019517884.tif 000109
【図１０７】
2019517884.tif 000110
【図１０８】
2019517884.tif 000111
【図１０９】
2019517884.tif 000112
【図１１０】
2019517884.tif 000113
【図１１１】
2019517884.tif 000114
【図１１２】
2019517884.tif 000115
【図１１３】
2019517884.tif 000116
【図１１４】
2019517884.tif 000117
【図１１５】
2019517884.tif 000118
【図１１６】
2019517884.tif 000119
【図１１７】
2019517884.tif 000120
【図１１８】
2019517884.tif 000121
【図１１９】
2019517884.tif 000122
【図１２０】
2019517884.tif 000123
【図１２１】
2019517884.tif 000124
【図１２２】
2019517884.tif 000125
【図１２３】
2019517884.tif 000126
【図１２４】
2019517884.tif 000127
【図１２５】
2019517884.tif 000128
【図１２６】
2019517884.tif 000129
【図１２７】
2019517884.tif 000130
【図１２８】
2019517884.tif 000131
【図１２９】
2019517884.tif 000132
【図１３０】
2019517884.tif 000133
【図１３１】
2019517884.tif 000134
【図１３２】
2019517884.tif 000135
【図１３３】
2019517884.tif 000136
【図１３４】
2019517884.tif 000137
【図１３５】
2019517884.tif 000138
【図１３６】
2019517884.tif 000139
【図１３７】
2019517884.tif 000140
【図１３８】
2019517884.tif 000141
【図１３９】
2019517884.tif 000142
【図１４０】
2019517884.tif 000143
【図１４１】
2019517884.tif 000144
【図１４２】
2019517884.tif 000145
【図１４３】
2019517884.tif 000146
【図１４４】
2019517884.tif 000147
【図１４５】
2019517884.tif 000148
【図１４６】
2019517884.tif 000149
【図１４７】
2019517884.tif 000150
【図１４８】
2019517884.tif 000151
【図１４９】
2019517884.tif 000152
【図１５０】
2019517884.tif 000153
【図１５１】
2019517884.tif 000154
【図１５２】
2019517884.tif 000155
【図１５３】
2019517884.tif 000156
【図１５４】
2019517884.tif 000157
【図１５５】
2019517884.tif 000158
【図１５６】
2019517884.tif 000159
【図１５７】
2019517884.tif 000160
【図１５８】
2019517884.tif 000161
【図１５９】
2019517884.tif 000162
【図１６０】
2019517884.tif 000163
【図１６１】
2019517884.tif 000164
【図１６２】
2019517884.tif 000165
【図１６３】
2019517884.tif 000166
【図１６４】
2019517884.tif 000167
【図１６５】
2019517884.tif 000168
【図１６６】
2019517884.tif 000169
【図１６７】
2019517884.tif 000170
【図１６８】
2019517884.tif 000171
【図１６９】
2019517884.tif 000172
【図１７０】
2019517884.tif 000173
【図１７１】
2019517884.tif 000174
【図１７２】
2019517884.tif 000175
【図１７３】
2019517884.tif 000176
【図１７４】
2019517884.tif 000177
【図１７５】
2019517884.tif 000178
【図１７６】
2019517884.tif 000179
【図１７７】
2019517884.tif 000180
【図１７８】
2019517884.tif 000181
【図１７９】
2019517884.tif 000182
【図１８０】
2019517884.tif 000183
【図１８１】
2019517884.tif 000184
【図１８２】
2019517884.tif 000185
【図１８３】
2019517884.tif 000186
【図１８４】
2019517884.tif 000187
【図１８５】
2019517884.tif 000188
【図１８６】
2019517884.tif 000189
【図１８７】
2019517884.tif 000190
【図１８８】
2019517884.tif 000191
【図１８９】
2019517884.tif 000192
【図１９０】
2019517884.tif 000193
【図１９１】
2019517884.tif 000194
【図１９２】
2019517884.tif 000195
【図１９３】
2019517884.tif 000196
【図１９４】
2019517884.tif 000197
【図１９５】
2019517884.tif 000198
【図１９６】
2019517884.tif 000199
【図１９７】
2019517884.tif 000200
【図１９８】
2019517884.tif 000201
【図１９９】
2019517884.tif 000202
【図２００】
2019517884.tif 000203
【図２０１】
2019517884.tif 000204
【図２０２】
2019517884.tif 000205
【図２０３】
2019517884.tif 000206
【図２０４】
2019517884.tif 000207
【図２０５】
2019517884.tif 000208
【図２０６】
2019517884.tif 000209
【国際調査報告】
2019517884.tif 000210
2019517884.tif 000211
2019517884.tif 000212
2019517884.tif 000213
2019517884.tif 000214
2019517884.tif 000215
2019517884.tif 000216
2019517884.tif 000217
2019517884.tif 000218